(57)【要約】本出願の実施形態は、通信方法、端末デバイス、およびアクセスネットワークデバイスを提供する。方法は、第１の状態にある端末デバイスによって、端末デバイスのページングエリアが変更されていると決定するステップと、端末デバイスによって、第１のメッセージを第１のアクセスネットワークデバイスへ送信するステップであって、第１のメッセージは、端末デバイスのページングエリアが変更されていることを第１のアクセスネットワークデバイスに通知するために使用される、ステップと、端末デバイスによって、第１のメッセージに基づいて第１のアクセスネットワークデバイスによって送信された第２のメッセージを受信するステップと、端末デバイスによって第２のメッセージに基づいて、端末デバイスの入るべき状態を決定するステップと、端末デバイスが第２の状態にいる必要があると端末デバイスが決定した場合、端末デバイスによって、格納されている接続コンテキスト情報に基づいて第２の状態に入るステップとを含む。本出願の実施形態を用いれば、シグナリングオーバーヘッドが低減されることが可能である。
2019525642.tif 000002
【特許請求の範囲】
【請求項１】
第１の状態にある端末デバイスによって、前記端末デバイスのページングエリアが変更されていると決定するステップであって、前記第１の状態は、前記端末デバイスがページングをリッスンしており、かつ前記端末デバイスの接続コンテキスト情報を格納している状態を含む、ステップと、
前記端末デバイスによって、第１のメッセージを第１のアクセスネットワークデバイスへ送信するステップであって、前記第１のメッセージは、前記端末デバイスの前記ページングエリアが変更されていることを前記第１のアクセスネットワークデバイスに通知するために使用され、前記第１のアクセスネットワークデバイスは、前記端末デバイスのサービングアクセスネットワークデバイスである、ステップと、
前記端末デバイスによって、前記第１のメッセージに基づいて前記第１のアクセスネットワークデバイスによって送信された第２のメッセージを受信するステップと、
前記端末デバイスによって前記第２のメッセージに基づいて、前記端末デバイスの入るべき状態を決定するステップと、
前記入るべき状態が第２の状態であると前記端末デバイスが決定した場合、前記端末デバイスによって、前記格納されている接続コンテキスト情報に基づいて前記第２の状態に入るステップであって、前記第２の状態は、前記端末デバイスおよび前記第１のアクセスネットワークデバイスが接続されていることを含む、ステップと
を含む通信方法。
【請求項２】
前記入るべき状態が前記第１の状態であると前記端末デバイスが決定した場合、前記端末デバイスによって、前記第１の状態にとどまるステップ
をさらに含む請求項１に記載の方法。
【請求項３】
前記端末デバイスによって前記第２のメッセージに基づいて、前記端末デバイスの入るべき状態を決定する前記ステップは、
前記端末デバイスによって、前記第２のメッセージのタイプおよび／または前記第２のメッセージ内に含めて搬送されているコンテンツに基づいて、前記端末デバイスの前記入るべき状態を決定するステップを含む請求項２に記載の方法。
【請求項４】
前記第２のメッセージ内に含めて搬送されている前記コンテンツは、状態表示情報および／またはページングエリア構成情報を含み、
前記状態表示情報は、前記端末デバイスの前記入るべき状態を示すために使用され、前記ページングエリア構成情報は、前記端末デバイス用のページングエリア構成を更新するために使用される請求項３に記載の方法。
【請求項５】
前記第１のメッセージのタイプは、無線リソース制御ＲＲＣ接続再開要求メッセージであり、前記ＲＲＣ接続再開要求メッセージは、前記第１のアクセスネットワークデバイスへのＲＲＣ接続を再開するように要求するために使用され、
前記第２のメッセージの前記タイプは、ＲＲＣ接続再開メッセージまたはＲＲＣ接続拒否メッセージであり、前記ＲＲＣ接続再開メッセージは、前記ＲＲＣ接続を再開するように前記端末デバイスに命令するために使用され、前記ＲＲＣ接続拒否メッセージは、前記第１のアクセスネットワークデバイスが前記ＲＲＣ接続の再開を拒否することを示すために使用される請求項３または４に記載の方法。
【請求項６】
前記ＲＲＣ接続再開要求メッセージ内の原因値は、前記端末デバイスの前記ページングエリアが変更されていることを示す請求項５に記載の方法。
【請求項７】
前記端末デバイスによって、前記第２のメッセージのタイプおよび／または前記第２のメッセージ内に含めて搬送されているコンテンツに基づいて、前記端末デバイスの前記入るべき状態を決定する前記ステップは、
前記第２のメッセージの前記タイプがＲＲＣ接続拒否メッセージである場合、前記端末デバイスによって、前記入るべき状態が前記第１の状態であると決定するステップと、
前記第２のメッセージの前記タイプがＲＲＣ接続再開メッセージである場合、前記端末デバイスによって、前記入るべき状態が前記第２の状態であると決定するステップと、
前記第２のメッセージの前記タイプがＲＲＣ接続再開メッセージであり、前記第２のメッセージ内に含めて搬送されている前記コンテンツが、前記第１の状態にいるように前記端末デバイスに命令するために使用されている場合、前記端末デバイスによって、前記入るべき状態が前記第１の状態であると決定するステップと、
前記第２のメッセージの前記タイプがＲＲＣ接続再開メッセージであり、前記第２のメッセージ内に含めて搬送されている前記コンテンツが、前記第２の状態にいるように前記端末デバイスに命令するために使用されている場合、前記端末デバイスによって、前記入るべき状態が前記第２の状態であると決定するステップとを含む請求項５または６に記載の方法。
【請求項８】
前記第２のメッセージの前記タイプは、ＲＲＣ接続再開メッセージであり、
前記方法は、
前記端末デバイスが、前記ＲＲＣ接続再開メッセージに基づいて、前記入るべき状態が前記第１の状態であると決定した場合、前記端末デバイスによって、前記ＲＲＣ接続再開メッセージ内の、前記ＲＲＣ接続を再開するために使用される暗号化パラメータを無視するステップをさらに含む請求項７に記載の方法。
【請求項９】
前記第２のメッセージは、ＲＲＣ接続拒否メッセージであり、
前記方法は、
前記端末デバイスが、前記ＲＲＣ接続拒否メッセージに基づいて、前記入るべき状態が前記第１の状態であると決定した場合、前記端末デバイスによって、前記ＲＲＣ接続拒否メッセージ内に含まれている待ち時間情報を無視するステップをさらに含み、前記待ち時間情報は、前記端末デバイスと前記第１のアクセスネットワークデバイスとの間における前記ＲＲＣ接続を再開するために必要とされる待ち時間を示すために使用される請求項７に記載の方法。
【請求項１０】
前記第１の状態にある前記端末デバイスによって、前記端末デバイスのページングエリアが変更されていると決定する前記ステップの前に、前記方法は、
第２のアクセスネットワークデバイスによって送信された命令情報を受信するステップをさらに含み、前記命令情報は、前記第１の状態に入るように前記端末デバイスに命令するために使用され、前記命令情報は、前記端末デバイス用のページングエリアを構成するために使用されるページングエリア構成情報を含む請求項１乃至９のいずれか一項に記載の方法。
【請求項１１】
第１のアクセスネットワークデバイスによって、第１の状態にある端末デバイスによって送信された第１のメッセージを受信するステップであって、前記第１のメッセージは、前記端末デバイスのページングエリアが変更されていることを前記第１のアクセスネットワークデバイスに通知するために使用され、前記第１の状態は、前記端末デバイスがページングをリッスンしており、かつ前記端末デバイスの接続コンテキスト情報を格納している状態を含む、ステップと、
前記第１のアクセスネットワークデバイスによって、第２のアクセスネットワークデバイスから前記端末デバイスの前記接続コンテキスト情報を入手するステップであって、前記第２のアクセスネットワークデバイスは、前記端末デバイス用に構成されているページングエリア内に含まれているセルに対応するアクセスネットワークデバイスであるか、または前記端末デバイスの前記接続コンテキスト情報を格納するように構成されている所定のアクセスネットワークデバイスである、ステップと、
前記第１のアクセスネットワークデバイスによって、前記端末デバイスの入るべき状態を決定するステップと、
前記入るべき状態が第２の状態であると前記第１のアクセスネットワークデバイスが決定した場合、前記第２の状態に入るように前記端末デバイスに命令するために使用される第２のメッセージを、前記端末デバイスの前記接続コンテキスト情報に基づいて前記第１のアクセスネットワークデバイスによって前記端末デバイスへ送信するステップと
を含む通信方法。
【請求項１２】
前記入るべき状態が前記第１の状態であると前記第１のアクセスネットワークデバイスが決定した場合、前記第１の状態にとどまるように前記端末デバイスに命令するために使用される第２のメッセージを、前記第１のアクセスネットワークデバイスによって前記端末デバイスへ送信するステップ
をさらに含む請求項１１に記載の方法。
【請求項１３】
前記第２のメッセージは、前記第２のメッセージのタイプおよび／またはコンテンツを使用することによって前記端末デバイスの前記入るべき状態を示す請求項１２に記載の方法。
【請求項１４】
前記第２のメッセージ内に含めて搬送されている前記コンテンツは、状態表示情報および／またはページングエリア構成情報を含み、
前記状態表示情報は、前記端末デバイスの前記入るべき状態を示すために使用され、前記ページングエリア構成情報は、前記端末デバイス用のページングエリア構成を更新するために使用される請求項１３に記載の方法。
【請求項１５】
前記第１のメッセージのタイプは、無線リソース制御ＲＲＣ接続再開要求メッセージであり、前記ＲＲＣ接続再開要求メッセージは、前記第１のアクセスネットワークデバイスへのＲＲＣ接続を再開するように要求するために使用され、
前記第２のメッセージの前記タイプは、ＲＲＣ接続再開メッセージまたはＲＲＣ接続拒否メッセージであり、前記ＲＲＣ接続再開メッセージは、前記ＲＲＣ接続を再開するように前記端末デバイスに命令するために使用され、前記ＲＲＣ接続拒否メッセージは、前記第１のアクセスネットワークデバイスが前記ＲＲＣ接続の再開を拒否することを示すために使用される請求項１４に記載の方法。
【請求項１６】
前記ＲＲＣ接続再開要求メッセージ内の原因値は、前記端末デバイスの前記ページングエリアが変更されていることを示す請求項１５に記載の方法。
【請求項１７】
メッセージタイプがＲＲＣ接続拒否メッセージである前記第２のメッセージは、前記第１の状態にとどまるように前記端末デバイスに命令するために使用され、
前記第１の状態に入るように前記端末デバイスに命令するコンテンツを搬送する、メッセージタイプがＲＲＣ接続再開メッセージである前記第２のメッセージは、前記第１の状態にとどまるように前記端末デバイスに命令するために使用され、
メッセージタイプがＲＲＣ接続再開メッセージである前記第２のメッセージは、前記第２の状態に入るように前記端末デバイスに命令するために使用され、
前記第２の状態に入るように前記端末デバイスに命令するために使用されるコンテンツを搬送する、メッセージタイプがＲＲＣ接続再開メッセージである前記第２のメッセージは、前記第２の状態に入るように前記端末デバイスに命令するために使用される
請求項１５または１６に記載の方法。
【請求項１８】
前記ページングエリア構成情報を搬送する前記第２のメッセージを前記端末デバイスへ送信する前記ステップの前に、
前記第１のアクセスネットワークデバイスによって、候補セルに関する情報を前記第２のアクセスネットワークデバイスへ送信するステップと、
前記第１のアクセスネットワークデバイスによって、前記第２のアクセスネットワークデバイスによって送信される選択されたセルに関する情報を受信するステップと、
前記第１のアクセスネットワークデバイスによって、前記選択されたセルに関する前記情報に基づいて前記ページングエリア構成情報を生成するステップと
をさらに含む請求項１４乃至１７のいずれか一項に記載の方法。
【請求項１９】
前記ページングエリア構成情報を搬送する前記第２のメッセージを前記端末デバイスへ送信する前記ステップの前に、
前記第１のアクセスネットワークデバイスによって、第１の命令メッセージを前記第２のアクセスネットワークデバイスへ送信するステップであって、前記第１の命令メッセージは、前記端末デバイスのページングエリア構成要件パラメータを前記第１のアクセスネットワークデバイスへ送信するように前記第２のアクセスネットワークデバイスに命令するために前記端末デバイスの識別子情報を搬送する、ステップと、
前記第１のアクセスネットワークデバイスによって、前記第２のアクセスネットワークデバイスによって送信される前記端末デバイスの前記ページングエリア構成要件パラメータを受信するステップと、
前記端末デバイスの前記ページングエリア構成要件パラメータに基づいて、前記第１のアクセスネットワークデバイスによって、前記端末デバイス用に構成されることになるページングエリア内に含まれるセルを決定し、前記ページングエリア構成情報を生成するステップと
をさらに含む請求項１４乃至１７のいずれか一項に記載の方法。
【請求項２０】
端末デバイスであって、
第１の状態にある前記端末デバイスのページングエリアが変更されていると決定するように構成されている決定モジュールであって、前記第１の状態は、前記端末デバイスがページングをリッスンしており、かつ前記端末デバイスの接続コンテキスト情報を格納している状態を含む、決定モジュールと、
第１のメッセージを第１のアクセスネットワークデバイスへ送信するように構成されている送信モジュールであって、前記第１のメッセージは、前記端末デバイスの前記ページングエリアが変更されていることを前記第１のアクセスネットワークデバイスに通知するために使用され、前記第１のアクセスネットワークデバイスは、前記端末デバイスのサービングアクセスネットワークデバイスである、送信モジュールと、
前記第１のメッセージに基づいて前記第１のアクセスネットワークデバイスによって送信された第２のメッセージを受信するように構成されている受信モジュールとを含み、
前記決定モジュールは、前記受信モジュールによって受信された前記第２のメッセージに基づいて、前記端末デバイスの入るべき状態を決定するように構成されており、
前記入るべき状態が第２の状態であると前記決定モジュールが決定した場合、前記格納されている接続コンテキスト情報に基づいて前記第２の状態に入るように構成されている処理モジュールであって、前記第２の状態は、前記端末デバイスおよび前記第１のアクセスネットワークデバイスが接続されていることを含む、処理モジュールを含む端末デバイス。
【請求項２１】
前記処理モジュールは、前記入るべき状態が前記第１の状態であると前記決定モジュールが決定した場合、前記第１の状態にとどまるようにさらに構成されている請求項２０に記載の端末デバイス。
【請求項２２】
前記決定モジュールは、前記第２のメッセージのタイプおよび／または前記第２のメッセージ内に含めて搬送されているコンテンツに基づいて、前記端末デバイスの前記入るべき状態を決定するように特に構成されている請求項２１に記載の端末デバイス。
【請求項２３】
前記第２のメッセージ内に含めて搬送されている前記コンテンツは、状態表示情報および／またはページングエリア構成情報を含み、
前記状態表示情報は、前記端末デバイスの前記入るべき状態を示すために使用され、前記ページングエリア構成情報は、前記端末デバイス用のページングエリア構成を更新するために使用される請求項２２に記載の端末デバイス。
【請求項２４】
前記第１のメッセージのタイプは、無線リソース制御ＲＲＣ接続再開要求メッセージであり、前記ＲＲＣ接続再開要求メッセージは、前記第１のアクセスネットワークデバイスへのＲＲＣ接続を再開するように要求するために使用され、
前記第２のメッセージの前記タイプは、ＲＲＣ接続再開メッセージまたはＲＲＣ接続拒否メッセージであり、前記ＲＲＣ接続再開メッセージは、前記ＲＲＣ接続を再開するように前記端末デバイスに命令するために使用され、前記ＲＲＣ接続拒否メッセージは、前記第１のアクセスネットワークデバイスが前記ＲＲＣ接続の再開を拒否することを示すために使用される請求項２２または２３に記載の端末デバイス。
【請求項２５】
前記ＲＲＣ接続再開要求メッセージ内の原因値は、前記端末デバイスの前記ページングエリアが変更されていることを示す請求項２４に記載の端末デバイス。
【請求項２６】
前記端末デバイス内の前記決定モジュールは、
前記第２のメッセージの前記タイプがＲＲＣ接続拒否メッセージである場合、前記入るべき状態が前記第１の状態であると決定することと、
前記第２のメッセージの前記タイプがＲＲＣ接続再開メッセージである場合、前記入るべき状態が前記第２の状態であると決定することと、
前記第２のメッセージの前記タイプがＲＲＣ接続再開メッセージであり、前記第２のメッセージ内に含めて搬送されている前記コンテンツが、前記第１の状態にいるように前記端末デバイスに命令するために使用されている場合、前記入るべき状態が前記第１の状態であると決定することと、
前記第２のメッセージの前記タイプがＲＲＣ接続再開メッセージであり、前記第２のメッセージ内に含めて搬送されている前記コンテンツが、前記第２の状態にいるように前記端末デバイスに命令するために使用されている場合、前記入るべき状態が前記第２の状態であると決定することとを行うようにさらに構成されている請求項２４または２５に記載の端末デバイス。
【請求項２７】
前記第２のメッセージの前記タイプは、ＲＲＣ接続再開メッセージであり、
前記処理モジュールは、前記決定モジュールが、前記ＲＲＣ接続再開メッセージに基づいて、前記入るべき状態が前記第１の状態であると決定した場合、前記ＲＲＣ接続再開メッセージ内の、前記ＲＲＣ接続を再開するために使用される暗号化パラメータを無視するようにさらに構成されている請求項２６に記載の端末デバイス。
【請求項２８】
前記第２のメッセージは、ＲＲＣ接続拒否メッセージであり、
前記処理モジュールは、前記決定モジュールが、前記ＲＲＣ接続拒否メッセージに基づいて、前記入るべき状態が前記第１の状態であると決定した場合、前記ＲＲＣ接続拒否メッセージ内に含まれている待ち時間情報を無視するようにさらに構成されており、前記待ち時間情報は、前記端末デバイスと前記第１のアクセスネットワークデバイスとの間における前記ＲＲＣ接続を再開するために必要とされる待ち時間を示すために使用される請求項２６に記載の端末デバイス。
【請求項２９】
前記受信モジュールは、第２のアクセスネットワークデバイスによって送信された命令情報を受信するようにさらに構成されており、前記命令情報は、前記第１の状態に入るように前記端末デバイスに命令するために使用され、前記命令情報は、前記端末デバイス用のページングエリアを構成するために使用されるページングエリア構成情報を含む請求項２０乃至２８のいずれか一項に記載の端末デバイス。
【請求項３０】
アクセスネットワークデバイスであって、
第１の状態にある端末デバイスによって送信された第１のメッセージを受信するように構成されている受信モジュールであって、前記第１のメッセージは、前記端末デバイスのページングエリアが変更されていることを前記アクセスネットワークデバイスに通知するために使用され、前記第１の状態は、前記端末デバイスがページングをリッスンしており、かつ前記端末デバイスの接続コンテキスト情報を格納している状態を含む、受信モジュールと、
第２のアクセスネットワークデバイスから前記端末デバイスの前記接続コンテキスト情報を入手するように構成されている入手モジュールであって、前記第２のアクセスネットワークデバイスは、前記端末デバイス用に構成されているページングエリア内に含まれているセルに対応するアクセスネットワークデバイスであるか、または前記端末デバイスの前記接続コンテキスト情報を格納するように構成されている所定のアクセスネットワークデバイスである、入手モジュールと、
前記端末デバイスの入るべき状態を決定するように構成されている決定モジュールと、
前記入るべき状態が第２の状態であると前記決定モジュールが決定した場合、前記端末デバイスの前記接続コンテキスト情報に基づいて、前記第２の状態に入るように前記端末デバイスに命令するために使用される第２のメッセージを、前記端末デバイスへ送信するように構成されている送信モジュールとを含むアクセスネットワークデバイス。
【請求項３１】
前記送信モジュールは、前記入るべき状態が前記第１の状態であると前記決定モジュールが決定した場合、前記第１の状態にとどまるように前記端末デバイスに命令するために使用される第２のメッセージを前記端末デバイスへ送信するようにさらに構成されている請求項３０に記載のアクセスネットワークデバイス。
【請求項３２】
前記第２のメッセージは、前記第２のメッセージのタイプおよび／またはコンテンツを使用することによって前記端末デバイスの前記入るべき状態を示す請求項３１に記載のアクセスネットワークデバイス。
【請求項３３】
前記第２のメッセージ内に含めて搬送されている前記コンテンツは、状態表示情報および／またはページングエリア構成情報を含み、
前記状態表示情報は、前記端末デバイスの前記入るべき状態を示すために使用され、前記ページングエリア構成情報は、前記端末デバイス用のページングエリア構成を更新するために使用される請求項３２に記載のアクセスネットワークデバイス。
【請求項３４】
前記第１のメッセージのタイプは、無線リソース制御ＲＲＣ接続再開要求メッセージであり、前記ＲＲＣ接続再開要求メッセージは、前記第１のアクセスネットワークデバイスへのＲＲＣ接続を再開するように要求するために使用され、
前記第２のメッセージの前記タイプは、ＲＲＣ接続再開メッセージまたはＲＲＣ接続拒否メッセージであり、前記ＲＲＣ接続再開メッセージは、前記ＲＲＣ接続を再開するように前記端末デバイスに命令するために使用され、前記ＲＲＣ接続拒否メッセージは、前記第１のアクセスネットワークデバイスが前記ＲＲＣ接続の再開を拒否することを示すために使用される請求項３３に記載のアクセスネットワークデバイス。
【請求項３５】
前記ＲＲＣ接続再開要求メッセージ内の原因値は、前記端末デバイスの前記ページングエリアが変更されていることを示す請求項３４に記載のアクセスネットワークデバイス。
【請求項３６】
メッセージタイプがＲＲＣ接続拒否メッセージである前記第２のメッセージは、前記第１の状態にとどまるように前記端末デバイスに命令するために使用され、
前記第１の状態に入るように前記端末デバイスに命令するコンテンツを搬送する、メッセージタイプがＲＲＣ接続再開メッセージである前記第２のメッセージは、前記第１の状態にとどまるように前記端末デバイスに命令するために使用され、
メッセージタイプがＲＲＣ接続再開メッセージである前記第２のメッセージは、前記第２の状態に入るように前記端末デバイスに命令するために使用され、
前記第２の状態に入るように前記端末デバイスに命令するために使用されるコンテンツを搬送する、メッセージタイプがＲＲＣ接続再開メッセージである前記第２のメッセージは、前記第２の状態に入るように前記端末デバイスに命令するために使用される
請求項３４または３５に記載のアクセスネットワークデバイス。
【請求項３７】
前記送信モジュールは、候補セルに関する情報を前記第２のアクセスネットワークデバイスへ送信するようにさらに構成されており、
前記受信モジュールは、前記第２のアクセスネットワークデバイスによって送信される選択されたセルに関する情報を受信するようにさらに構成されており、
前記決定モジュールは、前記選択されたセルに関する前記情報に基づいて前記ページングエリア構成情報を生成するようにさらに構成されている請求項３３乃至３６のいずれか一項に記載のアクセスネットワークデバイス。
【請求項３８】
前記送信モジュールは、第１の命令メッセージを前記第２のアクセスネットワークデバイスへ送信するようにさらに構成されており、前記第１の命令メッセージは、前記端末デバイスのページングエリア構成要件パラメータを前記アクセスネットワークデバイスへ送信するように前記第２のアクセスネットワークデバイスに命令するために前記端末デバイスの識別子情報を搬送し、
前記受信モジュールは、前記第２のアクセスネットワークデバイスによって送信される前記端末デバイスの前記ページングエリア構成要件パラメータを受信するようにさらに構成されており、
前記決定モジュールは、前記端末デバイスの前記ページングエリア構成要件パラメータに基づいて、前記端末デバイス用に構成されることになるページングエリア内に含まれるセルを決定し、前記ページングエリア構成情報を生成するようにさらに構成されている請求項３３乃至３７のいずれか一項に記載のアクセスネットワークデバイス。
【発明の詳細な説明】
【技術分野】
【０００１】
本出願は、通信分野に関連しており、より具体的には、通信方法、端末デバイス、およびアクセスネットワークデバイスに関連している。
【背景技術】
【０００２】
ロングタームエボリューション（Ｌｏｎｇ  Ｔｅｒｍ  Ｅｖｏｌｕｔｉｏｎ、略して「ＬＴＥ」）／システムアーキテクチャーエボリューション（Ｓｙｓｔｅｍ  Ａｒｃｈｉｔｅｃｔｕｒｅ  Ｅｖｏｌｕｔｉｏｎ、略して「ＳＡＥ」）システムにおいて、トラッキングエリア更新（Ｔｒａｃｋｉｎｇ  Ａｒｅａ  Ｕｐｄａｔｅ、略して「ＴＡＵ」）プロセスを使用することによって端末のロケーションが管理される。モビリティー管理エンティティー（Ｍｏｂｉｌｉｔｙ  Ｍａｎａｇｅｍｅｎｔ  Ｅｎｔｉｔｙ、略して「ＭＭＥ」）は、端末デバイスが配置されているトラッキングエリア（Ｔｒａｃｋｉｎｇ  Ａｒｅａ、略して「ＴＡ」）を知ることが可能である。アイドル状態にある端末デバイスは、ＭＭＥに通知することなくＴＡ内を自由に移動することが可能である。アイドル状態にある端末デバイスが１つのＴＡから別のＴＡへ移動した場合、ＭＭＥ内に格納されているＵＥのロケーション情報を変更するようにＭＭＥに命令するために、新たなＴＡにおいてロケーション登録が再び実行される必要がある。これが、ＴＡＵプロセスである。
【０００３】
ＴＡＵプロセスにおいて、端末デバイスは、無線リソース制御（Ｒａｄｉｏ  Ｒｅｓｏｕｒｃｅ  Ｃｏｎｔｒｏｌ、略して「ＲＲＣ」）接続セットアップ要求メッセージをアクセスネットワークデバイスへ送信する必要がある。ＲＲＣ接続セットアップ要求メッセージを受信した後に、アクセスネットワークデバイスは、ＲＲＣ接続セットアップメッセージを端末デバイスへ送信する。次いで端末デバイスは、ＲＲＣ接続セットアップ完了メッセージを用いて応答し、非アクセス層（Ｎｏｎ−Ａｃｃｅｓｓ  Ｓｔｒａｔｕｍ、略して「ＮＡＳ」）プロトコルデータユニット（Ｐｒｏｔｏｃｏｌ  Ｄａｔａ  Ｕｎｉｔ、略して「ＰＤＵ」）をＲＲＣ接続セットアップ完了メッセージへ搬送する。ＮＡＳ  ＰＤＵは、ＴＡＵシグナリングを含む。ＮＡＳ  ＰＤＵは、アクセスネットワークデバイスによってＭＭＥへ転送されて、端末デバイスがＴＡを去ったことをＭＭＥに通知する。ＭＭＥは、アクセスネットワークデバイスを通じてＴＡＵ受け入れ情報を端末デバイスへ送信し、シグナリングを使用することによって端末デバイスのために新たなＴＡを構成する。端末デバイスとアクセスネットワークデバイスとの間において、およびアクセスネットワークデバイスとコアネットワークデバイスとの間において複数片のシグナリングがあるので、シグナリングオーバーヘッドは比較的高い。
【発明の概要】
【０００４】
本出願の実施形態は、シグナリングオーバーヘッドを低減するための通信方法、端末デバイス、およびアクセスネットワークデバイスを提供する。
【０００５】
第１の態様によれば、本出願の実施形態は、第１の状態にある端末デバイスによって、端末デバイスのページングエリアが変更されていると決定するステップであって、第１の状態は、端末デバイスがページングをリッスンしており、かつ端末デバイスの接続コンテキスト情報を格納している状態を含む、ステップと、端末デバイスによって、第１のメッセージを第１のアクセスネットワークデバイスへ送信するステップであって、第１のメッセージは、端末デバイスのページングエリアが変更されていることを第１のアクセスネットワークデバイスに通知するために使用され、第１のアクセスネットワークデバイスは、端末デバイスのサービングアクセスネットワークデバイスである、ステップと、端末デバイスによって、第１のメッセージに基づいて第１のアクセスネットワークデバイスによって送信された第２のメッセージを受信するステップと、端末デバイスによって第２のメッセージに基づいて、端末デバイスの入るべき状態を決定するステップと、入るべき状態が第２の状態であると端末デバイスが決定した場合、端末デバイスによって、格納されている接続コンテキスト情報に基づいて第２の状態に入るステップであって、第２の状態は、端末デバイスおよび第１のアクセスネットワークデバイスが接続されていることを含む、ステップとを含む通信方法を提供する。
【０００６】
したがって、本出願のこの実施形態において、構成されているページングエリアを去った後に、第１の状態にある端末デバイスは、端末デバイスのページングエリアが変更されていることを第１のアクセスネットワークデバイスに通知するために使用される第１のメッセージを第１のアクセスネットワークデバイスへ送信し、端末デバイスは、第１のアクセスネットワークデバイスによって送信された第２のメッセージに基づいて、端末デバイスの入るべき状態を決定する。端末デバイスが接続状態に入る必要がある場合、端末デバイスは、アクセスネットワークデバイスへの別の接続をセットアップすることなく、格納されている接続コンテキスト情報に基づいて接続状態に直接入ることが可能である。このようにして、端末デバイスは、接続状態に迅速に入ることが可能である。加えて、端末デバイスは、端末デバイスのページングエリアが変更されていることをコアネットワークデバイスに通知する必要はない。これは、アクセスネットワークデバイスとコアネットワークデバイスとの間におけるシグナリングを低減し、それによってシグナリングオーバーヘッドを低減することが可能である。
【０００７】
第１の態様に関連して、第１の態様の第１の可能な実装において、方法は、入るべき状態が第１の状態であると端末デバイスが決定した場合、端末デバイスによって、第１の状態にとどまるステップをさらに含む。
【０００８】
第１の態様の第１の可能な実装に関連して、第１の態様の第２の可能な実装において、端末デバイスが、接続コンテキスト情報に基づいて第２の状態に入った場合、方法は、端末デバイスによって、第３のメッセージを第１のアクセスネットワークデバイスへ送信するステップであって、第３のメッセージは、端末デバイスが第２の状態に入ったことを第１のアクセスネットワークデバイスに通知するために使用される、ステップをさらに含む。
【０００９】
第１の態様の第１または第２の可能な実装に関連して、第１の態様の第３の可能な実装において、端末デバイスが、第１の状態にとどまることを決定した場合、方法は、端末デバイスによって、格納されているコンテキスト情報に基づいて第４のメッセージを第１のアクセスネットワークデバイスへ送信するステップであって、第４のメッセージは、端末デバイスが第２のメッセージを受信したことを示すために使用される、ステップをさらに含む。
【００１０】
第１の態様の第１から第３の可能な実装のいずれか１つに関連して、第１の態様の第４の可能な実装において、端末デバイスは、共通チャネルの第１のシグナリングチャネルを使用することによって第１のメッセージを第１のアクセスネットワークデバイスへ送信し、端末デバイスは、専用チャネルの第２のシグナリングチャネルを使用することによって、第１のアクセスネットワークデバイスによって送信された第２のメッセージを受信する。
【００１１】
第１の態様の第１から第４の可能な実装のいずれか１つに関連して、第１の態様の第５の可能な実装において、端末デバイスは、端末デバイスの接続コンテキスト情報内に保存されているシグナリングチャネルパラメータに基づいて第２のシグナリングチャネルをアクティブ化し、第２のシグナリングチャネルを使用することによって第２のメッセージを受信する。
【００１２】
第１の態様の第１から第５の可能な実装のいずれか１つに関連して、第１の態様の第６の可能な実装において、端末デバイスによって第２のメッセージに基づいて、端末デバイスの入るべき状態を決定するステップは、端末デバイスによって、第２のメッセージのタイプおよび／または第２のメッセージ内に含めて搬送されているコンテンツに基づいて、端末デバイスの入るべき状態を決定するステップを含む。
【００１３】
第１の態様の第６の可能な実装に関連して、第１の態様の第７の可能な実装において、第２のメッセージ内に含めて搬送されているコンテンツは、状態表示情報および／またはページングエリア構成情報を含み、
状態表示情報は、端末デバイスの入るべき状態を示すために使用され、ページングエリア構成情報は、端末デバイス用のページングエリア構成を更新するために使用される。
【００１４】
第１の態様の第６または第７のいずれかの可能な実装に関連して、第１の態様の第８の可能な実装において、第１のメッセージのタイプは、ＲＲＣ接続再開要求メッセージであり、ＲＲＣ接続再開要求メッセージは、第１のアクセスネットワークデバイスへのＲＲＣ接続を再開するように要求するために使用され、
第２のメッセージのタイプは、ＲＲＣ接続再開メッセージまたはＲＲＣ接続拒否メッセージであり、ＲＲＣ接続再開メッセージは、ＲＲＣ接続を再開するように端末デバイスに命令するために使用され、ＲＲＣ接続拒否メッセージは、第１のアクセスネットワークデバイスがＲＲＣ接続の再開を拒否することを示すために使用される。
【００１５】
加えて、端末デバイスが第２の状態に入る必要がある場合、端末デバイスは、ＲＲＣ接続再開メッセージを受け入れることによって接続状態に迅速に入ることが可能である。
【００１６】
第１の態様の第８の可能な実装に関連して、第１の態様の第９の可能な実装において、ＲＲＣ接続再開要求メッセージ内の原因値は、端末デバイスのページングエリアが変更されていることを示す。
【００１７】
したがって、本出願のこの実施形態において、第１のメッセージは、ＲＲＣ接続再開要求メッセージであり、それによって、既存のメッセージフォーマットが効果的に使用されることが可能であり、既存のプロトコルにおける変更を伴うことなく、第１のアクセスネットワークデバイスは、端末デバイスのページングエリアが変更されていることを通知されることが可能である。
【００１８】
第１の態様の第８または第９のいずれかの可能な実装に関連して、第１の態様の第１０の可能な実装において、端末デバイスによって、第２のメッセージのタイプおよび／または第２のメッセージ内に含めて搬送されているコンテンツに基づいて、端末デバイスの入るべき状態を決定するステップは、第２のメッセージのタイプがＲＲＣ接続拒否メッセージである場合、端末デバイスによって、入るべき状態が第１の状態であると決定するステップと、第２のメッセージのタイプがＲＲＣ接続再開メッセージである場合、端末デバイスによって、入るべき状態が第２の状態であると決定するステップと、第２のメッセージのタイプがＲＲＣ接続再開メッセージであり、第２のメッセージ内に含めて搬送されているコンテンツが、端末デバイスの入るべき状態が第１の状態であることを示すために使用されている場合、端末デバイスによって、端末デバイスが第１の状態にいる必要があると決定するステップと、第２のメッセージのタイプがＲＲＣ接続再開メッセージであり、第２のメッセージ内に含めて搬送されているコンテンツが、第２の状態にいるように端末デバイスに命令するために使用されている場合、端末デバイスによって、入るべき状態が第２の状態であると決定するステップとを含む。
【００１９】
第１の態様の第１０の可能な実装に関連して、第１の態様の第１１の可能な実装において、第２のメッセージのタイプは、ＲＲＣ接続再開メッセージであり、
方法は、端末デバイスが、ＲＲＣ接続再開メッセージに基づいて、入るべき状態が第１の状態であると決定した場合、端末デバイスによって、ＲＲＣ接続再開メッセージ内の、ＲＲＣ接続を再開するために使用される暗号化パラメータを無視するステップをさらに含む。
【００２０】
したがって、端末デバイスが第１の状態にいる必要があると決定した場合、端末デバイスは、暗号化パラメータを無視し、第１の状態にとどまり得る。このようにして、端末デバイスが、第１の状態にとどまることを決定した場合でさえ暗号化パラメータに基づいて接続状態に入るということが回避されることが可能である。
【００２１】
第１の態様の第１０の可能な実装に関連して、第１の態様の第１２の可能な実装において、第２のメッセージは、ＲＲＣ接続拒否メッセージであり、
方法は、端末デバイスが、ＲＲＣ接続拒否メッセージに基づいて、入るべき状態が第１の状態であると決定した場合、端末デバイスによって、ＲＲＣ接続拒否メッセージ内に含まれている待ち時間情報を無視するステップであって、待ち時間情報は、端末デバイスと第１のアクセスネットワークデバイスとの間におけるＲＲＣ接続を再開するために必要とされる待ち時間を示すために使用される、ステップと、
ＲＲＣ接続拒否メッセージが、第１のアクセスネットワークデバイスへのＲＲＣ接続を再開するように要求するために使用されるＲＲＣ接続再開要求メッセージに応答した場合、端末デバイスによって、ＲＲＣ接続拒否情報内に含まれている待ち時間情報に基づいてタイマーを始動して、タイマー内で第１の状態にとどまるステップとをさらに含む。
【００２２】
したがって、本出願のこの実施形態において、第２のメッセージがＲＲＣ接続再開メッセージまたはＲＲＣ接続拒否メッセージである場合、端末デバイスの入るべき状態を示すために既存のメッセージがフルに使用されることも可能である。
【００２３】
加えて、端末デバイスが第２の状態に入る必要がある場合、端末デバイスは、ＲＲＣ接続再開メッセージを受け入れることによって接続状態に迅速に入ることが可能である。
【００２４】
第１の態様、または第１の態様のいずれかの可能な実装に関連して、第１の態様の第１３の可能な実装において、第１の状態にある端末デバイスによって、端末デバイスのページングエリアが変更されていると決定するステップの前に、方法は、第２のアクセスネットワークデバイスによって送信された命令情報を受信するステップをさらに含み、命令情報は、第１の状態に入るように端末デバイスに命令するために使用され、命令情報は、端末デバイス用のページングエリアを構成するために使用されるページングエリア構成情報を含む。
【００２５】
第２の態様によれば、本出願の実施形態は、第１のアクセスネットワークデバイスによって、第１の状態にある端末デバイスによって送信された第１のメッセージを受信するステップであって、第１のメッセージは、端末デバイスのページングエリアが変更されていることを第１のアクセスネットワークデバイスに通知するために使用され、第１の状態は、端末デバイスがページングをリッスンしており、かつ端末デバイスの接続コンテキスト情報を格納している状態を含む、ステップと、第１のアクセスネットワークデバイスによって、第２のアクセスネットワークデバイスから端末デバイスの接続コンテキスト情報を入手するステップであって、第２のアクセスネットワークデバイスは、端末デバイス用に構成されているページングエリア内に含まれているセルに対応するアクセスネットワークデバイスであるか、または端末デバイスの接続コンテキスト情報を格納するように構成されている所定のアクセスネットワークデバイスである、ステップと、第１のアクセスネットワークデバイスによって、端末デバイスの入るべき状態を決定するステップと、入るべき状態が第２の状態であると第１のアクセスネットワークデバイスが決定した場合、第２の状態に入るように端末デバイスに命令するために使用される第２のメッセージを、端末デバイスの接続コンテキスト情報に基づいて第１のアクセスネットワークデバイスによって端末デバイスへ送信するステップとを含む通信方法を提供する。
【００２６】
したがって、本出願のこの実施形態において、構成されているページングエリアを去った後に、第１の状態にある端末デバイスは、端末デバイスのページングエリアが変更されていることを第１のアクセスネットワークデバイスに通知するために使用される第１のメッセージを第１のアクセスネットワークデバイスへ送信し、端末デバイスは、第１のアクセスネットワークデバイスによって送信された第２のメッセージに基づいて、端末デバイスの入るべき状態を決定する。端末デバイスが接続状態に入る必要がある場合、端末デバイスは、アクセスネットワークデバイスへの別の接続をセットアップすることなく、格納されている接続コンテキスト情報に基づいて接続状態に直接入ることが可能である。このようにして、端末デバイスは、接続状態に迅速に入ることが可能である。
【００２７】
加えて、第１のアクセスネットワークデバイスは、第２のアクセスネットワークデバイスから接続コンテキスト情報を入手し、それによって、第１のアクセスネットワークデバイスは、端末デバイスが第２の状態に入る必要があると決定した場合、接続コンテキストに基づいて端末デバイスへの接続を迅速にセットアップすることが可能である。
【００２８】
第２の態様に関連して、第２の態様の第１の可能な実装において、方法は、入るべき状態が第１の状態であると第１のアクセスネットワークデバイスが決定した場合、第１の状態にとどまるように端末デバイスに命令するために使用される第２のメッセージを、第１のアクセスネットワークデバイスによって端末デバイスへ送信するステップをさらに含む。
【００２９】
第２の態様の第１の可能な実装に関連して、第２の態様の第２の可能な実装において、第２の状態に入るように端末デバイスに命令するために使用される第２のメッセージを、端末デバイスの接続コンテキスト情報に基づいて第１のアクセスネットワークデバイスによって端末デバイスへ送信するステップの後に、方法は、第１のアクセスネットワークデバイスによって、端末デバイスによって送信された第３のメッセージを受信するステップであって、第３のメッセージは、端末デバイスが第２の状態に入ったことを第１のアクセスネットワークデバイスに通知するために使用される、ステップをさらに含む。
【００３０】
第２の態様の第１または第２の可能な実装に関連して、第２の態様の第３の可能な実装において、第１の状態にとどまるように端末デバイスに命令するために使用される第２のメッセージを、第１のアクセスネットワークデバイスによって端末デバイスへ送信するステップの後に、方法は、第１のアクセスネットワークデバイスによって、格納されているコンテキスト情報に基づいて端末デバイスによって送信された第４のメッセージを受信するステップであって、第４のメッセージは、端末デバイスが第２のメッセージを受信したことを示すために使用される、ステップをさらに含む。
【００３１】
第２の態様の第１から第３の可能な実装のいずれか１つに関連して、第２の態様の第４の可能な実装において、第１のアクセスネットワークデバイスは、共通チャネルの第１のシグナリングチャネルを使用することによって、端末デバイスによって送信された第１のメッセージを受信し、第１のアクセスネットワークデバイスは、専用チャネルの第２のシグナリングチャネルを使用することによって第２のメッセージを端末デバイスへ送信する。
【００３２】
第２の態様の第１から第４の可能な実装のいずれか１つに関連して、第２の態様の第５の可能な実装において、第１のアクセスネットワークデバイスは、端末デバイスの接続コンテキスト情報に基づいて第２のシグナリングチャネルをアクティブ化し、第２のシグナリングチャネルを使用することによって第２のメッセージを端末デバイスへ送信する。
【００３３】
第２の態様の第１から第５の可能な実装のいずれか１つに関連して、第２の態様の第６の可能な実装において、第１のメッセージは、第２のアクセスネットワークデバイスの識別子情報をさらに含み、第２のアクセスネットワークデバイスは、端末デバイスのコンテキスト情報を格納しており、
第１のアクセスネットワークデバイスによって、第２のアクセスネットワークデバイスから端末デバイスの接続コンテキスト情報を入手するステップは、第１のアクセスネットワークデバイスによって、第２のアクセスネットワークデバイスの識別子情報に基づいて第２のアクセスネットワークデバイスを決定するステップと、端末デバイスの接続コンテキスト情報を要求するために使用される要求メッセージを、第１のアクセスネットワークデバイスによって第２のアクセスネットワークデバイスへ送信するステップと、第１のアクセスネットワークデバイスによって、第２のアクセスネットワークデバイスによって送信される端末デバイスの接続コンテキスト情報を受信するステップとを含む。
【００３４】
したがって、第１のアクセスネットワークデバイスは、第２のアクセスネットワークデバイスから端末デバイスの接続コンテキスト情報を入手し、それによって、第１のアクセスネットワークデバイスは、端末デバイスが第２の状態にいる必要があると決定した場合には端末デバイスの接続コンテキストに基づいて端末デバイスへの接続を迅速に再開することが可能である。
【００３５】
第２の態様の第１から第６の可能な実装のいずれか１つに関連して、第２の態様の第７の可能な実装において、第２のメッセージは、第２のメッセージのタイプおよび／またはコンテンツを使用することによって端末デバイスの入るべき状態を示す。
【００３６】
第２の態様の第７の可能な実装に関連して、第２の態様の第８の可能な実装において、第２のメッセージ内に含めて搬送されているコンテンツは、状態表示情報および／またはページングエリア構成情報を含み、
状態表示情報は、端末デバイスの入るべき状態を示すために使用され、ページングエリア構成情報は、端末デバイス用のページングエリア構成を更新するために使用される。
【００３７】
第２の態様の第８の可能な実装に関連して、第２の態様の第９の可能な実装において、第１のメッセージのタイプは、ＲＲＣ接続再開要求メッセージであり、ＲＲＣ接続再開要求メッセージは、第１のアクセスネットワークデバイスへのＲＲＣ接続を再開するように要求するために使用され、
第２のメッセージのタイプは、ＲＲＣ接続再開メッセージまたはＲＲＣ接続拒否メッセージであり、ＲＲＣ接続再開メッセージは、ＲＲＣ接続を再開するように端末デバイスに命令するために使用され、ＲＲＣ接続拒否メッセージは、第１のアクセスネットワークデバイスがＲＲＣ接続の再開を拒否することを示すために使用される。
【００３８】
第２の態様の第９の可能な実装に関連して、第２の態様の第１０の可能な実装において、ＲＲＣ接続再開要求メッセージ内の原因値は、端末デバイスのページングエリアが変更されていることを示す。
【００３９】
第２の態様の第９または第１０の可能な実装に関連して、第２の態様の第１１の可能な実装において、メッセージタイプがＲＲＣ接続拒否メッセージである第２のメッセージは、第１の状態にとどまるように端末デバイスに命令するために使用され、
第１の状態に入るように端末デバイスに命令するコンテンツを搬送する、メッセージタイプがＲＲＣ接続再開メッセージである第２のメッセージは、第１の状態にとどまるように端末デバイスに命令するために使用され、
メッセージタイプがＲＲＣ接続再開メッセージである第２のメッセージは、第２の状態に入るように端末デバイスに命令するために使用され、
第２の状態に入るように端末デバイスに命令するために使用されるコンテンツを搬送する、メッセージタイプがＲＲＣ接続再開メッセージである第２のメッセージは、第２の状態に入るように端末デバイスに命令するために使用される。
【００４０】
第２の態様の第８から第１１の可能な実装のいずれか１つに関連して、第２の態様の第１２の可能な実装において、ページングエリア構成情報を搬送する第２のメッセージを端末デバイスへ送信するステップの前に、方法は、第１のアクセスネットワークデバイスによって、候補セルに関する情報を第２のアクセスネットワークデバイスへ送信するステップと、第１のアクセスネットワークデバイスによって、第２のアクセスネットワークデバイスによって送信される選択されたセルに関する情報を受信するステップと、第１のアクセスネットワークデバイスによって、選択されたセルに関する情報に基づいてページングエリア構成情報を生成するステップとをさらに含む。
【００４１】
第２の態様の第８から第１１の可能な実装のいずれか１つに関連して、第２の態様の第１３の可能な実装において、ページングエリア構成情報を搬送する第２のメッセージを端末デバイスへ送信するステップの前に、方法は、第１のアクセスネットワークデバイスによって、第１の命令メッセージを第２のアクセスネットワークデバイスへ送信するステップであって、第１の命令メッセージは、端末デバイスのページングエリア構成要件パラメータを第１のアクセスネットワークデバイスへ送信するように第２のアクセスネットワークデバイスに命令するために端末デバイスの識別子情報を搬送する、ステップと、第１のアクセスネットワークデバイスによって、第２のアクセスネットワークデバイスによって送信される端末デバイスのページングエリア構成要件パラメータを受信するステップと、端末デバイスのページングエリア構成要件パラメータに基づいて、第１のアクセスネットワークデバイスによって、端末デバイス用に構成されることになるページングエリア内に含まれるセルを決定し、ページングエリア構成情報を生成するステップとをさらに含む。
【００４２】
第２の態様の第１３の可能な実装に関連して、第２の態様の第１４の可能な実装において、第１のアクセスネットワークデバイスが、端末デバイスのページングエリア構成要件パラメータに基づいてページングエリア構成情報を生成した後に、第１のアクセスネットワークデバイスは、ページングエリア構成情報を第２のアクセスネットワークデバイスへ送信する。このようにして、端末デバイスをページングするためのページング情報を受信した後に、第２のアクセスネットワークデバイスは、ページングエリア構成情報に基づいて決定されたページングエリア内に含まれているセル内の端末デバイスをページングすることが可能である。
【００４３】
第３の態様によれば、本出願の実施形態は、第２のアクセスネットワークデバイスによって、第１のアクセスネットワークデバイスによって送信された第１の命令メッセージを受信するステップであって、第１の命令メッセージは、端末デバイスの接続コンテキスト情報を要求するために端末デバイスの識別子情報を搬送し、第１の命令メッセージは、第１のメッセージを受信した後に第１のアクセスネットワークデバイスによって送信され、第１のメッセージは、第１の状態にある端末デバイスのページングエリアが変更されていることを第１のアクセスネットワークデバイスに通知するために使用され、第１のアクセスネットワークデバイスは、端末デバイスのサービングアクセスネットワークデバイスであり、第１の状態は、端末デバイスがページングをリッスンしており、かつ端末デバイスの接続コンテキスト情報を格納している状態を含む、ステップと、第２のアクセスネットワークデバイスによって、端末デバイスの識別子情報に基づいて端末デバイスの接続コンテキスト情報を決定するステップと、第２のアクセスネットワークデバイスによって、コンテキスト転送メッセージを第１のアクセスネットワークデバイスへ送信するステップであって、コンテキスト転送メッセージは、端末デバイスの接続コンテキスト情報を含む、ステップとを含む通信方法を提供する。
【００４４】
第３の態様に関連して、第３の態様の第１の可能な実装において、第２のアクセスネットワークデバイスによって、第１のアクセスネットワークデバイスによって送信された第１の命令メッセージを受信するステップの前に、方法は、端末デバイスが第２のアクセスネットワークデバイスのセルに配置されている場合、第１の状態に入るように命令する情報を第２のアクセスネットワークデバイスによって端末デバイスへ送信するステップをさらに含む。
【００４５】
第３の態様、または第３の態様の第１の可能な実装に関連して、第３の態様の第２の可能な実装において、方法は、第２のアクセスネットワークデバイスによって、第１のアクセスネットワークデバイスによって送信される候補セルに関する情報を受信するステップと、第２のアクセスネットワークデバイスによって、選択されるセルを候補セルに基づいて決定するステップと、第２のアクセスネットワークデバイスによって、選択されたセルに関する情報を第１のアクセスネットワークデバイスへ送信するステップとをさらに含む。
【００４６】
第３の態様、または第３の態様の第１の可能な実装に関連して、第３の態様の第３の可能な実装において、方法は、第２のアクセスネットワークデバイスによって、第１のアクセスネットワークデバイスによって送信された第１の命令情報を受信するステップであって、第１の命令メッセージは、端末デバイスのページングエリア構成要件パラメータを第１のアクセスネットワークデバイスへ送信するように第２のアクセスネットワークデバイスに命令するために端末デバイスの識別子情報を搬送する、ステップと、第２のアクセスネットワークデバイスによって、端末デバイスのページングエリア構成要件パラメータを決定するステップと、第２のアクセスネットワークデバイスによって、端末デバイスのページングエリア構成要件パラメータを第１のアクセスネットワークデバイスへ送信するステップとをさらに含む。
【００４７】
第３の態様の第３の可能な実装に関連して、第３の態様の第４の可能な実装において、方法は、第２のアクセスネットワークデバイスによって、端末デバイスのページングエリア構成要件パラメータに基づいて生成されて第１のアクセスネットワークデバイスによって送信されるページングエリア構成情報を受信するステップをさらに含む。
【００４８】
第４の態様によれば、本出願の実施形態は、第１のアクセスネットワークデバイスによって、端末デバイスによって送信された第１のメッセージを受信するステップであって、第１のメッセージは、端末デバイスのページングエリアが変更されていることを第１のアクセスネットワークデバイスに通知するために使用される、ステップと、第１のアクセスネットワークデバイスによって、ページングエリア構成情報を決定するステップであって、ページングエリア構成情報は、端末デバイス用のページングエリア構成を更新するために使用される、ステップと、ページングエリア構成情報を含む第２のメッセージを第１のアクセスネットワークデバイスによって端末デバイスへ送信するステップとを含む通信方法を提供する。
【００４９】
したがって、第１のアクセスネットワークデバイスは、端末デバイスが配置されているページングエリア内に含まれているセルを知っており、それによって、端末デバイスをページングするためのページング情報を受信した後に、第１のアクセスネットワークデバイスは、ページングエリア構成情報に基づいて決定されたページングエリア内に含まれているセル内の端末デバイスをページングすることが可能であり、コアネットワークデバイスは、端末デバイスが配置されているページングエリアを知っている必要はない。
【００５０】
第４の態様に関連して、第４の態様の第１の可能な実装において、第１のアクセスネットワークデバイスによって、ページングエリア構成情報を決定するステップは、第１のアクセスネットワークデバイスによって、命令メッセージを第２のアクセスネットワークデバイスへ送信するステップであって、命令メッセージは、ページングエリア構成情報を決定するために使用される情報を第１のアクセスネットワークデバイスへ送信するように第２のアクセスネットワークデバイスに命令するために端末デバイスの識別子情報を搬送する、ステップと、第１のアクセスネットワークデバイスによって、第２のアクセスネットワークデバイスによって送信されてページングエリア構成情報を決定するために使用される情報を受信するステップと、第１のアクセスネットワークデバイスによって、ページングエリア構成情報を決定するために使用される情報に基づいてページングエリア構成情報を決定するステップとを含む。
【００５１】
第４の態様の第１の可能な実装に関連して、第４の態様の第２の可能な実装において、第１のアクセスネットワークデバイスによって、命令メッセージを第２のアクセスネットワークデバイスへ送信するステップは、選択されるセルを候補セルから決定するように第２のアクセスネットワークデバイスに命令するために、候補セルに関する情報を搬送する命令メッセージを、第１のアクセスネットワークデバイスによって第２のアクセスネットワークデバイスへ送信するステップであって、選択されたセルは、ページングエリア構成情報を決定するために使用される、ステップを含み、
第１のアクセスネットワークデバイスによって、第２のアクセスネットワークデバイスによって送信されてページングエリア構成情報を決定するために使用される情報を受信するステップは、第１のアクセスネットワークデバイスによって、第２のアクセスネットワークデバイスによって送信される、選択されたセルに関する情報を受信するステップを含み、
第１のアクセスネットワークデバイスによって、ページングエリア構成情報を決定するために使用される情報に基づいてページングエリア構成情報を決定するステップは、第１のアクセスネットワークデバイスによって、選択されたセルを、端末デバイス用に構成されることになるページングエリア内に含まれるセルとして決定し、ページングエリア構成情報を生成するステップを含む。
【００５２】
第４の態様の第１の可能な実装に関連して、第４の態様の第３の可能な実装において、第１のアクセスネットワークデバイスによって、命令メッセージを第２のアクセスネットワークデバイスへ送信するステップは、第１のアクセスネットワークデバイスによって、端末デバイスのページングエリア構成要件パラメータを第１のアクセスネットワークデバイスへ送信することを決定するように第２のアクセスネットワークデバイスに命令するための命令情報を第２のアクセスネットワークデバイスへ送信するステップであって、ページングエリア構成要件パラメータは、ページングエリア構成情報を決定するために使用される、ステップを含み、
第１のアクセスネットワークデバイスによって、第２のアクセスネットワークデバイスによって送信されてページングエリア構成情報を決定するために使用される情報を受信するステップは、第１のアクセスネットワークデバイスによって、第２のアクセスネットワークデバイスによって送信される端末デバイスのページングエリア構成要件パラメータを受信するステップを含み、
第１のアクセスネットワークデバイスによって、ページングエリア構成情報を決定するために使用される情報に基づいてページングエリア構成情報を決定するステップは、端末デバイスのページングエリア構成要件パラメータに基づいて、第１のアクセスネットワークデバイスによって、端末デバイス用に構成されることになるページングエリア内に含まれるセルを決定し、ページングエリア構成情報を生成するステップを含む。
【００５３】
第４の態様の第３の可能な実装に関連して、第４の態様の第４の可能な実装において、第１のアクセスネットワークデバイスが、端末デバイスのページングエリア構成要件パラメータに基づいてページングエリア構成情報を生成した後に、第１のアクセスネットワークデバイスは、ページングエリア構成情報を第２のアクセスネットワークデバイスへ送信する。このようにして、端末デバイスをページングするためのページング情報を受信した後に、第２のアクセスネットワークデバイスは、ページングエリア構成情報に基づいて決定されたページングエリア内に含まれているセル内の端末デバイスをページングすることが可能である。
【００５４】
第５の態様によれば、本出願の実施形態は、第２のアクセスネットワークデバイスによって、第１のアクセスネットワークデバイスによって送信された命令メッセージを受信するステップであって、命令メッセージは、端末デバイスの識別子情報を搬送し、命令情報は、ページングエリア構成情報を決定するために使用される情報を第１のアクセスネットワークデバイスへ送信するように第２のアクセスネットワークデバイスに命令するために使用される、ステップと、第２のアクセスネットワークデバイスによって、ページングエリア構成情報を決定するために使用される情報を決定するステップと、第２のアクセスネットワークデバイスによって、ページングエリア構成情報を決定するために使用される情報を第１のアクセスネットワークデバイスへ送信するステップとを含む通信方法を提供する。
【００５５】
第５の態様に関連して、第５の態様の第１の可能な実装において、第２のアクセスネットワークデバイスによって、第１のアクセスネットワークデバイスによって送信された命令情報を受信するステップは、第２のアクセスネットワークデバイスによって、第１のアクセスネットワークデバイスによって送信されて候補セルに関する情報を搬送する命令メッセージを受信するステップであって、命令メッセージは、選択されるセルを候補セルから決定するように第２のアクセスネットワークデバイスに命令するために使用されるステップを含み、
第２のアクセスネットワークデバイスによって、ページングエリア構成情報を決定するために使用される情報を決定するステップは、第２のアクセスネットワークデバイスによって、選択されるセルを候補セルに基づいて決定するステップを含み、
第２のアクセスネットワークデバイスによって、ページングエリア構成情報を決定するために使用される情報を第１のアクセスネットワークデバイスへ送信するステップは、第２のアクセスネットワークデバイスによって、選択されたセルに関する情報を第１のアクセスネットワークデバイスへ送信するステップを含む。
【００５６】
第５の態様に関連して、第５の態様の第２の可能な実装において、第２のアクセスネットワークデバイスによって、第１のアクセスネットワークデバイスによって送信された命令メッセージを受信するステップは、第２のアクセスネットワークデバイスによって、第１のアクセスネットワークデバイスによって送信された命令情報を受信するステップであって、命令メッセージは、端末デバイスのページングエリア構成要件パラメータを第１のアクセスネットワークデバイスへ送信することを決定するように第２のアクセスネットワークデバイスに命令するために使用される、ステップを含み、
第２のアクセスネットワークデバイスによって、ページングエリア構成情報を決定するために使用される情報を決定するステップは、第２のアクセスネットワークデバイスによって、端末デバイスのページングエリア構成要件パラメータを決定するステップを含み、
第２のアクセスネットワークデバイスによって、ページングエリア構成情報を決定するために使用される情報を第１のアクセスネットワークデバイスへ送信するステップは、第２のアクセスネットワークデバイスによって、端末デバイスのページングエリア構成要件パラメータを第１のアクセスネットワークデバイスへ送信するステップを含む。
【００５７】
第５の態様の第２の可能な実装に関連して、第５の態様の第３の可能な実装において、方法は、第２のアクセスネットワークデバイスによって、端末デバイスのページングエリア構成要件パラメータに基づいて生成されて第１のアクセスネットワークデバイスによって送信されるページングエリア構成情報を受信するステップをさらに含む。
【００５８】
第６の態様によれば、本出願の実施形態は、第１の態様または第１の態様のいずれかの可能な実装による方法を実行するように構成されている端末デバイスを提供する。特に、端末デバイスは、第１の態様または第１の態様のいずれかの可能な実装による方法を実行するように構成されているモジュラーユニットを含む。
【００５９】
第７の態様によれば、本出願の実施形態は、第２の態様または第２の態様のいずれかの可能な実装による方法を実行するように構成されているアクセスネットワークデバイスを提供する。特に、アクセスネットワークデバイスは、第２の態様または第２の態様のいずれかの可能な実装による方法を実行するように構成されているモジュラーユニットを含む。
【００６０】
第８の態様によれば、本出願の実施形態は、第３の態様または第３の態様のいずれかの可能な実装による方法を実行するように構成されているアクセスネットワークデバイスを提供する。特に、アクセスネットワークデバイスは、第３の態様または第３の態様のいずれかの可能な実装による方法を実行するように構成されているモジュラーユニットを含む。
【００６１】
第９の態様によれば、本出願の実施形態は、第４の態様または第４の態様のいずれかの可能な実装による方法を実行するように構成されているアクセスネットワークデバイスを提供する。特に、アクセスネットワークデバイスは、第４の態様または第４の態様のいずれかの可能な実装による方法を実行するように構成されているモジュラーユニットを含む。
【００６２】
第１０の態様によれば、本出願の実施形態は、第５の態様または第５の態様のいずれかの可能な実装による方法を実行するように構成されているアクセスネットワークデバイスを提供する。特に、アクセスネットワークデバイスは、第５の態様または第５の態様のいずれかの可能な実装による方法を実行するように構成されているモジュラーユニットを含む。
【００６３】
第１１の態様によれば、本出願の実施形態は、第１の態様または第１の態様のいずれかの可能な実装による方法を実行するように構成されている端末デバイスを提供する。端末デバイスは、プロセッサ、メモリ、受信機、および送信機を含む。メモリは、アップリンクリソーススケジューリング命令を格納するように構成されている。プロセッサは、メモリに格納されている命令を実行するように構成されており、命令によって駆動されて、第１の状態にある端末デバイスのページングエリアが変更されていると決定するというスケジューリングオペレーションを実行し、第１の状態は、端末デバイスがページングをリッスンしており、かつ端末デバイスの接続コンテキスト情報を格納している状態を含む。
【００６４】
送信機は、第１のメッセージを第１のアクセスネットワークデバイスへ送信するように構成されており、第１のメッセージは、端末デバイスのページングエリアが変更されていることを第１のアクセスネットワークデバイスに通知するために使用され、第１のアクセスネットワークデバイスは、端末デバイスのサービングアクセスネットワークデバイスである。
【００６５】
受信機は、第１のメッセージに基づいて第１のアクセスネットワークデバイスによって送信された第２のメッセージを受信するように構成されている。
【００６６】
プロセッサは、受信モジュールによって受信された第２のメッセージに基づいて、端末デバイスの入るべき状態を決定するようにさらに構成されている。
【００６７】
プロセッサは、入るべき状態が第２の状態であるとプロセッサが決定した場合、格納されている接続コンテキスト情報に基づいて第２の状態に入るようにさらに構成されており、第２の状態は、端末デバイスおよび第１のアクセスネットワークデバイスが接続されていることを含む。
【００６８】
第１２の態様によれば、本出願の実施形態は、第２の態様または第２の態様のいずれかの可能な実装による方法を実行するように構成されているアクセスネットワークデバイスを提供する。アクセスネットワークデバイスは、プロセッサ、メモリ、受信機、および送信機を含む。メモリは、アップリンクリソーススケジューリング命令を格納するように構成されている。プロセッサは、メモリに格納されている命令を実行するように構成されており、命令によって駆動されて、スケジューリングオペレーションを実行する。受信機は、第１の状態にある端末デバイスによって送信された第１のメッセージを受信するように構成されており、第１のメッセージは、端末デバイスのページングエリアが変更されていることをアクセスネットワークデバイスに通知するために使用され、第１の状態は、端末デバイスがページングをリッスンしており、かつ端末デバイスの接続コンテキスト情報を格納している状態を含む。
【００６９】
受信機は、第２のアクセスネットワークデバイスから端末デバイスの接続コンテキスト情報を入手するようにさらに構成されており、第２のアクセスネットワークデバイスは、端末デバイス用に構成されているページングエリア内に含まれているセルに対応するアクセスネットワークデバイスであるか、または端末デバイスの接続コンテキスト情報を格納するように構成されている所定のアクセスネットワークデバイスである。
【００７０】
プロセッサは、端末デバイスの入るべき状態を決定するように構成されている。
【００７１】
送信機は、入るべき状態が第２の状態であると決定された場合、第２の状態に入るように端末デバイスに命令するために使用される第２のメッセージを、端末デバイスの接続コンテキスト情報に基づいて端末デバイスへ送信するように構成されている。
【００７２】
第１３の態様によれば、本出願の実施形態は、第３の態様または第３の態様のいずれかの可能な実装による方法を実行するように構成されているアクセスネットワークデバイスを提供する。アクセスネットワークデバイスは、プロセッサ、メモリ、受信機、および送信機を含む。メモリは、アップリンクリソーススケジューリング命令を格納するように構成されている。プロセッサは、メモリに格納されている命令を実行するように構成されており、命令によって駆動されて、スケジューリングオペレーションを実行する。受信機は、第１のアクセスネットワークデバイスによって送信された第１の命令メッセージを受信するように構成されており、第１の命令メッセージは、端末デバイスの接続コンテキスト情報を要求するために端末デバイスの識別子情報を搬送し、第１の命令メッセージは、第１のメッセージを受信した後に、第１のアクセスネットワークデバイスによって送信され、第１のメッセージは、第１の状態にある端末デバイスのページングエリアが変更されていることを第１のアクセスネットワークデバイスに通知するために使用され、第１のアクセスネットワークデバイスは、端末デバイスのサービングアクセスネットワークデバイスであり、第１の状態は、端末デバイスがページングをリッスンしており、かつ端末デバイスの接続コンテキスト情報を格納している状態を含む。
【００７３】
プロセッサは、端末デバイスの識別子情報に基づいて端末デバイスの接続コンテキスト情報を決定するように構成されている。
【００７４】
送信機は、コンテキスト転送メッセージを第１のアクセスネットワークデバイスへ送信するように構成されており、コンテキスト転送メッセージは、端末デバイスの接続コンテキスト情報を含む。
【００７５】
第１４の態様によれば、本出願の実施形態は、第４の態様または第４の態様のいずれかの可能な実装による方法を実行するように構成されているアクセスネットワークデバイスを提供する。アクセスネットワークデバイスは、プロセッサ、メモリ、受信機、および送信機を含む。メモリは、アップリンクリソーススケジューリング命令を格納するように構成されている。プロセッサは、メモリに格納されている命令を実行するように構成されており、命令によって駆動されて、スケジューリングオペレーションを実行する。受信機は、端末デバイスによって送信された第１のメッセージを受信するように構成されており、第１のメッセージは、端末デバイスのページングエリアが変更されていることをアクセスネットワークデバイスに通知するために使用される。
【００７６】
プロセッサは、ページングエリア構成情報を決定するように構成されており、ページングエリア構成情報は、端末デバイス用のページングエリア構成を更新するために使用される。
【００７７】
送信機は、ページングエリア構成情報を含む第２のメッセージを端末デバイスへ送信するように構成されている。
【００７８】
第１５の態様によれば、本出願の実施形態は、第５の態様または第５の態様のいずれかの可能な実装による方法を実行するように構成されているアクセスネットワークデバイスを提供する。アクセスネットワークデバイスは、プロセッサ、メモリ、受信機、および送信機を含む。メモリは、アップリンクリソーススケジューリング命令を格納するように構成されている。プロセッサは、メモリに格納されている命令を実行するように構成されており、命令によって駆動されて、スケジューリングオペレーションを実行する。受信機は、第１のアクセスネットワークデバイスによって送信された命令メッセージを受信するように構成されており、命令メッセージは、端末デバイスの識別子情報を搬送し、命令情報は、ページングエリア構成情報を決定するために使用される情報を第１のアクセスネットワークデバイスへ送信するようにアクセスネットワークデバイスに命令するために使用される。
【００７９】
プロセッサは、ページングエリア構成情報を決定するために使用される情報を決定するように構成されている。
【００８０】
送信機は、ページングエリア構成情報を決定するために使用される情報を第１のアクセスネットワークデバイスへ送信するように構成されている。
【００８１】
第１６の態様によれば、本出願の実施形態は、コンピュータプログラムを格納するように構成されているコンピュータ可読メディアを提供する。コンピュータプログラムは、第１の態様もしくは第１の態様のいずれかの可能な実装、第２の態様もしくは第２の態様のいずれかの可能な実装、第３の態様もしくは第３の態様のいずれかの可能な実装、第４の態様もしくは第４の態様のいずれかの可能な実装、または第５の態様もしくは第５の態様のいずれかの可能な実装による方法を実行するために使用される命令を含む。
【図面の簡単な説明】
【００８２】
本出願の実施形態における技術的なソリューションについてより明確に記述するために、以降では、本出願の実施形態について記述するために必要とされる添付の図面について簡単に記述する。明らかに、以降の説明における添付の図面は、本出願のいくつかの実施形態を示しているにすぎず、当業者なら、それでもなお、創造的な取り組みを伴わずにこれらの添付の図面からその他の添付の図面を導き出し得る。
【００８３】
【図１】本出願の実施形態の使用シナリオの概略アーキテクチャー図である。
【図２】本出願の実施形態による通信方法の概略フローチャートである。
【図３】本出願の実施形態による通信方法の概略フローチャートである。
【図４】本出願の実施形態による通信方法の概略フローチャートである。
【図５】本出願の実施形態による通信方法の概略フローチャートである。
【図６】本出願の実施形態による端末デバイスの概略ブロック図である。
【図７】本出願の実施形態によるアクセスネットワークデバイスの概略ブロック図である。
【図８】本出願の実施形態によるアクセスネットワークデバイスの概略ブロック図である。
【図９】本出願の実施形態によるアクセスネットワークデバイスの概略ブロック図である。
【図１０】本出願の実施形態によるアクセスネットワークデバイスの概略ブロック図である。
【図１１】本出願の実施形態による端末デバイスの概略構造図である。
【図１２】本出願の実施形態によるアクセスネットワークデバイスの概略構造図である。
【図１３】本出願の実施形態によるアクセスネットワークデバイスの概略構造図である。
【図１４】本出願の実施形態によるアクセスネットワークデバイスの概略構造図である。
【図１５】本出願の実施形態によるアクセスネットワークデバイスの概略構造図である。
【発明を実施するための形態】
【００８４】
以降では、本出願の実施形態における添付の図面を参照しながら、本出願の実施形態における技術的なソリューションについて明確にかつ完全に記述する。明らかに、記述されている実施形態は、本出願の実施形態のうちのいくつかであり、すべてではない。当業者によって本出願の実施形態に基づいて創造的な取り組みを伴わずに入手されるその他のすべての実施形態は、本出願の保護範囲内に収まるものとする。
【００８５】
本出願の実施形態における技術的なソリューションは、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ、略して「ＧＳＭ（登録商標）」）、符号分割多元接続（Ｃｏｄｅ  Ｄｉｖｉｓｉｏｎ  Ｍｕｌｔｉｐｌｅ  Ａｃｃｅｓｓ、略して「ＣＤＭＡ」）システム、ワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略して「ＷＣＤＭＡ（登録商標）」）システム、ロングタームエボリューションＬＴＥシステム、ＬＴＥ周波数分割複信（Ｆｒｅｑｕｅｎｃｙ  Ｄｉｖｉｓｉｏｎ  Ｄｕｐｌｅｘ、略して「ＦＤＤ」）システム、ＬＴＥ時分割複信（Ｔｉｍｅ  Ｄｉｖｉｓｉｏｎ  Ｄｕｐｌｅｘ、略して「ＴＤＤ」）システム、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、略して「ＵＭＴＳ」）、および将来の第５世代（５ｔｈ  Ｇｅｎｅｒａｔｉｏｎ、略して「５Ｇ」）通信システムなどのさまざまな通信システムに適用され得ることを理解されたい。
【００８６】
本出願は、端末デバイスに関連した実施形態について記述している。端末デバイスは、ユーザ機器（Ｕｓｅｒ  Ｅｑｕｉｐｍｅｎｔ、略して「ＵＥ」）、アクセス端末、サブスクライバーユニット、サブスクライバーステーション、移動局、モバイル、リモートステーション、リモート端末、モバイルデバイス、ユーザ端末、端末、ワイヤレス通信デバイス、ユーザエージェント、またはユーザ装置と呼ばれることもある。アクセス端末は、たとえば、セルラー電話、コードレス電話、セッション開始プロトコル（Ｓｅｓｓｉｏｎ  Ｉｎｉｔｉａｔｉｏｎ  Ｐｒｏｔｏｃｏｌ、略して「ＳＩＰ」）電話、ワイヤレスローカルループ（Ｗｉｒｅｌｅｓｓ  Ｌｏｃａｌ  Ｌｏｏｐ、略して「ＷＬＬ」）ステーション、携帯情報端末（Ｐｅｒｓｏｎａｌ  Ｄｉｇｉｔａｌ  Ａｓｓｉｓｔａｎｔ、略して「ＰＤＡ」）、ワイヤレス通信機能を有するハンドヘルドデバイス、ワイヤレスモデムに接続されているコンピューティングデバイスもしくは別の処理デバイス、車載デバイス、ウェアラブルデバイス、将来の５Ｇネットワークにおける端末デバイス、または将来の進化した公衆ランドモバイルネットワーク（Ｐｕｂｌｉｃ  Ｌａｎｄ  Ｍｏｂｉｌｅ  Ｎｅｔｗｏｒｋ、略して「ＰＬＭＮ」）における端末デバイスであり得る。
【００８７】
本出願は、アクセスネットワークデバイスに関連した実施形態について記述している。アクセスネットワークデバイスは、端末デバイスと通信するように構成されているデバイスであり得る。たとえば、アクセスネットワークデバイスは、ＧＳＭまたはＣＤＭＡシステムにおいてはベーストランシーバステーション（Ｂａｓｅ  Ｔｒａｎｓｃｅｉｖｅｒ  Ｓｔａｔｉｏｎ、略して「ＢＴＳ」）と基地局コントローラ（Ｂａｓｅ  Ｓｔａｔｉｏｎ  Ｃｏｎｔｒｏｌｌｅｒ、略して「ＢＳＣ」）との組合せであり得、ＷＣＤＭＡシステムにおいてはＮｏｄｅＢ（ＮｏｄｅＢ、略して「ＮＢ」）と無線ネットワークコントローラ（Ｒａｄｉｏ  Ｎｅｔｗｏｒｋ  Ｃｏｎｔｒｏｌｌｅｒ、略して「ＲＮＣ」）との組合せであり得、またはＬＴＥシステムにおいてはエボルブドＮｏｄｅＢ（Ｅｖｏｌｖｅｄ  ＮｏｄｅＢ、略して「ｅＮＢ」もしくは「ｅＮｏｄｅＢ」）であり得る。あるいは、ネットワークデバイスは、中継ノード、アクセスポイント、車載デバイス、ウェアラブルデバイス、将来の５Ｇネットワークにおけるアクセスネットワークデバイス（たとえば、次世代基地局）、将来の進化したＰＬＭＮネットワークにおけるアクセスネットワークデバイスなどであり得る。
【００８８】
図１は、本出願の実施形態の使用シナリオ１００の概略アーキテクチャー図である。図１において示されているように、アクセスネットワークデバイス２０のセル、およびアクセスネットワークデバイス２１のセルが、ページングエリア１を形成しており、アクセスネットワークデバイス２２のセル、およびアクセスネットワークデバイス２３のセルが、ページングエリア２を形成している。
【００８９】
端末デバイス１０がページングエリア１に配置されている場合、アクセスネットワークデバイス２０または２１（または別のデバイス、たとえばＭＭＥ）が、端末デバイス１０用のページングエリア構成を実行し得、たとえば、端末デバイス１０が配置されているページングエリア１内に含まれているセルを端末デバイス１０に通知し得る。端末デバイスがページングエリア１内で移動した場合、端末デバイスは、自分のロケーションをアクセスネットワークデバイスに報告する必要はない。
【００９０】
端末デバイス１０がページングエリア１からページングエリア２へ移動した後に、現在のセルが、元のページングエリア１内に含まれているセルに含まれていないということに端末デバイス１０が気づいた場合、端末デバイス１０は、現在のサービングアクセスネットワークデバイスを通じて、端末デバイス１０用のページングエリア構成を実行したページングエリア１内のアクセスネットワークデバイスに、端末デバイス１０がページングエリア１を去ったということ、または言い換えれば、ページングエリアが変更されていることを通知し得る。たとえば、端末デバイス１０がアクセスネットワークデバイス２１のセルからアクセスネットワークデバイス２２のセルへ移動した場合、アクセスネットワークデバイス２１が、端末デバイス１０用のページングエリア構成を実行したアクセスネットワークデバイスである。この場合において、端末デバイス１０は、現在のアクセスネットワークデバイス２２を通じて、端末デバイス１０がページングエリア１を去ったことをアクセスネットワークデバイス２１に通知する必要がある。ページングエリア２内のアクセスネットワークデバイス（または別のデバイス、たとえばＭＭＥ）は、端末デバイス１０用のページングエリア構成を実行し得るか、または端末デバイスへの接続をセットアップし得る。
【００９１】
本出願の実施形態において、ページングエリアは、セルセットを表す名前である。セルセットは、アクセスネットワークデバイスによって管理される。セルセットによって形成されているページングエリア内で移動する場合、端末デバイスは、アクセスネットワークデバイスに通知する必要はなく、セルセットの外へ移動する場合、端末デバイスは、アクセスネットワークデバイスに通知する必要がある。ページングエリア内のアクセスネットワークデバイスが端末デバイスと通信する必要がある場合、ページングエリア内のアクセスネットワークデバイスは、ページングエリア内に含まれているすべてのセル内の端末デバイスをページングする必要がある。したがって、本出願の実施形態において、セルセットは、ページングエリアと呼ばれる。
【００９２】
本出願の実施形態において、セルセットは、ページングエリアと呼ばれる。しかしながら、本出願の実施形態は、それに限定されるものではない。たとえば、セルセットは、代替として、端末デバイス登録エリア、または端末デバイスのアクセスネットワーク登録エリアもしくはアクセスネットワークトラッキングエリアと呼ばれ得る。
【００９３】
図２は、本出願の実施形態による通信方法２００の概略フローチャートである。方法２００は、図１において示されているシナリオに適用されてよく、そしてもちろん、その他の通信シナリオに適用されてもよい。これは、本出願のこの実施形態においては特に限定されない。
【００９４】
Ｓ２０１において、第１の状態にある端末デバイスが、端末デバイスのページングエリアが変更されていると決定し、第１の状態は、端末デバイスがページングをリッスンしており、かつ端末デバイスの接続コンテキスト情報を格納している状態を含む。
【００９５】
任意選択で、本出願のこの実施形態において、端末デバイスは、端末デバイス内に格納されているページングエリア構成パラメータに基づいて、端末デバイスのページングエリアが変更されていると決定し得る。言い換えれば、端末デバイスは、構成されているページングエリアを端末デバイスが去ったと決定し得る。
【００９６】
たとえば、端末デバイスは、端末デバイス用に構成されているページングエリアがセル１、セル２、およびセル３を含んでいることを知っている。構成されているページングエリアを去ってセル４に入った場合、端末デバイスは、セル４が、端末デバイス用に構成されているページングエリア内に含まれているセルに含まれていないと決定する。この場合において、端末デバイスは、端末デバイスのページングエリアが変更されていると決定する。
【００９７】
別の例に関しては、端末デバイスは、端末デバイス用に構成されているページングエリアのページングエリア識別子が１であり、識別子が１であるページングエリアは、セル１、セル２、およびセル３を含んでいることを知っている。セル４に入った場合、端末デバイスは、セル４が属するページングエリアのページングエリア識別子が２であると決定する。この場合において、端末デバイスは、端末デバイスのページングエリアが変更されていると決定する。
【００９８】
任意選択で、本出願のこの実施形態において、第１の状態は、端末デバイスがページングをリッスンしており、かつ端末デバイスの接続コンテキスト情報を格納している状態を含む。端末デバイスがページされるか、またはアップリンクデータもしくはシグナリングを伝送する必要がある場合、端末デバイスは、接続コンテキスト情報に基づいて接続状態に迅速に入ることが可能である。
【００９９】
本出願のこの実施形態において、端末デバイスがページングをリッスンしており、かつ端末デバイスの接続コンテキスト情報を格納している状態は、第１の状態と呼ばれる。しかしながら、本出願は、それに限定されるものではない。第１の状態は、接続状態のサブ状態またはアイドル状態の拡張状態であり得る。第１の状態は、軽度接続状態、非アクティブ状態、低アクティブ状態、ページング状態、低オーバーヘッド状態、新たな接続状態、または新たなアイドル状態と呼ばれることもある。しかしながら、これは、本出願のこの実施形態においては限定されない。たとえば、第１の状態は、端末デバイスが端末デバイスの接続コンテキスト情報を格納している新たなアイドル状態を含み得るか、または第１の状態は、端末デバイスがセル再選択ベースのモビリティーを実行することを許可される新たな接続状態を含み得る。
【０１００】
任意選択で、本出願のこの実施形態において、第１の状態にある端末デバイスは、セル再選択ベースのモビリティーを有することを許可され、端末デバイスとコアネットワークデバイスとの間におけるインターフェースは、第１の状態に入るように端末デバイスに命令しているアクセスネットワークデバイスにとどまる。
【０１０１】
任意選択で、本出願のこの実施形態において、接続コンテキスト情報は、端末デバイスおよびアクセスネットワークデバイス用の接続構成パラメータを含む。
【０１０２】
任意選択で、接続構成パラメータは、端末デバイスの無線ベアラ構成および／または端末デバイスの識別子情報を特に含み得る。無線ベアラ構成は、シグナリング無線ベアラ構成および／またはデータ無線ベアラ構成を含み得る。端末デバイスの識別子情報は、端末デバイスのソース識別子を含み得る。
【０１０３】
任意選択で、接続コンテキスト情報は、接続構成パラメータには限定されず、その他の情報、たとえばキー情報をさらに含み得る。キー情報は、暗号化された伝送が実行される場合、または端末デバイス認証情報が生成される場合に使用される。
【０１０４】
Ｓ２０２において、端末デバイスは、第１のメッセージを第１のアクセスネットワークデバイスへ送信し、第１のメッセージは、端末デバイスのページングエリアが変更されていることを第１のアクセスネットワークデバイスに通知するために使用され、第１のアクセスネットワークデバイスは、端末デバイスのサービングアクセスネットワークデバイスである。
【０１０５】
本出願のこの実施形態において、端末デバイスのページングエリアが変更されていると決定した場合、端末デバイスは、第１のメッセージを第１のアクセスネットワークデバイスへ送信する。言い換えれば、構成されているページングエリアを端末デバイスが去ったと決定した場合、端末デバイスは、第１のメッセージを送信して第１のアクセスネットワークデバイスに通知し得る。
【０１０６】
任意選択で、端末デバイスのページングエリアが変更されていて端末デバイスが接続コンテキスト情報を格納しているので、端末デバイスは、ＲＲＣ接続再開要求メッセージを送信し得る。ＲＲＣ接続再開要求メッセージは、ＲＲＣ接続を再開するように要求するために使用され、ＲＲＣ接続再開要求メッセージは、端末デバイスのページングエリアが変更されていることを第１のアクセスネットワークデバイスに通知するために使用され得る。
【０１０７】
実装において、ＲＲＣ接続再開要求メッセージは、端末デバイスのページングエリアが変更されていることを第１のアクセスネットワークデバイスに通知するために使用される情報を含み得る。この場合において、端末デバイスのページングエリアが変更されているという情報を示すために使用されるフィールドが、ＲＲＣ接続再開要求メッセージに付加されることが可能である。
【０１０８】
たとえば、１つのビットが、ＲＲＣ接続再開要求メッセージに付加される。ビットが「１」に設定されている場合、ＲＲＣ接続再開要求メッセージは、端末デバイスのページングエリアが変更されていることを第１のアクセスネットワークデバイスに通知するために使用され得る。ビットが「０」に設定されている場合、ＲＲＣ接続再開要求メッセージは、端末デバイスのページングエリアが変更されていないことを示し得る。
【０１０９】
本出願のこの実施形態において、１つのビットがＲＲＣ接続再開要求メッセージに付加される例を使用することによって説明が提供されているにすぎないことを理解されたい。しかしながら、本出願のこの実施形態は、それに限定されるものではない。端末デバイスのページングエリアが変更されているという情報を示すフィールドとして、複数のビットがＲＲＣ接続再開要求メッセージに付加され得る。
【０１１０】
別の実装において、ＲＲＣ接続再開要求メッセージ内の原因値は、端末デバイスのページングエリアが変更されていることを示し得る。この場合において、ＲＲＣ接続再開要求メッセージのメッセージ構造またはメッセージ長さにおける変更を伴うことなく、端末デバイスは、ＲＲＣ接続再開要求メッセージを使用することによって、端末デバイスのページングエリアが変更されていることを第１のアクセスネットワークデバイスに通知し得る。
【０１１１】
したがって、本出願のこの実施形態において、第１のメッセージは、ＲＲＣ接続再開要求メッセージであり、それによって、既存のメッセージフォーマットが効果的に使用されることが可能であり、既存のプロトコルにおける変更を伴うことなく、第１のアクセスネットワークデバイスは、端末デバイスのページングエリアが変更されていることを通知されることが可能である。
【０１１２】
任意選択で、本出願のこの実施形態において、端末デバイスは、共通チャネルの第１のシグナリングチャネルを使用することによって第１のメッセージを第１のアクセスネットワークデバイスへ送信し得る。
【０１１３】
Ｓ２０３において、第１のアクセスネットワークデバイスは、端末デバイスによって送信された第１のメッセージを受信する。
【０１１４】
Ｓ２０４において、第１のアクセスネットワークデバイスは、第２のアクセスネットワークデバイスから端末デバイスの接続コンテキスト情報を入手し、第２のアクセスネットワークデバイスは、端末デバイス用に構成されているページングエリア内に含まれているセルに対応するアクセスネットワークデバイスであるか、または端末デバイスの接続コンテキスト情報を格納するように構成されている所定のアクセスネットワークデバイスである。
【０１１５】
任意選択で、本出願のこの実施形態において、第２のアクセスネットワークデバイスは、端末デバイスが去った構成されているページングエリア内に含まれているセルに対応するアクセスネットワークデバイスであり得る。端末デバイスが第２のアクセスネットワークデバイスのセルに配置されている場合、第２のアクセスネットワークデバイスは、第１の状態に入るように命令する情報を端末デバイスへ送信し得、端末デバイスは、命令情報に従って第１の状態に入り得る。端末デバイスのページングエリアが変更されている場合、端末デバイスのサービングアクセスネットワークデバイスは、第２のアクセスネットワークデバイスから端末デバイスの接続コンテキスト情報を入手し得る。
【０１１６】
任意選択で、本出願のこの実施形態において、第２のアクセスネットワークデバイスは、代替として、端末デバイスの接続コンテキスト情報を格納するように構成されている所定のアクセスネットワークデバイスであり得る。
【０１１７】
特に、第２のアクセスネットワークデバイスは、複数の端末デバイスの接続コンテキスト情報を格納し得る。複数の端末デバイスが特定のエリア（たとえば、少なくとも１つのページングエリアのエリア）内で移動した場合、端末デバイスのサービングアクセスネットワークデバイスは、第２のアクセスネットワークデバイスから端末デバイスの接続コンテキスト情報を入手し、次いで端末デバイスへの接続をセットアップし得る。この場合において、第２のアクセスネットワークデバイスは、アンカーアクセスネットワークデバイスと呼ばれることがある。
【０１１８】
任意選択で、本出願のこの実施形態において、第１のメッセージは、第２のアクセスネットワークデバイスの識別子情報をさらに含み得、第１のアクセスネットワークデバイスは、第２のアクセスネットワークデバイスの識別子情報に基づいて第２のアクセスネットワークデバイスを決定し得る。
【０１１９】
任意選択で、本出願のこの実施形態において、第１のアクセスネットワークデバイスは、第１の命令メッセージを第２のアクセスネットワークデバイスへ送信し得る。第１の命令メッセージは、端末デバイスの接続コンテキスト情報を第２のアクセスネットワークデバイスに要求するために端末デバイスの識別子情報を搬送する。第２のアクセスネットワークデバイスは、端末デバイスの識別子情報に基づいて端末デバイスの接続コンテキスト情報を決定し得る。次いで、第１のアクセスネットワークデバイスは、第２のアクセスネットワークデバイスによって送信されたコンテキスト転送メッセージを受信する。コンテキスト転送メッセージは、端末デバイスの接続コンテキスト情報を含む。
【０１２０】
あるいは、第１のアクセスネットワークデバイスは、はじめに端末デバイスの入るべき状態を決定し、次いで第２のアクセスネットワークデバイスから端末デバイスの接続コンテキスト情報を入手し得ることを理解されたい。言い換えれば、Ｓ２０５は、Ｓ２０４の前に実行される。
【０１２１】
加えて、接続コンテキスト情報は、第１のアクセスネットワークデバイスと端末デバイスとの間における接続をセットアップするために使用されるので、代替として、第１のアクセスネットワークデバイスは、端末デバイスが第２の状態にいる必要があると決定した場合にのみ第２のアクセスネットワークデバイスから端末デバイスの接続コンテキスト情報を入手し得ることを理解されたい。
【０１２２】
したがって、本出願のこの実施形態において、第１のアクセスネットワークデバイスは、第２のアクセスネットワークデバイスから端末デバイスの接続コンテキスト情報を入手し、それによって、第１のアクセスネットワークデバイスは、端末デバイスが第２の状態にいる必要があると決定した場合には端末デバイスの接続コンテキストに基づいて端末デバイスへの接続を迅速に再開することが可能である。
【０１２３】
Ｓ２０５において、第１のアクセスネットワークデバイスは、端末デバイスの入るべき状態を決定する。
【０１２４】
実装において、現在の端末デバイスがサービス要求を有していると決定した場合、第１のアクセスネットワークデバイスは、入るべき状態が第２の状態である、言い換えれば、端末デバイスがデータを伝送するために接続状態に入る必要があると決定し得る。
【０１２５】
たとえば、端末デバイスをページングするためのページングメッセージを受信した場合、第１のアクセスネットワークデバイスは、端末デバイスがデータを伝送するために第２の状態に入る必要があると決定し得る。
【０１２６】
別の実装において、端末デバイスが現在はデータ伝送の必要性を有していないと決定した場合、第１のアクセスネットワークデバイスは、端末デバイスが引き続き第１の状態にいる必要があると決定し得る。
【０１２７】
たとえば、端末デバイスをページングするためのページングメッセージを受信しなかった場合、第１のアクセスネットワークデバイスは、端末デバイスが第１の状態にとどまることが可能であると決定し得る。
【０１２８】
別の実装において、端末デバイスが比較的長い期間にわたってデータ伝送の必要性を有していないと第１のアクセスネットワークデバイスが決定した場合、第１のアクセスネットワークデバイスは、端末デバイスがアイドル状態に入る必要があると決定し得る。
【０１２９】
Ｓ２０６において、第１のアクセスネットワークデバイスは、第２のメッセージを端末デバイスへ送信する。端末デバイスの入るべき状態が第２の状態であると決定した場合、第１のアクセスネットワークデバイスは、第２の状態に入るように端末デバイスに命令するために使用される第２のメッセージを端末デバイスへ送信し得る。
【０１３０】
任意選択で、端末デバイスが第１の状態にとどまる必要があると決定した場合、第１のアクセスネットワークデバイスは、第１の状態にとどまるように端末デバイスに命令するために使用される第２のメッセージを端末デバイスへ送信し得る。
【０１３１】
任意選択で、第１のアクセスネットワークデバイスは、第２のメッセージ内に含めて搬送されているコンテンツ、および／または第２のメッセージのタイプに基づいて、端末デバイスの入るべき状態を示し得る。
【０１３２】
任意選択で、本出願のこの実施形態において、共通チャネルの第１のシグナリングチャネルを使用することによって端末デバイスによって送信された第１のメッセージを受信した後に、第１のアクセスネットワークデバイスは、専用チャネルの第２のシグナリングチャネルを使用することによって第２のメッセージを端末デバイスへ送信し得る。
【０１３３】
任意選択で、第１のアクセスネットワークデバイスは、端末デバイスの接続コンテキスト情報に基づいて第２のシグナリングチャネルをアクティブ化し得、第２のシグナリングチャネルを使用することによって第２のメッセージを端末デバイスへ送信する。
【０１３４】
Ｓ２０７において、端末デバイスは、第１のアクセスネットワークデバイスによって送信された第２のメッセージを受信する。
【０１３５】
任意選択で、本出願のこの実施形態において、共通チャネルの第１のシグナリングチャネルを使用することによって第１のメッセージを第１のアクセスネットワークデバイスへ送信した後に、端末デバイスは、第２のシグナリングチャネルを使用することによって第２のメッセージを受信し得る。
【０１３６】
任意選択で、端末デバイスは、端末デバイスの接続コンテキスト情報内に保存されているシグナリングチャネルパラメータに基づいて第２のシグナリングチャネルをアクティブ化し得、第２のシグナリングチャネルを使用することによって第２のメッセージを受信する。
【０１３７】
Ｓ２０８において、端末デバイスは、第２のメッセージに基づいて、端末デバイスの入るべき状態を決定する。
【０１３８】
任意選択で、端末デバイスは、第２のメッセージ内に含めて搬送されているコンテンツ、および／または第２のメッセージのタイプに基づいて、端末デバイスの入るべき状態を決定し得る。
【０１３９】
Ｓ２０９において、入るべき状態が第２の状態であると端末デバイスが決定した場合、端末デバイスは、格納されている接続コンテキスト情報に基づいて第２の状態に入り、第２の状態は、端末デバイスおよび第１のアクセスネットワークデバイスが接続されていることを含む。
【０１４０】
本出願のこの実施形態において、端末デバイスが第２の状態に入る必要があると決定した場合、端末デバイスは、接続コンテキストに基づいて接続状態に入り得、接続状態に入った後に、端末デバイスは、第１のアクセスネットワークデバイスとの間でデータ伝送を実行し得る。
【０１４１】
任意選択で、本出願のこの実施形態において、第２の状態に入った後に、端末デバイスは、端末デバイスが第２のメッセージを受信して第２の状態に入ったことを示すための第３のメッセージを第１のアクセスネットワークデバイスへ送信し得る。
【０１４２】
任意選択で、本出願のこの実施形態において、入るべき状態が第１の状態であると端末デバイスが決定した場合、端末デバイスは、第１の状態にとどまる。任意選択で、端末デバイスが第１の状態にいる必要がある場合、端末デバイスは、端末デバイスが第２のメッセージを受信したことを示すための第４のメッセージを第１のアクセスネットワークデバイスへ送信し得る。端末デバイスは、格納されている接続コンテキスト情報に基づいて第２の状態に入り、第４のメッセージを第１のアクセスネットワークデバイスへ送信し、第４のメッセージを送信した後に第１の状態に入り得る。
【０１４３】
任意選択で、端末デバイスが第１の状態にいる必要がある場合、端末デバイスは、第１の状態にとどまっているときに、端末デバイスが第２のメッセージを受信したことを示すための第４のメッセージを第１のアクセスネットワークデバイスへ送信し得る。
【０１４４】
任意選択で、端末デバイスが第１の状態にいる必要がある場合、端末デバイスは、第１の状態にとどまり得、メッセージを用いて第１のアクセスネットワークデバイスに返信しなくてよい。
【０１４５】
任意選択で、本出願のこの実施形態において、第３のメッセージおよび第４のメッセージは、同じタイプのメッセージであり得る。たとえば、第２のメッセージがＲＲＣ接続再開メッセージである場合、第３のメッセージおよび第４のメッセージは、両方ともＲＲＣ接続再開完了メッセージであり得る。
【０１４６】
したがって、本出願のこの実施形態において、構成されているページングエリアを去った後に、第１の状態にある端末デバイスは、端末デバイスのページングエリアが変更されていることを第１のアクセスネットワークデバイスに通知するために使用される第１のメッセージを第１のアクセスネットワークデバイスへ送信し、端末デバイスは、第１のアクセスネットワークデバイスによって送信された第２のメッセージに基づいて、端末デバイスの入るべき状態を決定する。端末デバイスが接続状態に入る必要がある場合、端末デバイスは、アクセスネットワークデバイスへの別の接続をセットアップすることなく、格納されている接続コンテキスト情報に基づいて接続状態に直接入ることが可能である。このようにして、端末デバイスは、接続状態に迅速に入ることが可能である。加えて、端末デバイスは、端末デバイスのページングエリアが変更されていることをコアネットワークデバイスに通知する必要はない。これは、アクセスネットワークデバイスとコアネットワークデバイスとの間におけるシグナリングを低減し、それによってシグナリングオーバーヘッドを低減することが可能である。
【０１４７】
加えて、第１のアクセスネットワークデバイスは、第２のアクセスネットワークデバイスから接続コンテキスト情報を入手し、それによって、第１のアクセスネットワークデバイスは、端末デバイスが第２の状態に入る必要があると決定した場合、接続コンテキストに基づいて端末デバイスへの接続を迅速にセットアップすることが可能である。
【０１４８】
任意選択で、本出願のこの実施形態において、第１のアクセスネットワークデバイスは、第２のメッセージ内に含めて搬送されているコンテンツ、および／または第２のメッセージのタイプに基づいて、端末デバイスの入るべき状態を示し得る。それに対応して、端末デバイスは、第２のメッセージ内に含めて搬送されているコンテンツ、および／または第２のメッセージのタイプに基づいて、端末デバイスの入るべき状態を決定し得る。
【０１４９】
任意選択で、本出願のこの実施形態において、第２のメッセージ内に含めて搬送されているコンテンツは、状態表示情報および／またはページングエリア構成情報を含み得る。
【０１５０】
任意選択で、状態表示情報は、端末デバイスの入るべき状態を示すために使用され、第２のメッセージは、１つの専用フィールドを使用することによって状態表示情報を搬送し得る。
【０１５１】
たとえば、第２のメッセージは、状態表示情報を搬送するために使用される１つのビットを含む。ビットが「１」である場合、第２のメッセージは、端末デバイスが第２の状態にいる必要があることを示すために使用される。ビットが「０」である場合、第２のメッセージは、端末デバイスが第１の状態にいる必要があることを示すために使用される。
【０１５２】
任意選択で、ページングエリア構成情報は、端末デバイス用のページングエリア構成を更新するために使用される。
【０１５３】
以降では、どのようにして第１のアクセスネットワークデバイスがページングエリア構成情報を入手して端末デバイス用のページングエリア構成を更新するかに関連した説明を提供する。
【０１５４】
実装において、第１のアクセスネットワークデバイスは、候補セルを第２のアクセスネットワークデバイスへ送信し、第１のアクセスネットワークデバイスは、第２のアクセスネットワークデバイスによって送信される選択されたセルに関する情報を受信し、第１のアクセスネットワークデバイスは、選択されたセルに関する情報に基づいてページングエリア構成情報を生成する。
【０１５５】
任意選択で、本出願のこの実施形態において、第１のアクセスネットワークデバイスは、候補セルを別個に送信し得、または第１の命令メッセージを使用することによって候補セルを第２のアクセスネットワークデバイスへ送信し得る。
【０１５６】
特に、第１のアクセスネットワークデバイスは、候補セルを搬送する第１の命令メッセージを第２のアクセスネットワークデバイスへ送信する。第１の命令メッセージは、選択されるセルを候補セルから決定するように第２のアクセスネットワークデバイスに命令するために端末デバイスの識別子情報を搬送する。
【０１５７】
任意選択で、本出願のこの実施形態において、第１のアクセスネットワークデバイスは、コンテキスト転送メッセージを使用することによって、選択されたセルに関する情報を受信し得る。
【０１５８】
任意選択で、第２のアクセスネットワークデバイスは、端末デバイスの移動スピードに基づいて、選択されるセルを候補セルから決定し得る。
【０１５９】
たとえば、第１のアクセスネットワークデバイスは、セル１、セル２、セル３、およびセル４を候補セルとして第２のアクセスネットワークデバイスへ送信する。第２のアクセスネットワークデバイスは、端末デバイスの移動スピードに基づいてセルを選択し得る。端末デバイスが比較的速く移動している場合、第２のアクセスネットワークデバイスは、候補セルのうちのすべてを、選択されるセルとして選択し得る。これは、端末デバイスが現在のページングエリアをあまりにも速く去るので、新たなページングエリアを構成する必要性を回避することが可能である。
【０１６０】
別の例に関しては、第１のアクセスネットワークデバイスは、セル１、セル２、セル３、およびセル４を候補セルとして第２のアクセスネットワークデバイスへ送信する。端末デバイスが比較的遅く移動している場合、第２のアクセスネットワークデバイスは、選択されるセルとして候補セルからセル１およびセル２を選択し得る。これは、ページングプロセスにおけるページングシグナリングを低減することが可能である。
【０１６１】
別の実装において、本出願のこの実施形態において、第１のアクセスネットワークデバイスは、第１の命令メッセージを第２のアクセスネットワークデバイスへ送信し、第１の命令メッセージは、端末デバイスの識別子情報を搬送して、端末デバイスのページングエリア構成要件パラメータを第１のアクセスネットワークデバイスへ送信するように第２のアクセスネットワークデバイスに命令し、第１のアクセスネットワークデバイスは、第２のアクセスネットワークデバイスによって送信される端末デバイスのページングエリア構成要件パラメータを受信し、端末デバイスのページングエリア構成要件パラメータに基づいて、第１のアクセスネットワークデバイスは、端末デバイス用に構成されることになるページングエリア内に含まれるセルを決定し、ページングエリア構成情報を生成する。
【０１６２】
任意選択で、本出願のこの実施形態において、第１のアクセスネットワークデバイスは、コンテキスト転送メッセージを使用することによってページングエリア構成要件パラメータを受信し得る。任意選択で、本出願のこの実施形態において、コンテキスト転送メッセージは、第２のアクセスネットワークデバイスによって第１のアクセスネットワークデバイスへ送信されるハンドオーバーメッセージであり得る。
【０１６３】
任意選択で、第２のアクセスネットワークデバイスは、端末デバイスの移動スピードに基づいてページングエリア構成要件パラメータを決定し得る。
【０１６４】
実装において、端末デバイスが比較的速く移動している場合、第２のアクセスネットワークデバイスは、端末デバイス用に比較的大きなページングエリア（たとえば、ページングエリアは、比較的大量のセルを含む）を構成するように第１のアクセスネットワークデバイスに命令するためのページングエリア要件パラメータを決定し得、第１のアクセスネットワークデバイスは、ページングエリア要件パラメータに基づいてページングエリア構成情報を決定する。
【０１６５】
たとえば、ページングエリア構成要件パラメータは、現在のページングエリア内に含まれることが可能であるセルの量を示し得る。端末デバイスが比較的速く移動している場合、ページングエリア構成要件パラメータは、現在のページングエリアが４つのセルを含むことが可能であることを示し得、第１のアクセスネットワークデバイスは、セルのこの量に従って４つのセルをページングエリアとして決定する。
【０１６６】
別の実装において、端末デバイスが比較的遅く移動している場合、第２のアクセスネットワークデバイスは、端末デバイス用に比較的小さなページングエリア（たとえば、ページングエリアは、比較的少量のセルを含む）を構成するように第１のアクセスネットワークデバイスに命令するためのページングエリア要件パラメータを決定し得、第１のアクセスネットワークデバイスは、ページングエリア要件パラメータに基づいてページングエリア構成情報を決定する。
【０１６７】
たとえば、端末デバイスが比較的遅く移動している場合、ページングエリア構成要件パラメータは、現在のページングエリアが２つのセルを含むことが可能であることを示し得、第１のアクセスネットワークデバイスは、セルのこの量に従ってページングエリアとして２つのセルを決定する。
【０１６８】
任意選択で、第１のアクセスネットワークデバイスが、ページングエリア構成要件パラメータに基づいてページングエリア構成情報を生成した後に、第１のアクセスネットワークデバイスは、ページングエリア構成情報を第２のアクセスネットワークデバイスへ送信し得、それによって、端末デバイスをページングするためのページング情報を受信した後に、第２のアクセスネットワークデバイスは、ページングエリア構成情報に基づいて決定されたページングエリア内に含まれているセル内の端末デバイスをページングすることが可能である。
【０１６９】
任意選択で、本出願のこの実施形態において、第１のメッセージのタイプがＲＲＣ接続再開要求メッセージである場合、第２のメッセージのタイプは、ＲＲＣ接続再開メッセージまたはＲＲＣ接続拒否メッセージであり得る。ＲＲＣ接続再開メッセージは、ＲＲＣ接続を再開するように端末デバイスに命令するために使用され、ＲＲＣ接続拒否メッセージは、第１のアクセスネットワークデバイスがＲＲＣ接続の再開を拒否することを示すために使用される。
【０１７０】
本出願を理解しやすくするために、以降では、第１のアクセスネットワークデバイスが、第２のメッセージのタイプおよび／またはコンテンツを使用することによって端末デバイスの入るべき状態をどのようにして示すかを記述するための例として、方法Ａ、方法Ｂ、および方法Ｃを使用する。
【０１７１】
方法Ａ
【０１７２】
第１のアクセスネットワークデバイスは、第２のメッセージ内に含めて搬送されているコンテンツを使用することによって、端末デバイスの入るべき状態を示し得る。それに対応して、端末デバイスは、第２のメッセージ内に含めて搬送されているコンテンツに基づいて、端末デバイスの入るべき状態を決定し得る。
【０１７３】
実装において、第２のメッセージ内に含めて搬送されているコンテンツは、状態表示情報を含む。状態表示情報が「第２の状態に入ること」である場合、第２のメッセージは、第２の状態に入るように端末デバイスに命令し得る。この場合において、端末デバイスは、接続コンテキストに基づいて接続状態に入る。あるいは、状態表示情報が「第１の状態にとどまること」である場合、第２のメッセージは、第１の状態にとどまるように端末デバイスに命令し得る。あるいは、状態表示情報が情報を含んでいない場合、第２のメッセージは、第２の状態に入るように端末デバイスに命令し得る。
【０１７４】
別の実装において、第２のメッセージ内に含めて搬送されているコンテンツは、ページングエリア構成情報を含む。ページングエリア構成情報において構成されているページングエリアが、少なくとも１つのセルを含んでいる場合、第２のメッセージは、第１の状態にとどまるように端末デバイスに命令し得る。ページングエリア構成情報において構成されているページングエリアが、セルを含んでいない場合、第２のメッセージは、第２の状態に入るように端末デバイスに命令し得る。
【０１７５】
別の実装において、第２のメッセージ内に含めて搬送されているコンテンツは、状態表示情報およびページングエリア構成情報を含む。状態表示情報が「第１の状態にとどまること」であり、ページングエリア構成情報において構成されているページングエリアが、少なくとも１つのセルを含んでいる場合、第２のメッセージは、第１の状態にとどまるように端末デバイスに命令し得る。状態表示情報が「第２の状態に入ること」であり、ページングエリア構成情報において構成されているページングエリアが、セルを含んでいない場合、第２のメッセージは、第２の状態に入るように端末デバイスに命令し得る。
【０１７６】
方法Ｂ
【０１７７】
第１のアクセスネットワークデバイスは、第２のメッセージのタイプを使用することによって、端末デバイスの入るべき状態を示し得る。それに対応して、端末デバイスは、第２のメッセージのタイプに基づいて、端末デバイスの入るべき状態を決定する。
【０１７８】
実装において、第２のメッセージのタイプがＲＲＣ接続拒否メッセージである場合、端末デバイスは、入るべき状態が第１の状態であると決定する。
【０１７９】
別の実装において、第２のメッセージのタイプがＲＲＣ接続再開メッセージである場合、端末デバイスは、入るべき状態が第２の状態であると決定する。
【０１８０】
たとえば、第２のメッセージのタイプがＲＲＣ接続拒否メッセージである場合、端末デバイスは、第１の状態にある端末デバイスの入るべき状態と決定し得、第２のメッセージのタイプがＲＲＣ接続再開メッセージである場合、端末デバイスは、端末デバイスの入るべき状態が第２の状態であると決定し得る。
【０１８１】
方法Ｃ
【０１８２】
第１のアクセスネットワークデバイスは、第２のメッセージ内に含めて搬送されているコンテンツ、および第２のメッセージのタイプを使用することによって、端末デバイスの入るべき状態を示し得る。それに対応して、端末デバイスは、第２のメッセージのタイプおよびコンテンツに基づいて、端末デバイスの入るべき状態を決定する。
【０１８３】
実装において、第２のメッセージのタイプがＲＲＣ接続再開メッセージであり、第２のメッセージ内に含めて搬送されているコンテンツが、第１の状態にいるように端末デバイスに命令するために使用されている場合、端末デバイスは、入るべき状態が第１の状態であると決定する。
【０１８４】
たとえば、端末デバイスがＲＲＣ接続再開メッセージを受信し、ＲＲＣ接続再開メッセージ内に含まれている状態表示情報が「第１の状態にとどまること」であり、および／またはＲＲＣ接続再開メッセージ内に含まれているページングエリア構成情報において構成されているページングエリアが、少なくとも１つのセルを含んでいる場合、端末デバイスは、第１の状態にとどまる。
【０１８５】
別の実装において、第２のメッセージのタイプがＲＲＣ接続再開メッセージであり、第２のメッセージ内に含めて搬送されているコンテンツが、第２の状態にいるように端末デバイスに命令するために使用されている場合、端末デバイスは、端末デバイスの入るべき状態が第２の状態であると決定する。
【０１８６】
たとえば、端末デバイスがＲＲＣ接続再開メッセージを受信し、ＲＲＣ接続再開メッセージ内に含まれている状態表示情報が「第２の状態に入ること」であり、および／またはＲＲＣ接続再開メッセージ内に含まれているページングエリア構成情報において構成されているページングエリアがセルを含んでいない場合、端末デバイスは、第２の状態に入る。
【０１８７】
したがって、本出願のこの実施形態において、第２のメッセージがＲＲＣ接続再開メッセージまたはＲＲＣ接続拒否メッセージである場合、端末デバイスの入るべき状態を示すために既存のメッセージがフルに使用されることも可能である。加えて、端末デバイスが第２の状態に入る必要がある場合、端末デバイスは、ＲＲＣ接続再開メッセージを受け入れることによって接続状態に迅速に入ることが可能である。
【０１８８】
本出願のこの実施形態における説明のための例としてＲＲＣ接続のみが使用されていることを理解されたい。しかしながら、本出願のこの実施形態は、それに限定されるべきではない。代替として、端末デバイスとアクセスネットワークデバイスとの間におけるその他の接続が使用され得る。
【０１８９】
加えて、方法Ａ、方法Ｂ、および方法Ｃの形態を使用することは、本出願のこの実施形態をより明確に記述することを意図されていることを理解されたい。しかしながら、方法Ａ、方法Ｂ、および方法Ｃは、互いに独立しておらず、別々の方法に属する特徴どうしは、互いに組み合わされることが可能である。
【０１９０】
任意選択で、本出願のこの実施形態において、ＲＲＣ接続再開メッセージは、暗号化パラメータのフィールドを含む。端末デバイスは、端末デバイスのさまざまな入るべき状態に基づいて、暗号化パラメータ上でさまざまな処理を実行することが可能である。
【０１９１】
実装において、端末デバイスが、ＲＲＣ接続再開メッセージに基づいて、入るべき状態が第１の状態であると決定した場合、端末デバイスは、ＲＲＣ接続再開メッセージ内の、ＲＲＣ接続を再開するために使用される暗号化パラメータを無視し得る。
【０１９２】
端末デバイスが、暗号化パラメータに基づいて第２の状態に入った場合、長時間にわたってデータ伝送がないことがある。この場合において、端末デバイスにとって無用な電気エネルギー消費が引き起こされ得る。したがって、入るべき状態が第１の状態であると決定した場合、端末デバイスは、暗号化パラメータを無視し、第１の状態にとどまり得る。このようにして、端末デバイスが、第１の状態にとどまることを決定した場合でさえ暗号化パラメータに基づいて接続状態に入るということが回避されることが可能である。
【０１９３】
別の実施態様において、端末デバイスが、ＲＲＣ接続再開メッセージに基づいて、入るべき状態が第２の状態であると決定した場合、端末デバイスは、ＲＲＣ接続再開メッセージ内の暗号化パラメータに基づいてＲＲＣ接続を再開する必要がある。
【０１９４】
任意選択で、本出願のこの実施形態において、ＲＲＣ接続拒否メッセージは、待ち時間情報を搬送するフィールドを含み得る。待ち時間情報は、端末デバイスと第１のアクセスネットワークデバイスとの間におけるＲＲＣ接続を再開するために必要とされる待ち時間を示すために使用される。
【０１９５】
任意選択で、端末デバイスは、待ち時間情報、および端末デバイスのさまざまな入るべき状態に基づいて、さまざまな処理を実行し得る。
【０１９６】
実装において、端末デバイスが、ＲＲＣ接続拒否メッセージに基づいて、入るべき状態が第１の状態であると決定した場合、端末デバイスは、ＲＲＣ接続拒否情報内に含まれている待ち時間情報を無視する。
【０１９７】
端末デバイスが、ＲＲＣ接続拒否情報内に含まれている待ち時間情報を無視しない場合、端末デバイスは、待ち時間が経過した後に第１のアクセスネットワークデバイスへのＲＲＣ接続をアクティブに再開し得る。この場合において、伝送されることを必要としているデータがないので、端末デバイスにとって無用な電気エネルギー消費が引き起こされ得る。
【０１９８】
実装において、ＲＲＣ接続拒否メッセージ内の原因値は、ページングエリアが端末デバイス用に成功裏に構成されていることを示し得、端末デバイスは、入るべき状態が第１の状態であると決定する。この場合において、端末デバイスは、ＲＲＣ接続拒否情報内に含まれている待ち時間情報を無視し得る。
【０１９９】
前述されているＲＲＣ接続拒否メッセージが、ページングエリア変更通知を搬送しているＲＲＣ接続再開要求メッセージに応答した場合、端末デバイスは、ＲＲＣ接続拒否メッセージ内に含まれている待ち時間情報を無視し得る。
【０２００】
本出願のこの実施形態において、代替として、ＲＲＣ接続拒否メッセージは、ページングエリア変更通知を搬送していないＲＲＣ接続再開要求メッセージに応答し得る。この場合において、端末デバイスは、ＲＲＣ接続拒否メッセージ内に含まれている待ち時間情報に基づいてタイマーを始動して、タイマー内で第１の状態にとどまる。
【０２０１】
実装において、端末デバイスのページングエリアが変更されていることを第１のアクセスネットワークデバイスに通知するために使用される情報をＲＲＣ接続再開要求メッセージが含んでいない場合、端末デバイスは、ＲＲＣ接続拒否情報内に含まれている待ち時間情報に基づいてタイマーを始動する。
【０２０２】
別の実装において、ＲＲＣ接続再開要求メッセージ内の原因値が、端末デバイスのページングエリアが変更されていることを示していない場合、端末デバイスは、ＲＲＣ接続拒否情報内に含まれている待ち時間情報に基づいてタイマーを始動する。
【０２０３】
本出願のこの実施形態において、ページングエリア構成情報は、第２のアクセスネットワークデバイスによって決定されるか、または第２のアクセスネットワークデバイスによって送信されたページングエリア構成要件パラメータに基づいて決定されることを理解されたい。しかしながら、本出願のこの実施形態は、それに限定されるものではない。代替として、ページングエリア構成情報は、第１のアクセスネットワークデバイスによって決定され得る。この場合において、第１のアクセスネットワークデバイスは、第２のアクセスネットワークデバイス内に格納されている、端末デバイスに関連したすべての情報を含み、第１のアクセスネットワークデバイスは、第２のアクセスネットワークデバイスに取って代わることが可能である。具体的には、コアネットワークデバイスが端末デバイスをページングした場合、第１のアクセスネットワークデバイスは、ページングエリア構成情報に基づいて決定されたページングエリア内に含まれているセル内の端末デバイスをページングし得る。
【０２０４】
加えて、本出願のこの実施形態において、第２のアクセスネットワークデバイスが、選択されるセルまたはページングエリア構成要件パラメータを端末デバイスの移動スピードに基づいて決定する例を使用することによって説明が提供されているにすぎないことを理解されたい。しかしながら、本出願のこの実施形態は、それに限定されるものではない。代替として、第２のアクセスネットワークデバイスは、選択されるセルまたはページングエリア構成要件パラメータを別のファクタに基づいて決定し得る。
【０２０５】
本出願をより明確に理解しやすくするために、以降では、図３において示されている方法３００を参照しながら、本出願の実施形態における通信方法を詳細に記述するための例として、図１において示されているシナリオを使用する。
【０２０６】
図３は、本出願の実施形態による通信方法３００の概略フローチャートである。
【０２０７】
Ｓ３０１において、アクセスネットワークデバイス２１が、ページングエリア構成情報を端末デバイス１０へ送信する。ページングエリア構成情報は、たとえば、アクセスネットワークデバイス２０のセル、およびアクセスネットワークデバイス２１のセルを含む、端末デバイスが現在配置されているページングエリア内に含まれているセルを示すために使用される。
【０２０８】
Ｓ３０２において、端末デバイス１０が第１の状態にとどまる必要があると決定した場合（たとえば、端末デバイスへ伝送されることを現在必要としているデータがない場合）には、アクセスネットワークデバイス２１は、第１の状態に入るように命令する情報を端末デバイス１０へ送信し得る。この場合において、端末デバイス１０は、アクセスネットワークデバイス２１のセル内に配置され得る。
【０２０９】
Ｓ３０１およびＳ３０２の実行は、特定のシーケンスに限定されないことを理解されたい。たとえば、アクセスネットワークデバイス２１は、第１の状態に入るように端末デバイス１０に命令する前にページングエリア構成情報を端末デバイス１０へ送信し得る。あるいは、アクセスネットワークデバイス２１は、ページングエリア構成情報を端末デバイス１０へ送信する前に、第１の状態に入るように端末デバイス１０に命令し得る。あるいは、アクセスネットワークデバイス２１は、第１の状態に入るように端末デバイス１０に命令するのと同時に、ページングエリア構成情報を端末デバイス１０へ送信し得る。
【０２１０】
Ｓ３０３において、端末デバイス１０は、ページングエリア１を去り、アクセスネットワークデバイス２２のセルのカバレッジエリアに入る。端末デバイス１０は、Ｓ３０１において送信されたページングエリア構成情報に基づいて、構成されているページングエリアを端末デバイス１０が去ったと決定し得る。
【０２１１】
Ｓ３０４において、端末デバイス１０は、第１のメッセージをアクセスネットワークデバイス２２へ送信する。第１のメッセージは、端末デバイス１０のページングエリアが変更されていることを示すために使用される。
【０２１２】
Ｓ３０５において、アクセスネットワークデバイス２２は、端末デバイスの接続コンテキスト情報を要求するために使用される要求メッセージをアクセスネットワークデバイス２１へ送信し得る。
【０２１３】
端末デバイスが去った構成されているページングエリア内に含まれているセルに対応するアクセスネットワークデバイス内に端末デバイスの接続コンテキスト情報が格納される例を使用することによって方法３００が記述されていることを理解されたい。代替として、端末デバイスの接続コンテキストは、端末デバイスの接続コンテキスト情報を格納するように構成されている所定のアクセスネットワークデバイス内に格納され得る。
【０２１４】
Ｓ３０６において、アクセスネットワークデバイス２１は、端末デバイス１０の接続コンテキスト情報を決定し得る。
【０２１５】
Ｓ３０７において、アクセスネットワークデバイス２１は、端末デバイスの接続コンテキスト情報をアクセスネットワークデバイス２２へ送信し得る。
【０２１６】
本出願のこの実施形態において、アクセスネットワークデバイス２２は、アクセスネットワークデバイス２１から端末デバイス１０の接続コンテキスト情報を入手し、それによって、アクセスネットワークデバイス２２は、端末デバイス１０が第２の状態にいる必要があると決定した場合には端末デバイス１０の接続コンテキスト情報に基づいて端末デバイス１０への接続を迅速に再開することが可能である。
【０２１７】
Ｓ３０８において、端末デバイス１０から第１のメッセージを受信した後に、アクセスネットワークデバイス２２は、端末デバイス１０の入るべき状態を決定する。
【０２１８】
実装において、現在の端末デバイス１０がサービス要求を有していると決定した場合、アクセスネットワークデバイス２２は、端末デバイス１０が第２の状態にいる必要がある、言い換えれば、端末デバイス１０がデータを伝送するために接続状態に入る必要があると決定し得る。
【０２１９】
別の実装において、端末デバイス１０が現在はデータ伝送の必要性を有していないと決定した場合、アクセスネットワークデバイス２２は、端末デバイス１０が引き続き第１の状態にいる必要があると決定し得る。
【０２２０】
Ｓ３０９において、アクセスネットワークデバイス２２は、第２のメッセージを端末デバイス１０へ送信し、第２のメッセージは、端末デバイス１０の入るべき状態を示すために使用される。
【０２２１】
任意選択で、端末デバイス１０が第２の状態にいる必要があると決定した場合、アクセスネットワークデバイス２２は、端末デバイス１０の接続コンテキスト情報に基づいて第２の状態に入るように端末デバイス１０に命令するために使用される第２のメッセージを端末デバイス１０へ送信し得る。
【０２２２】
任意選択で、端末デバイス１０が第１の状態にとどまる必要があると決定した場合、アクセスネットワークデバイス２２は、第１の状態にとどまるように端末デバイス１０に命令するために使用される第２のメッセージを端末デバイス１０へ送信し得る。
【０２２３】
任意選択で、端末デバイス１０が第１の状態にとどまる必要がある場合、アクセスネットワークデバイス２２は、ページングエリア構成情報、たとえば、ページングエリア２の構成情報を第２のメッセージへ搬送して、端末デバイス１０用の新たなページングエリアを構成し得る。
【０２２４】
Ｓ３１０において、端末デバイス１０は、第２のメッセージに基づいて、端末デバイス１０の入るべき状態を決定する。
【０２２５】
任意選択で、Ｓ３１１において、端末デバイス１０が、第２のメッセージに基づいて、端末デバイス１０が第２の状態に入る必要があると決定した場合、端末デバイス１０は、接続コンテキスト情報に基づいて第２の状態に入る。加えて、３１２において、端末デバイス１０は、第３のメッセージをアクセスネットワークデバイス２２へ送信し得、第３のメッセージは、端末デバイス１０が第２の状態に入ったことをアクセスネットワークデバイス２２に通知するために使用される。
【０２２６】
任意選択で、Ｓ３１３において、端末デバイス１０が、第２のメッセージに基づいて、端末デバイス１０が第１の状態にいる必要があると決定した場合、端末デバイス１０は、第１の状態にとどまる。加えて、３１４において、端末デバイス１０は、第４のメッセージをアクセスネットワークデバイス２２へ送信し得、第４のメッセージは、端末デバイス１０が第２のメッセージを受信したことをアクセスネットワークデバイス２２に通知するために使用される。
【０２２７】
特に、端末デバイス１０は、接続コンテキスト情報に基づいて第２の状態に入り、第４のメッセージをアクセスネットワークデバイス２２へ送信し、第４のメッセージを送信した後に第１の状態に入り得る。
【０２２８】
もちろん、第１の状態にとどまることを決定した場合、端末デバイスは、第２のメッセージに返信せずに第１の状態にとどまり得る。
【０２２９】
図３における本出願のこの実施形態による方法３００におけるステップの実施に関しては、図２における本出願の実施形態による方法２００における詳細な説明を参照されたいことを理解されたい。簡潔にするために、詳細がここで再び記述されることはない。
【０２３０】
加えて、本出願のこの実施形態において、前述のプロセスのシーケンス番号は、実行シーケンスを意味していないことを理解されたい。プロセスの実行シーケンスは、プロセスの機能および内部ロジックに基づいて決定されるべきであり、本出願のこの実施形態の実施プロセスに対するいかなる限定とも解釈されてはならない。
【０２３１】
図４は、本出願の実施形態による通信方法４００の概略フローチャートである。
【０２３２】
Ｓ４０１において、第１のアクセスネットワークデバイスが、端末デバイスによって送信された第１のメッセージを受信し、第１のメッセージは、端末デバイスのページングエリアが変更されていることを第１のアクセスネットワークデバイスに通知するために使用される。
【０２３３】
たとえば、図１において示されているように、端末デバイス１０がページングエリア１内のアクセスネットワークデバイス２１のセルからアクセスネットワークデバイス２２のセルへ移動した後に、アクセスネットワークデバイス２２は、端末デバイス１０のページングエリアが変更されていることを通知するために端末デバイス１０によって送信される第１のメッセージを受信し得る。
【０２３４】
Ｓ４０２において、第１のアクセスネットワークデバイスは、ページングエリア構成情報を決定し、ページングエリア構成情報は、端末デバイス用のページングエリア構成を更新するために使用される。
【０２３５】
特に、第１のアクセスネットワークデバイスは、命令メッセージを第２のアクセスネットワークデバイスへ送信し、命令メッセージは、ページングエリア構成情報を決定するために使用される情報を第１のアクセスネットワークデバイスへ送信するように第２のアクセスネットワークデバイスに命令するために端末デバイスの識別子情報を搬送し、第１のアクセスネットワークデバイスは、第２のアクセスネットワークデバイスによって送信されてページングエリア構成情報を決定するために使用される情報を受信し、第１のアクセスネットワークデバイスは、ページングエリア構成情報を決定するために使用される情報に基づいてページングエリア構成情報を決定する。
【０２３６】
実装において、第１のアクセスネットワークデバイスは、選択されるセルを候補セルから決定するように第２のアクセスネットワークデバイスに命令するために、候補セルに関する情報を搬送する命令メッセージを第２のアクセスネットワークデバイスへ送信し、選択されたセルは、ページングエリア構成情報を決定するために使用され、第１のアクセスネットワークデバイスは、第２のアクセスネットワークデバイスによって送信される、選択されたセルに関する情報を受信し、第１のアクセスネットワークデバイスは、選択されたセルを、端末デバイス用に構成されることになるページングエリア内に含まれるセルとして決定し、ページングエリア構成情報を生成する。
【０２３７】
たとえば、図１において示されているように、端末デバイス１０用のページングエリア構成を実行したページングエリア１内のアクセスネットワークデバイスがアクセスネットワークデバイス２１であると想定すると、アクセスネットワークデバイス２２は、選択されるセルを候補セルから決定するようにアクセスネットワークデバイス２１に命令するために、候補セルに関する情報を搬送する命令メッセージをアクセスネットワークデバイス２１へ送信し、アクセスネットワークデバイス２２は、アクセスネットワークデバイス２１によって送信される、選択されたセルに関する情報を受信し、アクセスネットワークデバイス２２は、選択されたセルに基づいてページングエリア構成情報を生成する。
【０２３８】
任意選択で、本出願のこの実施形態において、第１のアクセスネットワークデバイスは、候補セルを別個に送信し得、言い換えれば、命令情報を使用することによって候補セルを送信しなくてもよい。
【０２３９】
別の実装において、本出願のこの実施形態において、第１のアクセスネットワークデバイスは、端末デバイスのページングエリア構成要件パラメータを第１のアクセスネットワークデバイスへ送信することを決定するように第２のアクセスネットワークデバイスに命令するための命令情報を第２のアクセスネットワークデバイスへ送信し、ページングエリア構成要件パラメータは、ページングエリア構成情報を決定するために使用され、第１のアクセスネットワークデバイスは、第２のアクセスネットワークデバイスによって送信される端末デバイスのページングエリア構成要件パラメータを受信し、端末デバイスのページングエリア構成要件パラメータに基づいて、第１のアクセスネットワークデバイスは、端末デバイス用に構成されることになるページングエリア内に含まれるセルを決定し、ページングエリア構成情報を生成する。
【０２４０】
たとえば、図１において示されているように、端末デバイス１０用のページングエリア構成を実行したページングエリア１内のアクセスネットワークデバイスがアクセスネットワークデバイス２１であると想定すると、アクセスネットワークデバイス２２は、命令メッセージをアクセスネットワークデバイス２１へ送信し、命令情報は、端末デバイス１０のページングエリア構成要件パラメータをアクセスネットワークデバイス２２へ送信することを決定するようにアクセスネットワークデバイス２１に命令するために端末デバイス１０の識別子情報を搬送し、アクセスネットワークデバイス２２は、アクセスネットワークデバイス２１によって送信されたページングエリア構成要件パラメータを受信し、ページングエリア構成要件パラメータに基づいて、アクセスネットワークデバイス２１は、端末デバイス１０用に構成されることになるページングエリア２内に含まれるセルを決定し、ページングエリア構成情報を生成する。
【０２４１】
任意選択で、第１のアクセスネットワークデバイスが、ページングエリア構成要件パラメータに基づいてページングエリア構成情報を生成した後に、第１のアクセスネットワークデバイスは、ページングエリア構成情報を第２のアクセスネットワークデバイスへ送信し得、それによって、端末デバイスをページングするためのページング情報を受信した後に、第２のアクセスネットワークデバイスは、ページングエリア構成情報に基づいて決定されたページングエリア内に含まれているセル内の端末デバイスをページングすることが可能である。
【０２４２】
たとえば、図１において示されているように、アクセスネットワークデバイス２２は、ページングエリア構成情報をアクセスネットワークデバイス２１へ送信する。
【０２４３】
Ｓ４０３において、第１のアクセスネットワークデバイスは、ページングエリア構成情報を含む第２のメッセージを端末デバイスへ送信し、それによって端末デバイスは、第２のメッセージ内のページングエリア構成情報に基づいて構成を実行して、端末デバイスの現在のページングエリアを決定することが可能である。
【０２４４】
たとえば、図１において示されているように、アクセスネットワークデバイス２２は、ページングエリア構成情報を含む第２のメッセージを端末デバイス１０へ送信し、それによって端末デバイス１０は、第２のメッセージ内のページングエリア構成情報に基づいて構成を実行することが可能である。
【０２４５】
したがって、本出願のこの実施形態において、第１のアクセスネットワークデバイスは、端末デバイスが配置されているページングエリア内に含まれているセルを知っており、それによって、端末デバイスをページングするためのページング情報を受信した後に、第１のアクセスネットワークデバイスは、ページングエリア構成情報に基づいて決定されたページングエリア内に含まれているセル内の端末デバイスをページングすることが可能であり、コアネットワークデバイスは、端末デバイスが配置されているページングエリアを知っている必要はない。
【０２４６】
図５は、本出願の実施形態による通信方法５００の概略フローチャートである。
【０２４７】
Ｓ５０１において、第１のアクセスネットワークデバイス２２が、端末デバイス１０によって送信された第１のメッセージを受信し、第１のメッセージは、端末デバイス１０のページングエリアが変更されていることを第１のアクセスネットワークデバイス２２に通知するために使用される。
【０２４８】
任意選択で、Ｓ５０２において、第１のアクセスネットワーク２２デバイスは、命令メッセージを第２のアクセスネットワークデバイス２１へ送信し、命令メッセージは、ページングエリア構成情報を決定するために使用される情報を第１のアクセスネットワークデバイス２２へ送信するように第２のアクセスネットワークデバイス２１に命令するために端末デバイス１０の識別子情報を搬送する。
【０２４９】
実装において、第１のアクセスネットワークデバイス２２は、選択されるセルを候補セルから決定するように第２のアクセスネットワークデバイス２１に命令するために、候補セルに関する情報を搬送する命令情報を第２のアクセスネットワークデバイス２１へ送信し、選択されたセルは、ページングエリア構成情報を決定するために使用される。
【０２５０】
別の実装において、第１のアクセスネットワークデバイス２２は、端末デバイス１０のページングエリア構成要件パラメータを第１のアクセスネットワークデバイス２２へ送信するように第２のアクセスネットワークデバイス２１に命令するための命令メッセージを第２のアクセスネットワークデバイス２１へ送信し、ページングエリア構成要件パラメータは、ページングエリア構成情報を決定するために使用される。
【０２５１】
任意選択で、５０３において、第２のアクセスネットワークデバイス２１は、ページングエリア構成情報を決定するために使用される情報を決定する。
【０２５２】
実装において、第２のアクセスネットワークデバイスが、候補セルに関する情報を搬送する命令情報を受信した場合、第２のアクセスネットワークデバイスは、ページングエリア構成情報を決定するために使用される情報を決定する。
【０２５３】
別の実装において、端末デバイスのページングエリア構成要件パラメータを第１のアクセスネットワークデバイスへ送信するように第２のアクセスネットワークデバイスに命令するために使用される命令情報を第２のアクセスネットワークデバイスが受信した場合、第２のアクセスネットワークデバイスは、選択されたセルに関する情報を第１のアクセスネットワークデバイスへ送信する。
【０２５４】
任意選択で、Ｓ５０４において、第１のアクセスネットワークデバイスは、第２のアクセスネットワークデバイスによって送信されてページングエリア構成情報を決定するために使用される情報を受信する。
【０２５５】
実装において、選択されるセルを候補セルから決定するように第２のアクセスネットワークデバイスに命令するために命令情報が使用された場合、第２のアクセスネットワークデバイスは、端末デバイスのページングエリア構成要件パラメータを第１のアクセスネットワークデバイスへ送信する。
【０２５６】
別の実装において、端末デバイスのページングエリア構成要件パラメータを第１のアクセスネットワークデバイスへ送信するように第２のアクセスネットワークデバイスに命令するために命令メッセージが使用された場合、第１のアクセスネットワークデバイスは、第２のアクセスネットワークデバイスによって送信されたページングエリア構成要件パラメータを受信する。
【０２５７】
Ｓ５０５において、第１のアクセスネットワークデバイスは、ページングエリア構成情報を決定するために使用される情報に基づいてページングエリア構成情報を決定する。
【０２５８】
任意選択で、第１のアクセスネットワークデバイスが、選択されたセルに関する情報を受信した場合、第１のアクセスネットワークデバイスは、選択されたセルを、端末デバイス用に構成されることになるページングエリア内に含まれるセルとして決定し、ページングエリア構成情報を生成する。
【０２５９】
任意選択で、第１のアクセスネットワークデバイスがページングエリア構成要件パラメータを受信した場合、端末デバイスのページングエリア構成要件パラメータに基づいて、第１のアクセスネットワークデバイスは、端末デバイス用に構成されることになるページングエリア内に含まれるセルを決定し、ページングエリア構成情報を生成する。
【０２６０】
任意選択で、Ｓ５０６において、第２のアクセスネットワークデバイスが、端末デバイスのページングエリア構成要件パラメータを第１のアクセスネットワークデバイスへ送信した後に、第２のアクセスネットワークデバイスは、端末デバイスのページングエリア構成要件パラメータに基づいて生成されて第１のアクセスネットワークデバイスによって送信されるページングエリア構成情報を受信する。このようにして、端末デバイスをページングするためのページング情報をその後に受信した後に、第２のアクセスネットワークデバイスは、ページングエリア構成情報に基づいて決定されたページングエリア内に含まれているセル内の端末デバイスをページングすることが可能である。
【０２６１】
Ｓ５０７において、第１のアクセスネットワークデバイスは、ページングエリア構成情報を搬送する第２のメッセージを端末デバイスへ送信する。
【０２６２】
任意選択で、端末デバイスは、ページングエリア構成情報に基づいて構成を実行して、端末デバイスが現在配置されているページングエリア内に含まれるセルを決定する。
【０２６３】
図１から図５を参照しながら、前述の内容は、本出願の実施形態による通信方法を詳細に記述している。図６から図１０を参照しながら、以降では、本出願の実施形態による端末デバイスおよびアクセスネットワークデバイスを詳細に記述している。
【０２６４】
図６は、本出願の実施形態による端末デバイス６００の概略ブロック図である。図６において示されているように、端末デバイス６００は、決定モジュール６０１、送信モジュール６０２、受信モジュール６０３、および処理モジュール６０４を含む。
【０２６５】
決定モジュール６０１は、第１の状態にある端末デバイスのページングエリアが変更されていると決定するように構成されており、第１の状態は、端末デバイスがページングをリッスンしており、かつ端末デバイスの接続コンテキスト情報を格納している状態を含む。
【０２６６】
送信モジュール６０２は、第１のメッセージを第１のアクセスネットワークデバイスへ送信するように構成されており、第１のメッセージは、端末デバイスのページングエリアが変更されていることを第１のアクセスネットワークデバイスに通知するために使用され、第１のアクセスネットワークデバイスは、端末デバイスのサービングアクセスネットワークデバイスである。
【０２６７】
受信モジュール６０３は、第１のメッセージに基づいて第１のアクセスネットワークデバイスによって送信された第２のメッセージを受信するように構成されている。
【０２６８】
決定モジュール６０１は、受信モジュールによって受信された第２のメッセージに基づいて、端末デバイスの入るべき状態を決定するように構成されている。
【０２６９】
処理モジュール６０４は、入るべき状態が第２の状態であると決定モジュールが決定した場合、格納されている接続コンテキスト情報に基づいて第２の状態に入るように構成されており、第２の状態は、端末デバイスおよび第１のアクセスネットワークデバイスが接続されていることを含む。
【０２７０】
したがって、本出願のこの実施形態において、構成されているページングエリアを去った後に、第１の状態にある端末デバイスは、端末デバイスのページングエリアが変更されていることを第１のアクセスネットワークデバイスに通知するために使用される第１のメッセージを第１のアクセスネットワークデバイスへ送信し、端末デバイスは、第１のアクセスネットワークデバイスによって送信された第２のメッセージに基づいて、端末デバイスの入るべき状態を決定する。端末デバイスが接続状態に入る必要がある場合、端末デバイスは、アクセスネットワークデバイスへの別の接続をセットアップすることなく、格納されている接続コンテキスト情報に基づいて接続状態に直接入ることが可能である。このようにして、端末デバイスは、接続状態に迅速に入ることが可能である。加えて、端末デバイスは、端末デバイスのページングエリアが変更されていることをコアネットワークデバイスに通知する必要はない。これは、アクセスネットワークデバイスとコアネットワークデバイスとの間におけるシグナリングを低減し、それによってシグナリングオーバーヘッドを低減することが可能である。
【０２７１】
加えて、第１のアクセスネットワークデバイスは、第２のアクセスネットワークデバイスから接続コンテキスト情報を入手し、それによって、第１のアクセスネットワークデバイスは、端末デバイスが第２の状態に入る必要があると決定した場合、接続コンテキストに基づいて端末デバイスへの接続を迅速にセットアップすることが可能である。
【０２７２】
任意選択で、本出願のこの実施形態において、端末デバイスが、接続コンテキスト情報に基づいて第２の状態に入った場合、送信モジュール６０２は、第３のメッセージを第１のアクセスネットワークデバイスへ送信するようにさらに構成されており、第３のメッセージは、端末デバイスが第２の状態に入ったことを第１のアクセスネットワークデバイスに通知するために使用される。
【０２７３】
任意選択で、本出願のこの実施形態において、処理モジュール６０４は、入るべき状態が第１の状態であると決定モジュールが決定した場合、第１の状態にとどまるようにさらに構成されている。
【０２７４】
任意選択で、本出願のこの実施形態において、決定モジュール６０１が、第１の状態にとどまることを決定した場合、送信モジュール６０２は、格納されているコンテキスト情報に基づいて第４のメッセージを第１のアクセスネットワークデバイスへ送信するようにさらに構成されており、第４のメッセージは、端末デバイスが第２のメッセージを受信したことを示すために使用される。
【０２７５】
任意選択で、本出願のこの実施形態において、決定モジュール６０１は、第２のメッセージのタイプおよび／または第２のメッセージ内に含めて搬送されているコンテンツに基づいて、端末デバイスの入るべき状態を決定するように特に構成されている。
【０２７６】
任意選択で、本出願のこの実施形態において、第２のメッセージ内に含めて搬送されているコンテンツは、状態表示情報および／またはページングエリア構成情報を含み得る。
【０２７７】
任意選択で、状態表示情報は、端末デバイスの入るべき状態を示すために使用される。
【０２７８】
任意選択で、ページングエリア構成情報は、端末デバイス用のページングエリア構成を更新するために使用される。
【０２７９】
任意選択で、本出願のこの実施形態において、第１のメッセージのタイプは、ＲＲＣ接続再開要求メッセージである。ＲＲＣ接続再開要求メッセージは、第１のアクセスネットワークデバイスへのＲＲＣ接続を再開するように要求するために使用され、ＲＲＣ接続再開要求メッセージは、端末デバイスのページングエリアが変更されていることを第１のアクセスネットワークデバイスに通知するために使用され得る。
【０２８０】
任意選択で、ＲＲＣ接続再開要求メッセージ内の原因値は、端末デバイスのページングエリアが変更されていることを示し得る。
【０２８１】
任意選択で、本出願のこの実施形態において、第１のメッセージのタイプが、ＲＲＣ接続再開要求メッセージである場合、第２のメッセージのタイプは、ＲＲＣ接続再開メッセージまたはＲＲＣ接続拒否メッセージである。ＲＲＣ接続再開メッセージは、ＲＲＣ接続を再開するように端末デバイスに命令するために使用され、ＲＲＣ接続拒否メッセージは、第１のアクセスネットワークデバイスがＲＲＣ接続の再開を拒否することを示すために使用される。
【０２８２】
任意選択で、本出願のこの実施形態において、決定モジュール６０１は、第２のメッセージのタイプがＲＲＣ接続拒否メッセージである場合、入るべき状態が第１の状態であると決定し、
第２のメッセージのタイプがＲＲＣ接続再開メッセージである場合、入るべき状態が第２の状態であると決定し、
第２のメッセージのタイプがＲＲＣ接続再開メッセージであり、第２のメッセージ内に含めて搬送されているコンテンツが、第１の状態にいるように端末デバイスに命令するために使用されている場合、入るべき状態が第１の状態であると決定し、
第２のメッセージのタイプがＲＲＣ接続再開メッセージであり、第２のメッセージ内に含めて搬送されているコンテンツが、第２の状態にいるように端末デバイスに命令するために使用されている場合、入るべき状態が第２の状態であると決定するようにさらに構成されている。
【０２８３】
任意選択で、本出願のこの実施形態において、第２のメッセージのタイプがＲＲＣ接続再開メッセージである場合、処理モジュール６０４は、入るべき状態が第１の状態であると決定モジュール６０１がＲＲＣ接続再開メッセージに基づいて決定した場合、ＲＲＣ接続再開メッセージ内の、ＲＲＣ接続を再開するために使用される暗号化パラメータを無視するようにさらに構成されている。
【０２８４】
任意選択で、本出願のこの実施形態において、第２のメッセージがＲＲＣ接続拒否メッセージである場合、処理モジュール６０４は、入るべき状態が第１の状態であると決定モジュール６０１がＲＲＣ接続拒否メッセージに基づいて決定した場合、ＲＲＣ接続拒否メッセージ内に含まれている待ち時間情報を無視するようにさらに構成されており、待ち時間情報は、端末デバイスと第１のアクセスネットワークデバイスとの間におけるＲＲＣ接続を再開するために必要とされる待ち時間を示すために使用される。
【０２８５】
任意選択で、本出願のこの実施形態において、受信モジュール６０３は、第２のアクセスネットワークデバイスによって送信された命令情報を受信するようにさらに構成されており、命令情報は、第１の状態に入るように端末デバイスに命令するために使用され、命令情報は、端末デバイス用のページングエリアを構成するために使用されるページングエリア構成情報を含む。
【０２８６】
本出願のこの実施形態による端末デバイス６００は、本出願の実施形態における端末デバイスに対応していることがあり、端末デバイス６００内のモジュールの前述のおよびその他のオペレーションおよび／または機能は、図１から図５における方法の対応する手順を実施することを意図されていることを理解されたい。簡潔にするために、詳細がここで再び記述されることはない。
【０２８７】
図７は、本出願の実施形態によるアクセスネットワークデバイス７００の概略ブロック図である。図７において示されているように、アクセスネットワークデバイス７００は、受信モジュール７０１、決定モジュール７０２、および送信モジュール７０３を含む。
【０２８８】
受信モジュール７０１は、第１の状態にある端末デバイスによって送信された第１のメッセージを受信するように構成されており、第１のメッセージは、端末デバイスのページングエリアが変更されていることをアクセスネットワークデバイスに通知するために使用され、第１の状態は、端末デバイスがページングをリッスンしており、かつ端末デバイスの接続コンテキスト情報を格納している状態を含む。
【０２８９】
受信モジュール７０１は、第２のアクセスネットワークデバイスから端末デバイスの接続コンテキスト情報を入手するようにさらに構成されており、第２のアクセスネットワークデバイスは、端末デバイス用に構成されているページングエリア内に含まれているセルに対応するアクセスネットワークデバイスであるか、または端末デバイスの接続コンテキスト情報を格納するように構成されている所定のアクセスネットワークデバイスである。
【０２９０】
決定モジュール７０２は、端末デバイスの入るべき状態を決定するように構成されている。
【０２９１】
送信モジュール７０３は、入るべき状態が第２の状態であると決定モジュール７０２が決定した場合、第２の状態に入るように端末デバイスに命令するために使用される第２のメッセージを、端末デバイスの接続コンテキスト情報に基づいて端末デバイスへ送信するように構成されている。
【０２９２】
任意選択で、本出願のこの実施形態において、第２の状態に入るように端末デバイスに命令するために使用される第２のメッセージを送信モジュール７０３が端末デバイスへ送信した後に、受信モジュール７０１は、端末デバイスによって送信された第３のメッセージを受信するようにさらに構成されており、第３のメッセージは、端末デバイスが第２の状態に入ったことをアクセスネットワークデバイスに通知するために使用される。
【０２９３】
任意選択で、本出願のこの実施形態において、端末デバイスの入るべき状態が第１の状態であると決定モジュール７０２が決定した場合、送信モジュール７０３は、第１の状態にとどまるように端末デバイスに命令するために使用される第２のメッセージを端末デバイスへ送信するようにさらに構成されている。
【０２９４】
任意選択で、本出願のこの実施形態において、第１の状態にとどまるように端末デバイスに命令するために使用される第２のメッセージを送信モジュール７０３が端末デバイスへ送信した後に、受信モジュール７０１は、格納されているコンテキスト情報に基づいて端末デバイスによって送信された第４のメッセージを受信するようにさらに構成されており、第４のメッセージは、端末デバイスが第２のメッセージを受信したことを示すために使用される。
【０２９５】
任意選択で、本出願のこの実施形態において、第２のメッセージ内に含めて搬送されているコンテンツは、状態表示情報および／またはページングエリア構成情報を含み得る。
【０２９６】
任意選択で、状態表示情報は、端末デバイスの入るべき状態を示すために使用される。
【０２９７】
任意選択で、ページングエリア構成情報は、端末デバイス用のページングエリア構成を更新するために使用される。
【０２９８】
任意選択で、本出願のこの実施形態において、第１のメッセージのタイプは、ＲＲＣ接続再開要求メッセージである。ＲＲＣ接続再開要求メッセージは、第１のアクセスネットワークデバイスへのＲＲＣ接続を再開するように要求するために使用され、ＲＲＣ接続再開要求メッセージは、端末デバイスのページングエリアが変更されていることを第１のアクセスネットワークデバイスに通知するために使用され得る。
【０２９９】
任意選択で、ＲＲＣ接続再開要求メッセージ内の原因値は、端末デバイスのページングエリアが変更されていることを示し得る。
【０３００】
任意選択で、本出願のこの実施形態において、第１のメッセージのタイプが、ＲＲＣ接続再開要求メッセージである場合、第２のメッセージのタイプは、ＲＲＣ接続再開メッセージまたはＲＲＣ接続拒否メッセージである。ＲＲＣ接続再開メッセージは、ＲＲＣ接続を再開するように端末デバイスに命令するために使用され、ＲＲＣ接続拒否メッセージは、第１のアクセスネットワークデバイスがＲＲＣ接続の再開を拒否することを示すために使用される。
【０３０１】
任意選択で、本出願のこの実施形態において、メッセージタイプがＲＲＣ接続拒否メッセージである第２のメッセージは、第１の状態にとどまるように端末デバイスに命令するために使用され、
第１の状態に入るように端末デバイスに命令するコンテンツを搬送する、メッセージタイプがＲＲＣ接続再開メッセージである第２のメッセージは、第１の状態にとどまるように端末デバイスに命令するために使用され、
メッセージタイプがＲＲＣ接続再開メッセージである第２のメッセージは、第２の状態に入るように端末デバイスに命令するために使用され、
第２の状態に入るように端末デバイスに命令するために使用されるコンテンツを搬送する、メッセージタイプがＲＲＣ接続再開メッセージである第２のメッセージは、第２の状態に入るように端末デバイスに命令するために使用される。
【０３０２】
任意選択で、本出願のこの実施形態において、送信モジュール７０３は、候補セルに関する情報を第２のアクセスネットワークデバイスへ送信するようにさらに構成されている。
【０３０３】
受信モジュール７０１は、第２のアクセスネットワークデバイスによって送信される選択されたセルに関する情報を受信するようにさらに構成されている。
【０３０４】
決定モジュール７０２は、選択されたセルに関する情報に基づいてページングエリア構成情報を生成するようにさらに構成されている。
【０３０５】
任意選択で、本出願のこの実施形態において、送信モジュール７０３は、第１の命令メッセージを第２のアクセスネットワークデバイスへ送信するようにさらに構成されており、第１の命令メッセージは、端末デバイスのページングエリア構成要件パラメータをアクセスネットワークデバイスへ送信するように第２のアクセスネットワークデバイスに命令するために端末デバイスの識別子情報を搬送する。
【０３０６】
受信モジュール７０１は、第２のアクセスネットワークデバイスによって送信される端末デバイスのページングエリア構成要件パラメータを受信するようにさらに構成されている。
【０３０７】
決定モジュール７０２は、端末デバイスのページングエリア構成要件パラメータに基づいて、端末デバイス用に構成されることになるページングエリア内に含まれるセルを決定し、ページングエリア構成情報を生成するようにさらに構成されている。
【０３０８】
任意選択で、本出願のこの実施形態において、決定モジュール７０２が、端末デバイスのページングエリア構成要件パラメータに基づいてページングエリア構成情報を生成した後に、送信モジュール７０３は、ページングエリア構成情報を第２のアクセスネットワークデバイスへ送信するようにさらに構成されている。
【０３０９】
本出願のこの実施形態によるアクセスネットワークデバイス７００は、本出願の実施形態における第１のアクセスネットワークデバイスに対応していることがあり、アクセスネットワークデバイス７００内のモジュールの前述のおよびその他のオペレーションおよび／または機能は、図２および図３における方法の対応する手順を実施することを意図されていることを理解されたい。簡潔にするために、詳細がここで再び記述されることはない。
【０３１０】
図８は、本出願の実施形態によるアクセスネットワークデバイス８００の概略ブロック図である。図８において示されているように、アクセスネットワークデバイス８００は、受信モジュール８０１、決定モジュール８０２、および送信モジュール８０３を含む。
【０３１１】
受信モジュール８０１は、第１のアクセスネットワークデバイスによって送信された第１の命令メッセージを受信するように構成されており、第１の命令メッセージは、端末デバイスの接続コンテキスト情報を要求するために端末デバイスの識別子情報を搬送し、第１の命令メッセージは、第１のメッセージを受信した後に、第１のアクセスネットワークデバイスによって送信され、第１のメッセージは、第１の状態にある端末デバイスのページングエリアが変更されていることを第１のアクセスネットワークデバイスに通知するために使用され、第１のアクセスネットワークデバイスは、端末デバイスのサービングアクセスネットワークデバイスであり、第１の状態は、端末デバイスがページングをリッスンしており、かつ端末デバイスの接続コンテキスト情報を格納している状態を含む。
【０３１２】
決定モジュール８０２は、端末デバイスの識別子情報に基づいて端末デバイスの接続コンテキスト情報を決定するように構成されている。
【０３１３】
送信モジュール８０３は、コンテキスト転送メッセージを第１のアクセスネットワークデバイスへ送信するように構成されており、コンテキスト転送メッセージは、端末デバイスの接続コンテキスト情報を含む。
【０３１４】
任意選択で、本出願のこの実施形態において、第１のアクセスネットワークデバイスによって送信された第１の命令メッセージを受信モジュール８０１が受信する前に、送信モジュール８０３は、端末デバイスがアクセスネットワークデバイスのセル内に配置されている場合、第１の状態に入るように命令する情報を端末デバイスへ送信するようにさらに構成されている。
【０３１５】
任意選択で、本出願のこの実施形態において、受信モジュール８０１は、第１のアクセスネットワークデバイスによって送信される候補セルに関する情報を受信するようにさらに構成されている。
【０３１６】
決定モジュール８０２は、選択されるセルを候補セルに基づいて決定するようにさらに構成されている。
【０３１７】
送信モジュール８０３は、選択されたセルに関する情報を第１のアクセスネットワークデバイスへ送信するようにさらに構成されている。
【０３１８】
任意選択で、本出願のこの実施形態において、受信モジュール８０１は、第１のアクセスネットワークデバイスによって送信された第１の命令情報を受信するようにさらに構成されており、第１の命令メッセージは、端末デバイスのページングエリア構成要件パラメータを第１のアクセスネットワークデバイスへ送信するようにアクセスネットワークデバイスに命令するために端末デバイスの識別子情報を搬送する。
【０３１９】
決定モジュール８０２は、端末デバイスのページングエリア構成要件パラメータを決定するようにさらに構成されている。
【０３２０】
送信モジュール８０３は、端末デバイスのページングエリア構成要件パラメータを第１のアクセスネットワークデバイスへ送信するようにさらに構成されている。
【０３２１】
任意選択で、本出願のこの実施形態において、受信モジュール８０１は、端末デバイスのページングエリア構成要件パラメータに基づいて生成されて第１のアクセスネットワークデバイスによって送信されるページングエリア構成情報を受信するようにさらに構成されている。
【０３２２】
本出願のこの実施形態によるアクセスネットワークデバイス８００は、本出願の実施形態における第２のアクセスネットワークデバイスに対応していることがあり、アクセスネットワークデバイス８００内のモジュールの前述のおよびその他のオペレーションおよび／または機能は、図２および図３における方法の対応する手順を実施することを意図されていることを理解されたい。簡潔にするために、詳細がここで再び記述されることはない。
【０３２３】
図９は、本出願の実施形態によるアクセスネットワークデバイス９００の概略ブロック図である。図９において示されているように、アクセスネットワークデバイス９００は、受信モジュール９０１、決定モジュール９０２、および送信モジュール９０３を含む。
【０３２４】
受信モジュール９０１は、端末デバイスによって送信された第１のメッセージを受信するように構成されており、第１のメッセージは、端末デバイスのページングエリアが変更されていることをアクセスネットワークデバイスに通知するために使用される。
【０３２５】
決定モジュール９０２は、ページングエリア構成情報を決定するように構成されており、ページングエリア構成情報は、端末デバイス用のページングエリア構成を更新するために使用される。
【０３２６】
送信モジュール９０３は、ページングエリア構成情報を含む第２のメッセージを端末デバイスへ送信するように構成されている。
【０３２７】
したがって、第１のアクセスネットワークデバイスは、端末デバイスが配置されているページングエリア内に含まれているセルを知っており、それによって、端末デバイスをページングするためのページング情報を受信した後に、アクセスネットワークデバイスは、ページングエリア構成情報に基づいて決定されたページングエリア内に含まれているセル内の端末デバイスをページングすることが可能であり、コアネットワークデバイスは、端末デバイスが配置されているページングエリアを知っている必要はない。
【０３２８】
任意選択で、本出願のこの実施形態において、送信モジュール９０３は、命令メッセージを第２のアクセスネットワークデバイスへ送信するようにさらに構成されており、命令メッセージは、ページングエリア構成情報を決定するために使用される情報をアクセスネットワークデバイスへ送信するように第２のアクセスネットワークデバイスに命令するために端末デバイスの識別子情報を搬送する。
【０３２９】
受信モジュール９０１は、第２のアクセスネットワークデバイスによって送信されてページングエリア構成情報を決定するために使用される情報を受信するようにさらに構成されている。
【０３３０】
決定モジュール９０２は、ページングエリア構成情報を決定するために使用される情報に基づいてページングエリア構成情報を決定するようにさらに構成されている。
【０３３１】
実装において、送信モジュール９０３は、選択されるセルを候補セルから決定するように第２のアクセスネットワークデバイスに命令するために、候補セルに関する情報を搬送する命令メッセージを第２のアクセスネットワークデバイスへ送信するようにさらに構成されており、選択されたセルは、ページングエリア構成情報を決定するために使用される。
【０３３２】
受信モジュール９０１は、第２のアクセスネットワークデバイスによって送信される選択されたセルに関する情報を受信するようにさらに構成されている。
【０３３３】
決定モジュール９０２は、選択されたセルを、端末デバイス用に構成されることになるページングエリア内に含まれるセルとして決定し、ページングエリア構成情報を生成するようにさらに構成されている。
【０３３４】
別の実装において、送信モジュール９０３は、端末デバイスのページングエリア構成要件パラメータをアクセスネットワークデバイスへ送信することを決定するように第２のアクセスネットワークデバイスに命令するための命令情報を第２のアクセスネットワークデバイスへ送信するようにさらに構成されており、ページングエリア構成要件パラメータは、ページングエリア構成情報を決定するために使用される。
【０３３５】
受信モジュール９０１は、第２のアクセスネットワークデバイスによって送信される端末デバイスのページングエリア構成要件パラメータを受信するようにさらに構成されている。
【０３３６】
決定モジュール９０２は、端末デバイスのページングエリア構成要件パラメータに基づいて、端末デバイス用に構成されることになるページングエリア内に含まれるセルを決定し、ページングエリア構成情報を生成するようにさらに構成されている。
【０３３７】
任意選択で、本出願のこの実施形態において、決定モジュール９０２が、端末デバイスのページングエリア構成要件パラメータに基づいてページングエリア構成情報を生成した後に、送信モジュール９０３は、ページングエリア構成情報を第２のアクセスネットワークデバイスへ送信するようにさらに構成されている。
【０３３８】
本出願のこの実施形態によるアクセスネットワークデバイス９００は、本出願の実施形態における第１のアクセスネットワークデバイスに対応していることがあり、アクセスネットワークデバイス９００内のモジュールの前述のおよびその他のオペレーションおよび／または機能は、図４および図５における方法の対応する手順を実施することを意図されていることを理解されたい。簡潔にするために、詳細がここで再び記述されることはない。
【０３３９】
図１０は、本出願の実施形態によるアクセスネットワークデバイス１０００の概略ブロック図である。図１０において示されているように、アクセスネットワークデバイス１０００は、受信モジュール１００１、決定モジュール１００２、および送信モジュール１００３を含む。
【０３４０】
受信モジュール１００１は、第１のアクセスネットワークデバイスによって送信された命令メッセージを受信するように構成されており、命令メッセージは、端末デバイスの識別子情報を搬送し、命令情報は、ページングエリア構成情報を決定するために使用される情報を第１のアクセスネットワークデバイスへ送信するようにアクセスネットワークデバイスに命令するために使用される。
【０３４１】
決定モジュール１００２は、ページングエリア構成情報を決定するために使用される情報を決定するように構成されている。
【０３４２】
送信モジュール１００３は、ページングエリア構成情報を決定するために使用される情報を第１のアクセスネットワークデバイスへ送信するように構成されている。
【０３４３】
実装において、受信モジュール１００１は、第１のアクセスネットワークデバイスによって送信されて候補セルに関する情報を搬送する命令メッセージを受信するようにさらに構成されており、命令メッセージは、選択されるセルを候補セルから決定するようにアクセスネットワークデバイスに命令するために使用される。
【０３４４】
決定モジュール１００２は、選択されるセルを候補セルに基づいて決定するようにさらに構成されている。
【０３４５】
送信モジュール１００３は、選択されたセルに関する情報を第１のアクセスネットワークデバイスへ送信するようにさらに構成されている。
【０３４６】
別の実装において、受信モジュール１００１は、第１のアクセスネットワークデバイスによって送信された命令情報を受信するようにさらに構成されており、命令メッセージは、端末デバイスのページングエリア構成要件パラメータを第１のアクセスネットワークデバイスへ送信することを決定するようにアクセスネットワークデバイスに命令するために使用される。
【０３４７】
決定モジュール１００２は、端末デバイスのページングエリア構成要件パラメータを決定するようにさらに構成されている。
【０３４８】
送信モジュール１００３は、端末デバイスのページングエリア構成要件パラメータを第１のアクセスネットワークデバイスへ送信するようにさらに構成されている。
【０３４９】
任意選択で、本出願のこの実施形態において、受信モジュール１００１は、端末デバイスのページングエリア構成要件パラメータに基づいて生成されて第１のアクセスネットワークデバイスによって送信されるページングエリア構成情報を受信するようにさらに構成されている。
【０３５０】
本出願のこの実施形態によるアクセスネットワークデバイス１０００は、本出願の実施形態における第２のアクセスネットワークデバイスに対応していることがあり、アクセスネットワークデバイス１０００内のモジュールの前述のおよびその他のオペレーションおよび／または機能は、図４および図５における方法の対応する手順を実施することを意図されていることを理解されたい。簡潔にするために、詳細がここで再び記述されることはない。
【０３５１】
図１１は、本出願の実施形態による端末デバイス１１００の概略構造図である。図１１において示されているように、端末デバイス１１００は、プロセッサ１１０１、メモリ１１０２、受信機１１０４、バスシステム１１０３、および送信機１１０５を含む。プロセッサ１１０１、メモリ１１０２、受信機１１０４、および送信機１１０５は、バスシステム１１０３を使用することによって接続され得る。メモリ１１０２は、命令を格納するように構成されている。プロセッサ１１０１は、メモリ１１０２内に格納されている命令を実行し、受信機１１０４を制御して情報を受信し、送信機１１０５を制御して情報を送信するように構成されている。
【０３５２】
プロセッサ１１０１は、第１の状態にある端末デバイスのページングエリアが変更されていると決定するように構成されている。第１の状態において、端末デバイスは、ページングをリッスンしており、かつ、端末デバイスの接続コンテキスト情報を格納している。
【０３５３】
送信機１１０５は、第１のメッセージを第１のアクセスネットワークデバイスへ送信するように構成されており、第１のメッセージは、端末デバイスのページングエリアが変更されていることを第１のアクセスネットワークデバイスに通知するために使用され、第１のアクセスネットワークデバイスは、端末デバイスのサービングアクセスネットワークデバイスである。
【０３５４】
受信機１１０４は、第１のメッセージに基づいて第１のアクセスネットワークデバイスによって送信された第２のメッセージを受信するように構成されている。
【０３５５】
プロセッサ１１０１は、受信機１１０４によって受信された第２のメッセージに基づいて、端末デバイスの入るべき状態を決定するようにさらに構成されている。
【０３５６】
プロセッサ１１０１は、端末デバイスが第２の状態にいる必要があるとプロセッサ１１０１が決定した場合、格納されている接続コンテキスト情報に基づいて第２の状態に入るようにさらに構成されている。第２の状態において、端末デバイスおよび第１のアクセスネットワークデバイスは、接続状態にある。
【０３５７】
本出願のこの実施形態による端末デバイス１１００は、本出願の実施形態における端末デバイスに対応していることがあり、端末デバイス１１００内のモジュールの前述のおよびその他のオペレーションおよび／または機能は、図１から図５における方法の対応する手順を実施することを意図されていることを理解されたい。簡潔にするために、詳細がここで再び記述されることはない。
【０３５８】
図１２は、本出願の実施形態によるアクセスネットワークデバイス１２００の概略構造図である。図１２において示されているように、アクセスネットワークデバイス１２００は、プロセッサ１２０１、メモリ１２０２、受信機１２０４、バスシステム１２０３、および送信機１２０５を含む。プロセッサ１２０１、メモリ１２０２、受信機１２０４、および送信機１２０５は、バスシステム１２０３を使用することによって接続され得る。メモリ１２０２は、命令を格納するように構成されている。プロセッサ１２０１は、メモリ１２０２内に格納されている命令を実行し、受信機１２０４を制御して情報を受信し、送信機１２０５を制御して情報を送信するように構成されている。
【０３５９】
受信機１２０４は、第１の状態にある端末デバイスによって送信された第１のメッセージを受信するように構成されており、第１のメッセージは、端末デバイスのページングエリアが変更されていることをアクセスネットワークデバイスに通知するために使用される。第１の状態において、端末デバイスは、ページングをリッスンしており、かつ、端末デバイスは、端末デバイスの接続コンテキスト情報を格納している。
【０３６０】
受信機１２０４は、第２のアクセスネットワークデバイスから端末デバイスの接続コンテキスト情報を入手するようにさらに構成されており、第２のアクセスネットワークデバイスは、端末デバイス用に構成されているページングエリア内に含まれているセルに対応するアクセスネットワークデバイスであるか、または端末デバイスの接続コンテキスト情報を格納するように構成されている所定のアクセスネットワークデバイスである。
【０３６１】
プロセッサ１２０１は、端末デバイスの入るべき状態を決定するように構成されている。
【０３６２】
送信機１２０５は、端末デバイスが第２の状態にいる必要があると決定された場合、第２の状態に入るように端末デバイスに命令するために使用される第２のメッセージを、端末デバイスの接続コンテキスト情報に基づいて端末デバイスへ送信するように構成されている。
【０３６３】
本出願のこの実施形態によるアクセスネットワークデバイス１２００は、本出願の実施形態における第１のアクセスネットワークデバイスに対応していることがあり、アクセスネットワークデバイス１２００内のモジュールの前述のおよびその他のオペレーションおよび／または機能は、図２および図３における方法の対応する手順を実施することを意図されていることを理解されたい。簡潔にするために、詳細がここで再び記述されることはない。
【０３６４】
図１３は、本出願の実施形態によるアクセスネットワークデバイス１３００の概略構造図である。図１３において示されているように、アクセスネットワークデバイス１３００は、プロセッサ１３０１、メモリ１３０２、受信機１３０４、バスシステム１３０３、および送信機１３０５を含む。プロセッサ１３０１、メモリ１３０２、受信機１３０４、および送信機１３０５は、バスシステム１３０３を使用することによって接続され得る。メモリ１３０２は、命令を格納するように構成されている。プロセッサ１３０１は、メモリ１３０２内に格納されている命令を実行し、受信機１３０４を制御して情報を受信し、送信機１３０５を制御して情報を送信するように構成されている。
【０３６５】
受信機１３０４は、第１のアクセスネットワークデバイスによって送信された第１の命令メッセージを受信するように構成されており、第１の命令メッセージは、端末デバイスの接続コンテキスト情報を要求するために端末デバイスの識別子情報を搬送し、第１の命令メッセージは、第１のメッセージを受信した後に、第１のアクセスネットワークデバイスによって送信され、第１のメッセージは、端末デバイスのページングエリアが変更されていることを第１のアクセスネットワークデバイスに通知するために使用され、第１のアクセスネットワークデバイスは、端末デバイスのサービングアクセスネットワークデバイスである。第１の状態において、端末デバイスは、ページングをリッスンしており、かつ、端末デバイスは、端末デバイスの接続コンテキスト情報を格納している。
【０３６６】
プロセッサ１３０１は、端末デバイスの識別子情報に基づいて端末デバイスの接続コンテキスト情報を決定するように構成されている。
【０３６７】
送信機１３０５は、コンテキスト転送メッセージを第１のアクセスネットワークデバイスへ送信するように構成されており、コンテキスト転送メッセージは、端末デバイスの接続コンテキスト情報を含む。
【０３６８】
本出願のこの実施形態によるアクセスネットワークデバイス１３００は、本出願の実施形態における第２のアクセスネットワークデバイスに対応していることがあり、アクセスネットワークデバイス１３００内のモジュールの前述のおよびその他のオペレーションおよび／または機能は、図２および図３における方法の対応する手順を実施することを意図されていることを理解されたい。簡潔にするために、詳細がここで再び記述されることはない。
【０３６９】
図１４は、本出願の実施形態によるアクセスネットワークデバイス１４００の概略構造図である。図１４において示されているように、アクセスネットワークデバイス１４００は、プロセッサ１４０１、メモリ１４０２、受信機１４０４、バスシステム１４０３、および送信機１４０５を含む。プロセッサ１４０１、メモリ１４０２、受信機１４０４、および送信機１４０５は、バスシステム１４０３を使用することによって接続され得る。メモリ１４０２は、命令を格納するように構成されている。プロセッサ１４０１は、メモリ１４０２内に格納されている命令を実行し、受信機１４０４を制御して情報を受信し、送信機１４０５を制御して情報を送信するように構成されている。
【０３７０】
受信機１４０４は、端末デバイスによって送信された第１のメッセージを受信するように構成されており、第１のメッセージは、端末デバイスのページングエリアが変更されていることをアクセスネットワークデバイスに通知するために使用される。
【０３７１】
プロセッサ１４０１は、ページングエリア構成情報を決定するように構成されており、ページングエリア構成情報は、端末デバイス用のページングエリア構成を更新するために使用される。
【０３７２】
送信機１４０５は、ページングエリア構成情報を含む第２のメッセージを端末デバイスへ送信するように構成されている。
【０３７３】
本出願のこの実施形態によるアクセスネットワークデバイス１４００は、本出願の実施形態における第１のアクセスネットワークデバイスに対応していることがあり、アクセスネットワークデバイス１４００内のモジュールの前述のおよびその他のオペレーションおよび／または機能は、図４および図５における方法の対応する手順を実施することを意図されていることを理解されたい。簡潔にするために、詳細がここで再び記述されることはない。
【０３７４】
図１５は、本出願の実施形態によるアクセスネットワークデバイス１５００の概略構造図である。図１５において示されているように、アクセスネットワークデバイス１５００は、プロセッサ１５０１、メモリ１５０２、受信機１５０４、バスシステム１５０３、および送信機１５０５を含む。プロセッサ１５０１、メモリ１５０２、受信機１５０４、および送信機１５０５は、バスシステム１５０３を使用することによって接続され得る。メモリ１５０２は、命令を格納するように構成されている。プロセッサ１５０１は、メモリ１５０２内に格納されている命令を実行し、受信機１５０４を制御して情報を受信し、送信機１５０５を制御して情報を送信するように構成されている。
【０３７５】
受信機１５０４は、第１のアクセスネットワークデバイスによって送信された命令メッセージを受信するように構成されており、命令メッセージは、端末デバイスの識別子情報を搬送し、命令情報は、ページングエリア構成情報を決定するために使用される情報を第１のアクセスネットワークデバイスへ送信するようにアクセスネットワークデバイスに命令するために使用される。
【０３７６】
プロセッサ１５０１は、ページングエリア構成情報を決定するために使用される情報を決定するように構成されている。
【０３７７】
送信機１５０５は、ページングエリア構成情報を決定するために使用される情報を第１のアクセスネットワークデバイスへ送信するように構成されている。
【０３７８】
本出願のこの実施形態によるアクセスネットワークデバイス１５００は、本出願の実施形態における第２のアクセスネットワークデバイスに対応していることがあり、アクセスネットワークデバイス１５００内のモジュールの前述のおよびその他のオペレーションおよび／または機能は、図４および図５における方法の対応する手順を実施することを意図されていることを理解されたい。簡潔にするために、詳細がここで再び記述されることはない。
【０３７９】
本出願の実施形態において、プロセッサは、中央処理装置（Ｃｅｎｔｒａｌ  Ｐｒｏｃｅｓｓｉｎｇ  Ｕｎｉｔ、略して「ＣＰＵ」）、ネットワークプロセッサ（Ｎｅｔｗｏｒｋ  Ｐｒｏｃｅｓｓｏｒ、略して「ＮＰ」）、またはＣＰＵおよびＮＰの組合せであり得る。プロセッサは、ハードウェアチップをさらに含み得る。ハードウェアチップは、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、略して「ＡＳＩＣ」）、プログラマブルロジックデバイス（Ｐｒｏｇｒａｍｍａｂｌｅ  Ｌｏｇｉｃ  Ｄｅｖｉｃｅ、略して「ＰＬＤ」）、またはそれらの組合せであり得る。ＰＬＤは、コンプレックスプログラマブルロジックデバイス（Ｃｏｍｐｌｅｘ  Ｐｒｏｇｒａｍｍａｂｌｅ  Ｌｏｇｉｃ  Ｄｅｖｉｃｅ、略して「ＣＰＬＤ」）、フィールドプログラマブルゲートアレイ（Ｆｉｅｌｄ−Ｐｒｏｇｒａｍｍａｂｌｅ  Ｇａｔｅ  Ａｒｒａｙ、略して「ＦＰＧＡ」）、ジェネリックアレイロジック（Ｇｅｎｅｒｉｃ  Ａｒｒａｙ  Ｌｏｇｉｃ、略して「ＧＡＬ」）、またはそれらの任意の組合せであり得る。
【０３８０】
メモリは、揮発性メモリもしくは不揮発性メモリであり得、または揮発性メモリおよび不揮発性メモリの両方を含み得る。不揮発性メモリは、読み取り専用メモリ（Ｒｅａｄ−Ｏｎｌｙ  Ｍｅｍｏｒｙ、略して「ＲＯＭ」）、プログラム可能読み取り専用メモリ（Ｐｒｏｇｒａｍｍａｂｌｅ  ＲＯＭ、略して「ＰＲＯＭ」）、消去可能プログラム可能読み取り専用メモリ（Ｅｒａｓａｂｌｅ  ＰＲＯＭ、略して「ＥＰＲＯＭ」）、電気的消去可能プログラム可能読み取り専用メモリ（Ｅｌｅｃｔｒｉｃａｌｌｙ  ＥＰＲＯＭ、略して「ＥＥＰＲＯＭ」）、またはフラッシュメモリであり得る。揮発性メモリは、ランダムアクセスメモリ（Ｒａｎｄｏｍ  Ａｃｃｅｓｓ  Ｍｅｍｏｒｙ、略して「ＲＡＭ」）であり得、外部キャッシュとして使用される。
【０３８１】
データバスに加えて、バスシステムは、電力バス、制御バス、ステータス信号バスなどをさらに含み得る。表示を容易にするために、図においてバスシステムを表すために１つの太線のみが使用されているが、これは、１つのバスのみが、または１つのタイプのバスのみがあることを意味するものではない。
【０３８２】
本出願の実施形態は、コンピュータプログラムを格納するように構成されているコンピュータ可読メディアを提供する。コンピュータプログラムは、図２から図５における本出願の実施形態による通信方法を実行するために使用される命令を含む。可読メディアは、ＲＯＭまたはＲＡＭであり得る。これは、本出願のこの実施形態においては限定されない。
【０３８３】
本明細書における「および／または」ならびに「ＡまたはＢの少なくとも１つ」という用語は、関連付けられているオブジェクトを記述するための関連付け関係のみを記述しており、３つの関係が存在し得ることを表していることを理解されたい。たとえば、Ａおよび／またはＢは、Ａのみが存在する、ＡおよびＢの両方が存在する、ならびにＢのみが存在する、という３つの場合を表し得る。加えて、本明細書における「／」という文字は一般に、関連付けられているオブジェクト間における「または」という関係を示している。
【０３８４】
本明細書において開示されている実施形態に関連して記述されている例におけるユニットおよびアルゴリズムステップは、電子ハードウェア、またはコンピュータソフトウェアと電子ハードウェアとの組合せによって実施されることが可能であるということに当業者なら気づき得る。機能がハードウェアによって実行されるか、またはソフトウェアによって実行されるかは、技術的なソリューションの個別の用途および設計制約条件に依存する。当業者なら、記述されている機能をそれぞれの個別の用途のために実施する目的で異なる方法を使用し得るが、実施は本出願の範囲を超えるものとみなされるべきではない。
【０３８５】
便利で簡潔な説明の目的で、前述されているシステム、装置、およびユニットの詳細な機能プロセスに関しては、前述の方法実施形態における対応するプロセスに対して参照が行われ得るということが当業者によって明確に理解され得、詳細がここで再び記述されることはない。
【０３８６】
本出願において提供されているいくつかの実施形態において、開示されているシステム、装置、および方法がその他の様式で実施され得ることを理解されたい。たとえば、前述されている装置実施形態は、例にすぎない。たとえば、ユニットの区分は、論理的な機能区分にすぎず、実際の実施においてはその他の区分であってもよい。たとえば、複数のユニットもしくはコンポーネントが組み合わされてもしくは統合されて別のシステムになってもよく、またはいくつかの機能が無視されてもよく、もしくは実行されなくてもよい。加えて、表示されているまたは論じられている相互の結合または直接の結合または通信接続は、いくつかのインターフェース、装置、またはユニットを通じた間接的な結合または通信接続であり得、電子的な形態、機械的な形態、またはその他の形態で実施され得る。
【０３８７】
別々の部分として記述されているユニットどうしは、物理的に別々であってもよく、または物理的に別々でなくてもよく、ユニットとして表示されている部分は、物理的なユニットであってもよく、または物理的なユニットでなくてもよい。言い換えれば、それらは、１つの場所に配置されてもよく、または複数のネットワークユニット上に分散されてもよい。ユニットのうちのいくつかまたはすべては、実施形態におけるソリューションの目的を達成するために実際の要件に基づいて選択され得る。
【０３８８】
加えて、本出願の実施形態における機能ユニットどうしが統合されて１つの処理ユニットになってもよく、またはそれらのユニットのそれぞれが物理的に単独で存在してもよく、または複数のユニットが統合されて１つのユニットになる。
【０３８９】
機能がソフトウェア機能ユニットの形態で実装されて、独立した製品として販売または使用される場合、それらの機能は、コンピュータ可読ストレージメディア内に格納され得る。そのような理解に基づいて、本質的に本出願における技術的なソリューション、または従来技術に寄与する部分、またはそれらの技術的なソリューションのいくつかが、ソフトウェア製品の形態で実装され得る。コンピュータソフトウェア製品は、ストレージメディア内に格納され、本出願の実施形態において記述されている方法のステップのうちのすべてまたはいくつかを実行するようにコンピュータデバイス（それは、パーソナルコンピュータ、サーバ、ネットワークデバイスなどであり得る）に命令するためのいくつかの命令を含む。ストレージメディアは、ＵＳＢフラッシュドライブ、取り外し可能なハードディスク、読み取り専用メモリ、ランダムアクセスメモリ、磁気ディスク、または光ディスクなど、プログラムコードを格納することが可能である任意のメディアを含む。
【０３９０】
前述の説明は、本出願の特定の実装にすぎず、本出願の保護範囲を限定することを意図されているものではない。本出願において開示されている技術的な範囲内で当業者によって容易に考え出されるいかなる変形形態または代替形態も、本出願の保護範囲内に収まるものとする。したがって、本出願の保護範囲は、特許請求の範囲の保護範囲に従うものとする。
【図１】
2019525642.tif 000003
【図２】
2019525642.tif 000004
【図３】
2019525642.tif 000005
【図４】
2019525642.tif 000006
【図５】
2019525642.tif 000007
【図６】
2019525642.tif 000008
【図７】
2019525642.tif 000009
【図８】
2019525642.tif 000010
【図９】
2019525642.tif 000011
【図１０】
2019525642.tif 000012
【図１１】
2019525642.tif 000013
【図１２】
2019525642.tif 000014
【図１３】
2019525642.tif 000015
【図１４】
2019525642.tif 000016
【図１５】
2019525642.tif 000017
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
第１の状態にある端末デバイスによって、前記端末デバイスのページングエリアが変更されていると決定するステップであって、前記第１の状態は、前記端末デバイスがページングをリッスンしており、かつ前記端末デバイスの接続コンテキスト情報を格納している状態を含む、ステップと、
前記端末デバイスによって、第１のメッセージを第１のアクセスネットワークデバイスへ送信するステップであって、前記第１のメッセージは、前記端末デバイスの前記ページングエリアが変更されていることを前記第１のアクセスネットワークデバイスに通知するために使用され、前記第１のアクセスネットワークデバイスは、前記端末デバイスのサービングアクセスネットワークデバイスである、ステップと、
前記端末デバイスによって、前記第１のメッセージに基づいて前記第１のアクセスネットワークデバイスによって送信された第２のメッセージを受信するステップと、
前記端末デバイスによって前記第２のメッセージに基づいて、前記端末デバイスの入るべき状態を決定するステップと、
前記入るべき状態が第２の状態であると前記端末デバイスが決定した場合、前記端末デバイスによって、前記格納されている接続コンテキスト情報に基づいて前記第２の状態に入るステップであって、前記第２の状態は、前記端末デバイスおよび前記第１のアクセスネットワークデバイスが接続されていることを含む、ステップと
を含む通信方法。
【請求項２】
前記入るべき状態が前記第１の状態であると前記端末デバイスが決定した場合、前記端末デバイスによって、前記第１の状態にとどまるステップ
をさらに含む請求項１に記載の方法。
【請求項３】
前記端末デバイスによって前記第２のメッセージに基づいて、前記端末デバイスの入るべき状態を決定する前記ステップは、
前記端末デバイスによって、前記第２のメッセージのタイプに基づいて、前記端末デバイスの前記入るべき状態を決定するステップを含む請求項２に記載の方法。
【請求項４】
前記第２のメッセージは、ページングエリア構成情報を含み、
前記ページングエリア構成情報は、前記端末デバイス用のページングエリア構成を更新するために使用される請求項３に記載の方法。
【請求項５】
前記端末デバイスによって、前記第１のメッセージを送信する前記ステップは、
前記端末デバイスによって、共通チャネルの第１のシグナリングチャネル上で前記第１のメッセージを送信するステップを含み、
前記端末デバイスによって、前記第２のメッセージを受信する前記ステップは、
前記端末デバイスによって、専用チャネルの第２のシグナリングチャネル上で前記第２のメッセージを受信するステップを含む
請求項１乃至４のいずれか一項に記載の方法。
【請求項６】
第１のアクセスネットワークデバイスによって、第１の状態にある端末デバイスによって送信された第１のメッセージを受信するステップであって、前記第１のメッセージは、前記端末デバイスのページングエリアが変更されていることを前記第１のアクセスネットワークデバイスに通知するために使用され、前記第１の状態は、前記端末デバイスがページングをリッスンしており、かつ前記端末デバイスの接続コンテキスト情報を格納している状態を含む、ステップと、
前記第１のアクセスネットワークデバイスによって、第２のアクセスネットワークデバイスから前記端末デバイスの前記接続コンテキスト情報を入手するステップであって、前記第２のアクセスネットワークデバイスは、前記端末デバイス用に構成されているページングエリア内に含まれているセルに対応するアクセスネットワークデバイスであるか、または前記端末デバイスの前記接続コンテキスト情報を格納するように構成されている所定のアクセスネットワークデバイスである、ステップと、
前記第１のアクセスネットワークデバイスによって、前記端末デバイスの入るべき状態を決定するステップと、
前記入るべき状態が第２の状態であると前記第１のアクセスネットワークデバイスが決定した場合、前記第２の状態に入るように前記端末デバイスに命令するために使用される第２のメッセージを、前記端末デバイスの前記接続コンテキスト情報に基づいて前記第１のアクセスネットワークデバイスによって前記端末デバイスへ送信するステップと
を含む通信方法。
【請求項７】
前記入るべき状態が前記第１の状態であると前記第１のアクセスネットワークデバイスが決定した場合、前記第１の状態にとどまるように前記端末デバイスに命令するために使用される第２のメッセージを、前記第１のアクセスネットワークデバイスによって前記端末デバイスへ送信するステップ
をさらに含む請求項６に記載の方法。
【請求項８】
前記第２のメッセージは、前記第２のメッセージのタイプを使用することによって前記端末デバイスの前記入るべき状態を示す請求項７に記載の方法。
【請求項９】
前記第２のメッセージは、ページングエリア構成情報を含み、
前記ページングエリア構成情報は、前記端末デバイス用のページングエリア構成を更新するために使用される請求項８に記載の方法。
【請求項１０】
前記第１のアクセスネットワークデバイスによって、前記第１のメッセージを受信する前記ステップは、
前記第１のアクセスネットワークデバイスによって、共通チャネルの第１のシグナリングチャネル上で前記第１のメッセージを受信するステップを含み、
前記第２のメッセージを、前記端末デバイスの前記接続コンテキスト情報に基づいて前記第１のアクセスネットワークデバイスによって前記端末デバイスへ送信する前記ステップは、
専用チャネルの第２のシグナリングチャネル上で前記第２のメッセージを、前記接続コンテキスト情報に基づいて前記第１のアクセスネットワークデバイスによって送信するステップを含む請求項６乃至９のいずれか一項に記載の方法。
【請求項１１】
端末デバイスであって、
第１の状態にある前記端末デバイスのページングエリアが変更されていると決定するための手段であって、前記第１の状態は、前記端末デバイスがページングをリッスンしており、かつ前記端末デバイスの接続コンテキスト情報を格納している状態を含む、手段と、
第１のメッセージを第１のアクセスネットワークデバイスへ送信するための手段であって、前記第１のメッセージは、前記端末デバイスの前記ページングエリアが変更されていることを前記第１のアクセスネットワークデバイスに通知するために使用され、前記第１のアクセスネットワークデバイスは、前記端末デバイスのサービングアクセスネットワークデバイスである、手段と、
前記第１のメッセージに基づいて前記第１のアクセスネットワークデバイスによって送信された第２のメッセージを受信するための手段と、
前記第２のメッセージに基づいて、前記端末デバイスの入るべき状態を決定するための手段と、
前記入るべき状態が第２の状態である場合、前記格納されている接続コンテキスト情報に基づいて前記第２の状態に入るための手段であって、前記第２の状態は、前記端末デバイスおよび前記第１のアクセスネットワークデバイスが接続されていることを含む、手段と
を含む端末デバイス。
【請求項１２】
前記入るべき状態が前記第１の状態である場合、前記第１の状態にとどまるための手段をさらに含む請求項１１に記載の端末デバイス。
【請求項１３】
前記入るべき状態は、前記第２のメッセージのタイプに基づいて決定される請求項１２に記載の端末デバイス。
【請求項１４】
前記第２のメッセージは、ページングエリア構成情報を含み、
前記ページングエリア構成情報は、前記端末デバイス用のページングエリア構成を更新するために使用される請求項１３に記載の端末デバイス。
【請求項１５】
前記第１のメッセージを送信するための前記手段は、
共通チャネルの第１のシグナリングチャネル上で前記第１のメッセージを送信するための手段を含み、
前記第２のメッセージを受信するための前記手段は、
専用チャネルの第２のシグナリングチャネル上で前記第２のメッセージを受信するための手段を含む請求項１１乃至１４のいずれか一項に記載の端末デバイス。
【請求項１６】
アクセスネットワークデバイスであって、
第１の状態にある端末デバイスによって送信された第１のメッセージを受信するための手段であって、前記第１のメッセージは、前記端末デバイスのページングエリアが変更されていることを前記アクセスネットワークデバイスに通知するために使用され、前記第１の状態は、前記端末デバイスがページングをリッスンしており、かつ前記端末デバイスの接続コンテキスト情報を格納している状態を含む、手段と、
第２のアクセスネットワークデバイスから前記端末デバイスの前記接続コンテキスト情報を入手するための手段であって、前記第２のアクセスネットワークデバイスは、前記端末デバイス用に構成されているページングエリア内に含まれているセルに対応するアクセスネットワークデバイスであるか、または前記端末デバイスの前記接続コンテキスト情報を格納するように構成されている所定のアクセスネットワークデバイスである、手段と、
前記端末デバイスの入るべき状態を決定するための手段と、
前記入るべき状態が第２の状態である場合、前記端末デバイスの前記接続コンテキスト情報に基づいて、前記第２の状態に入るように前記端末デバイスに命令するために使用される第２のメッセージを、前記端末デバイスへ送信するための手段と
を含むアクセスネットワークデバイス。
【請求項１７】
前記入るべき状態が前記第１の状態である場合、前記第１の状態にとどまるように前記端末デバイスに命令するために使用される第２のメッセージを前記端末デバイスへ送信するための手段
をさらに含む請求項１６に記載のアクセスネットワークデバイス。
【請求項１８】
前記第２のメッセージは、前記第２のメッセージのタイプを使用することによって前記端末デバイスの前記入るべき状態を示す請求項１７に記載のアクセスネットワークデバイス。
【請求項１９】
前記第２のメッセージは、ページングエリア構成情報を含み、
前記ページングエリア構成情報は、前記端末デバイス用のページングエリア構成を更新するために使用される請求項１８に記載のアクセスネットワークデバイス。
【請求項２０】
前記第１のメッセージを受信するための前記手段は、
共通チャネルの第１のシグナリングチャネル上で前記第１のメッセージを受信するための手段を含み、
前記第２のメッセージを、前記端末デバイスの前記接続コンテキスト情報に基づいて前記端末デバイスへ送信するための前記手段は、
専用チャネルの第２のシグナリングチャネル上で前記第２のメッセージを、前記接続コンテキスト情報に基づいて送信するための手段を含む請求項１６乃至１９のいずれか一項に記載のアクセスネットワークデバイス。
【手続補正２】
【補正対象書類名】明細書
【補正対象項目名】全文
【補正方法】変更
【補正の内容】
【発明の詳細な説明】
【技術分野】
【０００１】
本出願は、通信分野に関連しており、より具体的には、通信方法、端末デバイス、およびアクセスネットワークデバイスに関連している。
【背景技術】
【０００２】
ロングタームエボリューション（Ｌｏｎｇ  Ｔｅｒｍ  Ｅｖｏｌｕｔｉｏｎ、略して「ＬＴＥ」）／システムアーキテクチャーエボリューション（Ｓｙｓｔｅｍ  Ａｒｃｈｉｔｅｃｔｕｒｅ  Ｅｖｏｌｕｔｉｏｎ、略して「ＳＡＥ」）システムにおいて、トラッキングエリア更新（Ｔｒａｃｋｉｎｇ  Ａｒｅａ  Ｕｐｄａｔｅ、略して「ＴＡＵ」）プロセスを使用することによって端末のロケーションが管理される。モビリティー管理エンティティー（Ｍｏｂｉｌｉｔｙ  Ｍａｎａｇｅｍｅｎｔ  Ｅｎｔｉｔｙ、略して「ＭＭＥ」）は、端末デバイスが配置されているトラッキングエリア（Ｔｒａｃｋｉｎｇ  Ａｒｅａ、略して「ＴＡ」）を知ることが可能である。アイドル状態にある端末デバイスは、ＭＭＥに通知することなくＴＡ内を自由に移動することが可能である。アイドル状態にある端末デバイスが１つのＴＡから別のＴＡへ移動した場合、ＭＭＥ内に格納されているＵＥのロケーション情報を変更するようにＭＭＥに命令するために、新たなＴＡにおいてロケーション登録が再び実行される必要がある。これが、ＴＡＵプロセスである。
【０００３】
ＴＡＵプロセスにおいて、端末デバイスは、無線リソース制御（Ｒａｄｉｏ  Ｒｅｓｏｕｒｃｅ  Ｃｏｎｔｒｏｌ、略して「ＲＲＣ」）接続セットアップ要求メッセージをアクセスネットワークデバイスへ送信する必要がある。ＲＲＣ接続セットアップ要求メッセージを受信した後に、アクセスネットワークデバイスは、ＲＲＣ接続セットアップメッセージを端末デバイスへ送信する。次いで端末デバイスは、ＲＲＣ接続セットアップ完了メッセージを用いて応答し、非アクセス層（Ｎｏｎ−Ａｃｃｅｓｓ  Ｓｔｒａｔｕｍ、略して「ＮＡＳ」）プロトコルデータユニット（Ｐｒｏｔｏｃｏｌ  Ｄａｔａ  Ｕｎｉｔ、略して「ＰＤＵ」）をＲＲＣ接続セットアップ完了メッセージにおいて搬送する。ＮＡＳ  ＰＤＵは、ＴＡＵシグナリングを含む。ＮＡＳ  ＰＤＵは、アクセスネットワークデバイスによってＭＭＥへ転送されて、端末デバイスがＴＡを去ったことをＭＭＥに通知する。ＭＭＥは、アクセスネットワークデバイスを通じてＴＡＵ受け入れ情報を端末デバイスへ送信し、シグナリングを使用することによって端末デバイスのために新たなＴＡを構成する。端末デバイスとアクセスネットワークデバイスとの間において、およびアクセスネットワークデバイスとコアネットワークデバイスとの間において複数片のシグナリングがあるので、シグナリングオーバーヘッドは比較的高い。
【発明の概要】
【０００４】
本出願の実施形態は、シグナリングオーバーヘッドを低減するための通信方法、端末デバイス、およびアクセスネットワークデバイスを提供する。
【０００５】
第１の態様によれば、本出願の実施形態は、第１の状態にある端末デバイスによって、端末デバイスのページングエリアが変更されていると決定するステップであって、第１の状態は、端末デバイスがページングをリッスンしており、かつ端末デバイスの接続コンテキスト情報を格納している状態を含む、ステップと、端末デバイスによって、第１のメッセージを第１のアクセスネットワークデバイスへ送信するステップであって、第１のメッセージは、端末デバイスのページングエリアが変更されていることを第１のアクセスネットワークデバイスに通知するために使用され、第１のアクセスネットワークデバイスは、端末デバイスのサービングアクセスネットワークデバイスである、ステップと、端末デバイスによって、第１のメッセージに基づいて第１のアクセスネットワークデバイスによって送信された第２のメッセージを受信するステップと、端末デバイスによって第２のメッセージに基づいて、端末デバイスの入るべき状態を決定するステップと、入るべき状態が第２の状態であると端末デバイスが決定した場合、端末デバイスによって、格納されている接続コンテキスト情報に基づいて第２の状態に入るステップであって、第２の状態は、端末デバイスおよび第１のアクセスネットワークデバイスが接続されていることを含む、ステップとを含む通信方法を提供する。
【０００６】
したがって、本出願のこの実施形態において、構成されているページングエリアを去った後に、第１の状態にある端末デバイスは、端末デバイスのページングエリアが変更されていることを第１のアクセスネットワークデバイスに通知するために使用される第１のメッセージを第１のアクセスネットワークデバイスへ送信し、端末デバイスは、第１のアクセスネットワークデバイスによって送信された第２のメッセージに基づいて、端末デバイスの入るべき状態を決定する。端末デバイスが接続状態に入る必要がある場合、端末デバイスは、アクセスネットワークデバイスへの別の接続をセットアップすることなく、格納されている接続コンテキスト情報に基づいて接続状態に直接入ることが可能である。このようにして、端末デバイスは、接続状態に迅速に入ることが可能である。加えて、端末デバイスは、端末デバイスのページングエリアが変更されていることをコアネットワークデバイスに通知する必要はない。これは、アクセスネットワークデバイスとコアネットワークデバイスとの間におけるシグナリングを低減し、それによってシグナリングオーバーヘッドを低減することが可能である。
【０００７】
第１の態様に関連して、第１の態様の第１の可能な実装において、方法は、入るべき状態が第１の状態であると端末デバイスが決定した場合、端末デバイスによって、第１の状態にとどまるステップをさらに含む。
【０００８】
第１の態様の第１の可能な実装に関連して、第１の態様の第２の可能な実装において、端末デバイスが、接続コンテキスト情報に基づいて第２の状態に入った場合、方法は、端末デバイスによって、第３のメッセージを第１のアクセスネットワークデバイスへ送信するステップであって、第３のメッセージは、端末デバイスが第２の状態に入ったことを第１のアクセスネットワークデバイスに通知するために使用される、ステップをさらに含む。
【０００９】
第１の態様の第１または第２の可能な実装に関連して、第１の態様の第３の可能な実装において、端末デバイスが、第１の状態にとどまることを決定した場合、方法は、端末デバイスによって、格納されているコンテキスト情報に基づいて第４のメッセージを第１のアクセスネットワークデバイスへ送信するステップであって、第４のメッセージは、端末デバイスが第２のメッセージを受信したことを示すために使用される、ステップをさらに含む。
【００１０】
第１の態様の第１から第３の可能な実装のいずれか１つに関連して、第１の態様の第４の可能な実装において、端末デバイスは、共通チャネルの第１のシグナリングチャネルを使用することによって第１のメッセージを第１のアクセスネットワークデバイスへ送信し、端末デバイスは、専用チャネルの第２のシグナリングチャネルを使用することによって、第１のアクセスネットワークデバイスによって送信された第２のメッセージを受信する。
【００１１】
第１の態様の第１から第４の可能な実装のいずれか１つに関連して、第１の態様の第５の可能な実装において、端末デバイスは、端末デバイスの接続コンテキスト情報内に保存されているシグナリングチャネルパラメータに基づいて第２のシグナリングチャネルをアクティブ化し、第２のシグナリングチャネルを使用することによって第２のメッセージを受信する。
【００１２】
第１の態様の第１から第５の可能な実装のいずれか１つに関連して、第１の態様の第６の可能な実装において、端末デバイスによって第２のメッセージに基づいて、端末デバイスの入るべき状態を決定するステップは、端末デバイスによって、第２のメッセージのタイプおよび／または第２のメッセージ内に含めて搬送されているコンテンツに基づいて、端末デバイスの入るべき状態を決定するステップを含む。
【００１３】
第１の態様の第６の可能な実装に関連して、第１の態様の第７の可能な実装において、第２のメッセージ内に含めて搬送されているコンテンツは、状態表示情報および／またはページングエリア構成情報を含み、
状態表示情報は、端末デバイスの入るべき状態を示すために使用され、ページングエリア構成情報は、端末デバイス用のページングエリア構成を更新するために使用される。
【００１４】
第１の態様の第６または第７のいずれかの可能な実装に関連して、第１の態様の第８の可能な実装において、第１のメッセージのタイプは、ＲＲＣ接続再開要求メッセージであり、ＲＲＣ接続再開要求メッセージは、第１のアクセスネットワークデバイスへのＲＲＣ接続を再開するように要求するために使用され、
第２のメッセージのタイプは、ＲＲＣ接続再開メッセージまたはＲＲＣ接続拒否メッセージであり、ＲＲＣ接続再開メッセージは、ＲＲＣ接続を再開するように端末デバイスに命令するために使用され、ＲＲＣ接続拒否メッセージは、第１のアクセスネットワークデバイスがＲＲＣ接続の再開を拒否することを示すために使用される。
【００１５】
加えて、端末デバイスが第２の状態に入る必要がある場合、端末デバイスは、ＲＲＣ接続再開メッセージを受け入れることによって接続状態に迅速に入ることが可能である。
【００１６】
第１の態様の第８の可能な実装に関連して、第１の態様の第９の可能な実装において、ＲＲＣ接続再開要求メッセージ内の原因値は、端末デバイスのページングエリアが変更されていることを示す。
【００１７】
したがって、本出願のこの実施形態において、第１のメッセージは、ＲＲＣ接続再開要求メッセージであり、それによって、既存のメッセージフォーマットが効果的に使用されることが可能であり、既存のプロトコルにおける変更を伴うことなく、第１のアクセスネットワークデバイスは、端末デバイスのページングエリアが変更されていることを通知されることが可能である。
【００１８】
第１の態様の第８または第９のいずれかの可能な実装に関連して、第１の態様の第１０の可能な実装において、端末デバイスによって、第２のメッセージのタイプおよび／または第２のメッセージ内に含めて搬送されているコンテンツに基づいて、端末デバイスの入るべき状態を決定するステップは、第２のメッセージのタイプがＲＲＣ接続拒否メッセージである場合、端末デバイスによって、入るべき状態が第１の状態であると決定するステップと、第２のメッセージのタイプがＲＲＣ接続再開メッセージである場合、端末デバイスによって、入るべき状態が第２の状態であると決定するステップと、第２のメッセージのタイプがＲＲＣ接続再開メッセージであり、第２のメッセージ内に含めて搬送されているコンテンツが、端末デバイスの入るべき状態が第１の状態であることを示すために使用されている場合、端末デバイスによって、端末デバイスが第１の状態にいる必要があると決定するステップと、第２のメッセージのタイプがＲＲＣ接続再開メッセージであり、第２のメッセージ内に含めて搬送されているコンテンツが、第２の状態にいるように端末デバイスに命令するために使用されている場合、端末デバイスによって、入るべき状態が第２の状態であると決定するステップとを含む。
【００１９】
第１の態様の第１０の可能な実装に関連して、第１の態様の第１１の可能な実装において、第２のメッセージのタイプは、ＲＲＣ接続再開メッセージであり、
方法は、端末デバイスが、ＲＲＣ接続再開メッセージに基づいて、入るべき状態が第１の状態であると決定した場合、端末デバイスによって、ＲＲＣ接続再開メッセージ内の、ＲＲＣ接続を再開するために使用される暗号化パラメータを無視するステップをさらに含む。
【００２０】
したがって、端末デバイスが第１の状態にいる必要があると決定した場合、端末デバイスは、暗号化パラメータを無視し、第１の状態にとどまり得る。このようにして、端末デバイスが、第１の状態にとどまることを決定した場合でさえ暗号化パラメータに基づいて接続状態に入るということが回避されることが可能である。
【００２１】
第１の態様の第１０の可能な実装に関連して、第１の態様の第１２の可能な実装において、第２のメッセージは、ＲＲＣ接続拒否メッセージであり、
方法は、端末デバイスが、ＲＲＣ接続拒否メッセージに基づいて、入るべき状態が第１の状態であると決定した場合、端末デバイスによって、ＲＲＣ接続拒否メッセージ内に含まれている待ち時間情報を無視するステップであって、待ち時間情報は、端末デバイスと第１のアクセスネットワークデバイスとの間におけるＲＲＣ接続を再開するために必要とされる待ち時間を示すために使用される、ステップと、
ＲＲＣ接続拒否メッセージが、第１のアクセスネットワークデバイスへのＲＲＣ接続を再開するように要求するために使用されるＲＲＣ接続再開要求メッセージに応答した場合、端末デバイスによって、ＲＲＣ接続拒否情報内に含まれている待ち時間情報に基づいてタイマーを始動して、タイマー内で第１の状態にとどまるステップとをさらに含む。
【００２２】
したがって、本出願のこの実施形態において、第２のメッセージがＲＲＣ接続再開メッセージまたはＲＲＣ接続拒否メッセージである場合、端末デバイスの入るべき状態を示すために既存のメッセージがフルに使用されることも可能である。
【００２３】
加えて、端末デバイスが第２の状態に入る必要がある場合、端末デバイスは、ＲＲＣ接続再開メッセージを受け入れることによって接続状態に迅速に入ることが可能である。
【００２４】
第１の態様、または第１の態様のいずれかの可能な実装に関連して、第１の態様の第１３の可能な実装において、第１の状態にある端末デバイスによって、端末デバイスのページングエリアが変更されていると決定するステップの前に、方法は、第２のアクセスネットワークデバイスによって送信された命令情報を受信するステップをさらに含み、命令情報は、第１の状態に入るように端末デバイスに命令するために使用され、命令情報は、端末デバイス用のページングエリアを構成するために使用されるページングエリア構成情報を含む。
【００２５】
第２の態様によれば、本出願の実施形態は、第１のアクセスネットワークデバイスによって、第１の状態にある端末デバイスによって送信された第１のメッセージを受信するステップであって、第１のメッセージは、端末デバイスのページングエリアが変更されていることを第１のアクセスネットワークデバイスに通知するために使用され、第１の状態は、端末デバイスがページングをリッスンしており、かつ端末デバイスの接続コンテキスト情報を格納している状態を含む、ステップと、第１のアクセスネットワークデバイスによって、第２のアクセスネットワークデバイスから端末デバイスの接続コンテキスト情報を入手するステップであって、第２のアクセスネットワークデバイスは、端末デバイス用に構成されているページングエリア内に含まれているセルに対応するアクセスネットワークデバイスであるか、または端末デバイスの接続コンテキスト情報を格納するように構成されている所定のアクセスネットワークデバイスである、ステップと、第１のアクセスネットワークデバイスによって、端末デバイスの入るべき状態を決定するステップと、入るべき状態が第２の状態であると第１のアクセスネットワークデバイスが決定した場合、第２の状態に入るように端末デバイスに命令するために使用される第２のメッセージを、端末デバイスの接続コンテキスト情報に基づいて第１のアクセスネットワークデバイスによって端末デバイスへ送信するステップとを含む通信方法を提供する。
【００２６】
したがって、本出願のこの実施形態において、構成されているページングエリアを去った後に、第１の状態にある端末デバイスは、端末デバイスのページングエリアが変更されていることを第１のアクセスネットワークデバイスに通知するために使用される第１のメッセージを第１のアクセスネットワークデバイスへ送信し、端末デバイスは、第１のアクセスネットワークデバイスによって送信された第２のメッセージに基づいて、端末デバイスの入るべき状態を決定する。端末デバイスが接続状態に入る必要がある場合、端末デバイスは、アクセスネットワークデバイスへの別の接続をセットアップすることなく、格納されている接続コンテキスト情報に基づいて接続状態に直接入ることが可能である。このようにして、端末デバイスは、接続状態に迅速に入ることが可能である。
【００２７】
加えて、第１のアクセスネットワークデバイスは、第２のアクセスネットワークデバイスから接続コンテキスト情報を入手し、それによって、第１のアクセスネットワークデバイスは、端末デバイスが第２の状態に入る必要があると決定した場合、接続コンテキストに基づいて端末デバイスへの接続を迅速にセットアップすることが可能である。
【００２８】
第２の態様に関連して、第２の態様の第１の可能な実装において、方法は、入るべき状態が第１の状態であると第１のアクセスネットワークデバイスが決定した場合、第１の状態にとどまるように端末デバイスに命令するために使用される第２のメッセージを、第１のアクセスネットワークデバイスによって端末デバイスへ送信するステップをさらに含む。
【００２９】
第２の態様の第１の可能な実装に関連して、第２の態様の第２の可能な実装において、第２の状態に入るように端末デバイスに命令するために使用される第２のメッセージを、端末デバイスの接続コンテキスト情報に基づいて第１のアクセスネットワークデバイスによって端末デバイスへ送信するステップの後に、方法は、第１のアクセスネットワークデバイスによって、端末デバイスによって送信された第３のメッセージを受信するステップであって、第３のメッセージは、端末デバイスが第２の状態に入ったことを第１のアクセスネットワークデバイスに通知するために使用される、ステップをさらに含む。
【００３０】
第２の態様の第１または第２の可能な実装に関連して、第２の態様の第３の可能な実装において、第１の状態にとどまるように端末デバイスに命令するために使用される第２のメッセージを、第１のアクセスネットワークデバイスによって端末デバイスへ送信するステップの後に、方法は、第１のアクセスネットワークデバイスによって、格納されているコンテキスト情報に基づいて端末デバイスによって送信された第４のメッセージを受信するステップであって、第４のメッセージは、端末デバイスが第２のメッセージを受信したことを示すために使用される、ステップをさらに含む。
【００３１】
第２の態様の第１から第３の可能な実装のいずれか１つに関連して、第２の態様の第４の可能な実装において、第１のアクセスネットワークデバイスは、共通チャネルの第１のシグナリングチャネルを使用することによって、端末デバイスによって送信された第１のメッセージを受信し、第１のアクセスネットワークデバイスは、専用チャネルの第２のシグナリングチャネルを使用することによって第２のメッセージを端末デバイスへ送信する。
【００３２】
第２の態様の第１から第４の可能な実装のいずれか１つに関連して、第２の態様の第５の可能な実装において、第１のアクセスネットワークデバイスは、端末デバイスの接続コンテキスト情報に基づいて第２のシグナリングチャネルをアクティブ化し、第２のシグナリングチャネルを使用することによって第２のメッセージを端末デバイスへ送信する。
【００３３】
第２の態様の第１から第５の可能な実装のいずれか１つに関連して、第２の態様の第６の可能な実装において、第１のメッセージは、第２のアクセスネットワークデバイスの識別子情報をさらに含み、第２のアクセスネットワークデバイスは、端末デバイスのコンテキスト情報を格納しており、
第１のアクセスネットワークデバイスによって、第２のアクセスネットワークデバイスから端末デバイスの接続コンテキスト情報を入手するステップは、第１のアクセスネットワークデバイスによって、第２のアクセスネットワークデバイスの識別子情報に基づいて第２のアクセスネットワークデバイスを決定するステップと、端末デバイスの接続コンテキスト情報を要求するために使用される要求メッセージを、第１のアクセスネットワークデバイスによって第２のアクセスネットワークデバイスへ送信するステップと、第１のアクセスネットワークデバイスによって、第２のアクセスネットワークデバイスによって送信される端末デバイスの接続コンテキスト情報を受信するステップとを含む。
【００３４】
したがって、第１のアクセスネットワークデバイスは、第２のアクセスネットワークデバイスから端末デバイスの接続コンテキスト情報を入手し、それによって、第１のアクセスネットワークデバイスは、端末デバイスが第２の状態にいる必要があると決定した場合には端末デバイスの接続コンテキストに基づいて端末デバイスへの接続を迅速に再開することが可能である。
【００３５】
第２の態様の第１から第６の可能な実装のいずれか１つに関連して、第２の態様の第７の可能な実装において、第２のメッセージは、第２のメッセージのタイプおよび／またはコンテンツを使用することによって端末デバイスの入るべき状態を示す。
【００３６】
第２の態様の第７の可能な実装に関連して、第２の態様の第８の可能な実装において、第２のメッセージ内に含めて搬送されているコンテンツは、状態表示情報および／またはページングエリア構成情報を含み、
状態表示情報は、端末デバイスの入るべき状態を示すために使用され、ページングエリア構成情報は、端末デバイス用のページングエリア構成を更新するために使用される。
【００３７】
第２の態様の第８の可能な実装に関連して、第２の態様の第９の可能な実装において、第１のメッセージのタイプは、ＲＲＣ接続再開要求メッセージであり、ＲＲＣ接続再開要求メッセージは、第１のアクセスネットワークデバイスへのＲＲＣ接続を再開するように要求するために使用され、
第２のメッセージのタイプは、ＲＲＣ接続再開メッセージまたはＲＲＣ接続拒否メッセージであり、ＲＲＣ接続再開メッセージは、ＲＲＣ接続を再開するように端末デバイスに命令するために使用され、ＲＲＣ接続拒否メッセージは、第１のアクセスネットワークデバイスがＲＲＣ接続の再開を拒否することを示すために使用される。
【００３８】
第２の態様の第９の可能な実装に関連して、第２の態様の第１０の可能な実装において、ＲＲＣ接続再開要求メッセージ内の原因値は、端末デバイスのページングエリアが変更されていることを示す。
【００３９】
第２の態様の第９または第１０の可能な実装に関連して、第２の態様の第１１の可能な実装において、メッセージタイプがＲＲＣ接続拒否メッセージである第２のメッセージは、第１の状態にとどまるように端末デバイスに命令するために使用され、
第１の状態に入るように端末デバイスに命令するコンテンツを搬送する、メッセージタイプがＲＲＣ接続再開メッセージである第２のメッセージは、第１の状態にとどまるように端末デバイスに命令するために使用され、
メッセージタイプがＲＲＣ接続再開メッセージである第２のメッセージは、第２の状態に入るように端末デバイスに命令するために使用され、
第２の状態に入るように端末デバイスに命令するために使用されるコンテンツを搬送する、メッセージタイプがＲＲＣ接続再開メッセージである第２のメッセージは、第２の状態に入るように端末デバイスに命令するために使用される。
【００４０】
第２の態様の第８から第１１の可能な実装のいずれか１つに関連して、第２の態様の第１２の可能な実装において、ページングエリア構成情報を搬送する第２のメッセージを端末デバイスへ送信するステップの前に、方法は、第１のアクセスネットワークデバイスによって、候補セルに関する情報を第２のアクセスネットワークデバイスへ送信するステップと、第１のアクセスネットワークデバイスによって、第２のアクセスネットワークデバイスによって送信される選択されたセルに関する情報を受信するステップと、第１のアクセスネットワークデバイスによって、選択されたセルに関する情報に基づいてページングエリア構成情報を生成するステップとをさらに含む。
【００４１】
第２の態様の第８から第１１の可能な実装のいずれか１つに関連して、第２の態様の第１３の可能な実装において、ページングエリア構成情報を搬送する第２のメッセージを端末デバイスへ送信するステップの前に、方法は、第１のアクセスネットワークデバイスによって、第１の命令メッセージを第２のアクセスネットワークデバイスへ送信するステップであって、第１の命令メッセージは、端末デバイスのページングエリア構成要件パラメータを第１のアクセスネットワークデバイスへ送信するように第２のアクセスネットワークデバイスに命令するために端末デバイスの識別子情報を搬送する、ステップと、第１のアクセスネットワークデバイスによって、第２のアクセスネットワークデバイスによって送信される端末デバイスのページングエリア構成要件パラメータを受信するステップと、端末デバイスのページングエリア構成要件パラメータに基づいて、第１のアクセスネットワークデバイスによって、端末デバイス用に構成されることになるページングエリア内に含まれるセルを決定し、ページングエリア構成情報を生成するステップとをさらに含む。
【００４２】
第２の態様の第１３の可能な実装に関連して、第２の態様の第１４の可能な実装において、第１のアクセスネットワークデバイスが、端末デバイスのページングエリア構成要件パラメータに基づいてページングエリア構成情報を生成した後に、第１のアクセスネットワークデバイスは、ページングエリア構成情報を第２のアクセスネットワークデバイスへ送信する。このようにして、端末デバイスをページングするためのページング情報を受信した後に、第２のアクセスネットワークデバイスは、ページングエリア構成情報に基づいて決定されたページングエリア内に含まれているセル内の端末デバイスをページングすることが可能である。
【００４３】
第３の態様によれば、本出願の実施形態は、第２のアクセスネットワークデバイスによって、第１のアクセスネットワークデバイスによって送信された第１の命令メッセージを受信するステップであって、第１の命令メッセージは、端末デバイスの接続コンテキスト情報を要求するために端末デバイスの識別子情報を搬送し、第１の命令メッセージは、第１のメッセージを受信した後に第１のアクセスネットワークデバイスによって送信され、第１のメッセージは、第１の状態にある端末デバイスのページングエリアが変更されていることを第１のアクセスネットワークデバイスに通知するために使用され、第１のアクセスネットワークデバイスは、端末デバイスのサービングアクセスネットワークデバイスであり、第１の状態は、端末デバイスがページングをリッスンしており、かつ端末デバイスの接続コンテキスト情報を格納している状態を含む、ステップと、第２のアクセスネットワークデバイスによって、端末デバイスの識別子情報に基づいて端末デバイスの接続コンテキスト情報を決定するステップと、第２のアクセスネットワークデバイスによって、コンテキスト転送メッセージを第１のアクセスネットワークデバイスへ送信するステップであって、コンテキスト転送メッセージは、端末デバイスの接続コンテキスト情報を含む、ステップとを含む通信方法を提供する。
【００４４】
第３の態様に関連して、第３の態様の第１の可能な実装において、第２のアクセスネットワークデバイスによって、第１のアクセスネットワークデバイスによって送信された第１の命令メッセージを受信するステップの前に、方法は、端末デバイスが第２のアクセスネットワークデバイスのセルに配置されている場合、第１の状態に入るように命令する情報を第２のアクセスネットワークデバイスによって端末デバイスへ送信するステップをさらに含む。
【００４５】
第３の態様、または第３の態様の第１の可能な実装に関連して、第３の態様の第２の可能な実装において、方法は、第２のアクセスネットワークデバイスによって、第１のアクセスネットワークデバイスによって送信される候補セルに関する情報を受信するステップと、第２のアクセスネットワークデバイスによって、選択されるセルを候補セルに基づいて決定するステップと、第２のアクセスネットワークデバイスによって、選択されたセルに関する情報を第１のアクセスネットワークデバイスへ送信するステップとをさらに含む。
【００４６】
第３の態様、または第３の態様の第１の可能な実装に関連して、第３の態様の第３の可能な実装において、方法は、第２のアクセスネットワークデバイスによって、第１のアクセスネットワークデバイスによって送信された第１の命令情報を受信するステップであって、第１の命令メッセージは、端末デバイスのページングエリア構成要件パラメータを第１のアクセスネットワークデバイスへ送信するように第２のアクセスネットワークデバイスに命令するために端末デバイスの識別子情報を搬送する、ステップと、第２のアクセスネットワークデバイスによって、端末デバイスのページングエリア構成要件パラメータを決定するステップと、第２のアクセスネットワークデバイスによって、端末デバイスのページングエリア構成要件パラメータを第１のアクセスネットワークデバイスへ送信するステップとをさらに含む。
【００４７】
第３の態様の第３の可能な実装に関連して、第３の態様の第４の可能な実装において、方法は、第２のアクセスネットワークデバイスによって、端末デバイスのページングエリア構成要件パラメータに基づいて生成されて第１のアクセスネットワークデバイスによって送信されるページングエリア構成情報を受信するステップをさらに含む。
【００４８】
第４の態様によれば、本出願の実施形態は、第１のアクセスネットワークデバイスによって、端末デバイスによって送信された第１のメッセージを受信するステップであって、第１のメッセージは、端末デバイスのページングエリアが変更されていることを第１のアクセスネットワークデバイスに通知するために使用される、ステップと、第１のアクセスネットワークデバイスによって、ページングエリア構成情報を決定するステップであって、ページングエリア構成情報は、端末デバイス用のページングエリア構成を更新するために使用される、ステップと、ページングエリア構成情報を含む第２のメッセージを第１のアクセスネットワークデバイスによって端末デバイスへ送信するステップとを含む通信方法を提供する。
【００４９】
したがって、第１のアクセスネットワークデバイスは、端末デバイスが配置されているページングエリア内に含まれているセルを知っており、それによって、端末デバイスをページングするためのページング情報を受信した後に、第１のアクセスネットワークデバイスは、ページングエリア構成情報に基づいて決定されたページングエリア内に含まれているセル内の端末デバイスをページングすることが可能であり、コアネットワークデバイスは、端末デバイスが配置されているページングエリアを知っている必要はない。
【００５０】
第４の態様に関連して、第４の態様の第１の可能な実装において、第１のアクセスネットワークデバイスによって、ページングエリア構成情報を決定するステップは、第１のアクセスネットワークデバイスによって、命令メッセージを第２のアクセスネットワークデバイスへ送信するステップであって、命令メッセージは、ページングエリア構成情報を決定するために使用される情報を第１のアクセスネットワークデバイスへ送信するように第２のアクセスネットワークデバイスに命令するために端末デバイスの識別子情報を搬送する、ステップと、第１のアクセスネットワークデバイスによって、第２のアクセスネットワークデバイスによって送信されてページングエリア構成情報を決定するために使用される情報を受信するステップと、第１のアクセスネットワークデバイスによって、ページングエリア構成情報を決定するために使用される情報に基づいてページングエリア構成情報を決定するステップとを含む。
【００５１】
第４の態様の第１の可能な実装に関連して、第４の態様の第２の可能な実装において、第１のアクセスネットワークデバイスによって、命令メッセージを第２のアクセスネットワークデバイスへ送信するステップは、選択されるセルを候補セルから決定するように第２のアクセスネットワークデバイスに命令するために、候補セルに関する情報を搬送する命令メッセージを、第１のアクセスネットワークデバイスによって第２のアクセスネットワークデバイスへ送信するステップであって、選択されたセルは、ページングエリア構成情報を決定するために使用される、ステップを含み、
第１のアクセスネットワークデバイスによって、第２のアクセスネットワークデバイスによって送信されてページングエリア構成情報を決定するために使用される情報を受信するステップは、第１のアクセスネットワークデバイスによって、第２のアクセスネットワークデバイスによって送信される、選択されたセルに関する情報を受信するステップを含み、
第１のアクセスネットワークデバイスによって、ページングエリア構成情報を決定するために使用される情報に基づいてページングエリア構成情報を決定するステップは、第１のアクセスネットワークデバイスによって、選択されたセルを、端末デバイス用に構成されることになるページングエリア内に含まれるセルとして決定し、ページングエリア構成情報を生成するステップを含む。
【００５２】
第４の態様の第１の可能な実装に関連して、第４の態様の第３の可能な実装において、第１のアクセスネットワークデバイスによって、命令メッセージを第２のアクセスネットワークデバイスへ送信するステップは、第１のアクセスネットワークデバイスによって、端末デバイスのページングエリア構成要件パラメータを第１のアクセスネットワークデバイスへ送信することを決定するように第２のアクセスネットワークデバイスに命令するための命令情報を第２のアクセスネットワークデバイスへ送信するステップであって、ページングエリア構成要件パラメータは、ページングエリア構成情報を決定するために使用される、ステップを含み、
第１のアクセスネットワークデバイスによって、第２のアクセスネットワークデバイスによって送信されてページングエリア構成情報を決定するために使用される情報を受信するステップは、第１のアクセスネットワークデバイスによって、第２のアクセスネットワークデバイスによって送信される端末デバイスのページングエリア構成要件パラメータを受信するステップを含み、
第１のアクセスネットワークデバイスによって、ページングエリア構成情報を決定するために使用される情報に基づいてページングエリア構成情報を決定するステップは、端末デバイスのページングエリア構成要件パラメータに基づいて、第１のアクセスネットワークデバイスによって、端末デバイス用に構成されることになるページングエリア内に含まれるセルを決定し、ページングエリア構成情報を生成するステップを含む。
【００５３】
第４の態様の第３の可能な実装に関連して、第４の態様の第４の可能な実装において、第１のアクセスネットワークデバイスが、端末デバイスのページングエリア構成要件パラメータに基づいてページングエリア構成情報を生成した後に、第１のアクセスネットワークデバイスは、ページングエリア構成情報を第２のアクセスネットワークデバイスへ送信する。このようにして、端末デバイスをページングするためのページング情報を受信した後に、第２のアクセスネットワークデバイスは、ページングエリア構成情報に基づいて決定されたページングエリア内に含まれているセル内の端末デバイスをページングすることが可能である。
【００５４】
第５の態様によれば、本出願の実施形態は、第２のアクセスネットワークデバイスによって、第１のアクセスネットワークデバイスによって送信された命令メッセージを受信するステップであって、命令メッセージは、端末デバイスの識別子情報を搬送し、命令情報は、ページングエリア構成情報を決定するために使用される情報を第１のアクセスネットワークデバイスへ送信するように第２のアクセスネットワークデバイスに命令するために使用される、ステップと、第２のアクセスネットワークデバイスによって、ページングエリア構成情報を決定するために使用される情報を決定するステップと、第２のアクセスネットワークデバイスによって、ページングエリア構成情報を決定するために使用される情報を第１のアクセスネットワークデバイスへ送信するステップとを含む通信方法を提供する。
【００５５】
第５の態様に関連して、第５の態様の第１の可能な実装において、第２のアクセスネットワークデバイスによって、第１のアクセスネットワークデバイスによって送信された命令情報を受信するステップは、第２のアクセスネットワークデバイスによって、第１のアクセスネットワークデバイスによって送信されて候補セルに関する情報を搬送する命令メッセージを受信するステップであって、命令メッセージは、選択されるセルを候補セルから決定するように第２のアクセスネットワークデバイスに命令するために使用されるステップを含み、
第２のアクセスネットワークデバイスによって、ページングエリア構成情報を決定するために使用される情報を決定するステップは、第２のアクセスネットワークデバイスによって、選択されるセルを候補セルに基づいて決定するステップを含み、
第２のアクセスネットワークデバイスによって、ページングエリア構成情報を決定するために使用される情報を第１のアクセスネットワークデバイスへ送信するステップは、第２のアクセスネットワークデバイスによって、選択されたセルに関する情報を第１のアクセスネットワークデバイスへ送信するステップを含む。
【００５６】
第５の態様に関連して、第５の態様の第２の可能な実装において、第２のアクセスネットワークデバイスによって、第１のアクセスネットワークデバイスによって送信された命令メッセージを受信するステップは、第２のアクセスネットワークデバイスによって、第１のアクセスネットワークデバイスによって送信された命令情報を受信するステップであって、命令メッセージは、端末デバイスのページングエリア構成要件パラメータを第１のアクセスネットワークデバイスへ送信することを決定するように第２のアクセスネットワークデバイスに命令するために使用される、ステップを含み、
第２のアクセスネットワークデバイスによって、ページングエリア構成情報を決定するために使用される情報を決定するステップは、第２のアクセスネットワークデバイスによって、端末デバイスのページングエリア構成要件パラメータを決定するステップを含み、
第２のアクセスネットワークデバイスによって、ページングエリア構成情報を決定するために使用される情報を第１のアクセスネットワークデバイスへ送信するステップは、第２のアクセスネットワークデバイスによって、端末デバイスのページングエリア構成要件パラメータを第１のアクセスネットワークデバイスへ送信するステップを含む。
【００５７】
第５の態様の第２の可能な実装に関連して、第５の態様の第３の可能な実装において、方法は、第２のアクセスネットワークデバイスによって、端末デバイスのページングエリア構成要件パラメータに基づいて生成されて第１のアクセスネットワークデバイスによって送信されるページングエリア構成情報を受信するステップをさらに含む。
【００５８】
第６の態様によれば、本出願の実施形態は、第１の態様または第１の態様のいずれかの可能な実装による方法を実行するように構成されている端末デバイスを提供する。特に、端末デバイスは、第１の態様または第１の態様のいずれかの可能な実装による方法を実行するように構成されているモジュラーユニットを含む。
【００５９】
第７の態様によれば、本出願の実施形態は、第２の態様または第２の態様のいずれかの可能な実装による方法を実行するように構成されているアクセスネットワークデバイスを提供する。特に、アクセスネットワークデバイスは、第２の態様または第２の態様のいずれかの可能な実装による方法を実行するように構成されているモジュラーユニットを含む。
【００６０】
第８の態様によれば、本出願の実施形態は、第３の態様または第３の態様のいずれかの可能な実装による方法を実行するように構成されているアクセスネットワークデバイスを提供する。特に、アクセスネットワークデバイスは、第３の態様または第３の態様のいずれかの可能な実装による方法を実行するように構成されているモジュラーユニットを含む。
【００６１】
第９の態様によれば、本出願の実施形態は、第４の態様または第４の態様のいずれかの可能な実装による方法を実行するように構成されているアクセスネットワークデバイスを提供する。特に、アクセスネットワークデバイスは、第４の態様または第４の態様のいずれかの可能な実装による方法を実行するように構成されているモジュラーユニットを含む。
【００６２】
第１０の態様によれば、本出願の実施形態は、第５の態様または第５の態様のいずれかの可能な実装による方法を実行するように構成されているアクセスネットワークデバイスを提供する。特に、アクセスネットワークデバイスは、第５の態様または第５の態様のいずれかの可能な実装による方法を実行するように構成されているモジュラーユニットを含む。
【００６３】
第１１の態様によれば、本出願の実施形態は、第１の態様または第１の態様のいずれかの可能な実装による方法を実行するように構成されている端末デバイスを提供する。端末デバイスは、プロセッサ、メモリ、受信機、および送信機を含む。メモリは、アップリンクリソーススケジューリング命令を格納するように構成されている。プロセッサは、メモリに格納されている命令を実行するように構成されており、命令によって駆動されて、第１の状態にある端末デバイスのページングエリアが変更されていると決定するというスケジューリングオペレーションを実行し、第１の状態は、端末デバイスがページングをリッスンしており、かつ端末デバイスの接続コンテキスト情報を格納している状態を含む。
【００６４】
送信機は、第１のメッセージを第１のアクセスネットワークデバイスへ送信するように構成されており、第１のメッセージは、端末デバイスのページングエリアが変更されていることを第１のアクセスネットワークデバイスに通知するために使用され、第１のアクセスネットワークデバイスは、端末デバイスのサービングアクセスネットワークデバイスである。
【００６５】
受信機は、第１のメッセージに基づいて第１のアクセスネットワークデバイスによって送信された第２のメッセージを受信するように構成されている。
【００６６】
プロセッサは、受信モジュールによって受信された第２のメッセージに基づいて、端末デバイスの入るべき状態を決定するようにさらに構成されている。
【００６７】
プロセッサは、入るべき状態が第２の状態であるとプロセッサが決定した場合、格納されている接続コンテキスト情報に基づいて第２の状態に入るようにさらに構成されており、第２の状態は、端末デバイスおよび第１のアクセスネットワークデバイスが接続されていることを含む。
【００６８】
第１２の態様によれば、本出願の実施形態は、第２の態様または第２の態様のいずれかの可能な実装による方法を実行するように構成されているアクセスネットワークデバイスを提供する。アクセスネットワークデバイスは、プロセッサ、メモリ、受信機、および送信機を含む。メモリは、アップリンクリソーススケジューリング命令を格納するように構成されている。プロセッサは、メモリに格納されている命令を実行するように構成されており、命令によって駆動されて、スケジューリングオペレーションを実行する。受信機は、第１の状態にある端末デバイスによって送信された第１のメッセージを受信するように構成されており、第１のメッセージは、端末デバイスのページングエリアが変更されていることをアクセスネットワークデバイスに通知するために使用され、第１の状態は、端末デバイスがページングをリッスンしており、かつ端末デバイスの接続コンテキスト情報を格納している状態を含む。
【００６９】
受信機は、第２のアクセスネットワークデバイスから端末デバイスの接続コンテキスト情報を入手するようにさらに構成されており、第２のアクセスネットワークデバイスは、端末デバイス用に構成されているページングエリア内に含まれているセルに対応するアクセスネットワークデバイスであるか、または端末デバイスの接続コンテキスト情報を格納するように構成されている所定のアクセスネットワークデバイスである。
【００７０】
プロセッサは、端末デバイスの入るべき状態を決定するように構成されている。
【００７１】
送信機は、入るべき状態が第２の状態であると決定された場合、第２の状態に入るように端末デバイスに命令するために使用される第２のメッセージを、端末デバイスの接続コンテキスト情報に基づいて端末デバイスへ送信するように構成されている。
【００７２】
第１３の態様によれば、本出願の実施形態は、第３の態様または第３の態様のいずれかの可能な実装による方法を実行するように構成されているアクセスネットワークデバイスを提供する。アクセスネットワークデバイスは、プロセッサ、メモリ、受信機、および送信機を含む。メモリは、アップリンクリソーススケジューリング命令を格納するように構成されている。プロセッサは、メモリに格納されている命令を実行するように構成されており、命令によって駆動されて、スケジューリングオペレーションを実行する。受信機は、第１のアクセスネットワークデバイスによって送信された第１の命令メッセージを受信するように構成されており、第１の命令メッセージは、端末デバイスの接続コンテキスト情報を要求するために端末デバイスの識別子情報を搬送し、第１の命令メッセージは、第１のメッセージを受信した後に、第１のアクセスネットワークデバイスによって送信され、第１のメッセージは、第１の状態にある端末デバイスのページングエリアが変更されていることを第１のアクセスネットワークデバイスに通知するために使用され、第１のアクセスネットワークデバイスは、端末デバイスのサービングアクセスネットワークデバイスであり、第１の状態は、端末デバイスがページングをリッスンしており、かつ端末デバイスの接続コンテキスト情報を格納している状態を含む。
【００７３】
プロセッサは、端末デバイスの識別子情報に基づいて端末デバイスの接続コンテキスト情報を決定するように構成されている。
【００７４】
送信機は、コンテキスト転送メッセージを第１のアクセスネットワークデバイスへ送信するように構成されており、コンテキスト転送メッセージは、端末デバイスの接続コンテキスト情報を含む。
【００７５】
第１４の態様によれば、本出願の実施形態は、第４の態様または第４の態様のいずれかの可能な実装による方法を実行するように構成されているアクセスネットワークデバイスを提供する。アクセスネットワークデバイスは、プロセッサ、メモリ、受信機、および送信機を含む。メモリは、アップリンクリソーススケジューリング命令を格納するように構成されている。プロセッサは、メモリに格納されている命令を実行するように構成されており、命令によって駆動されて、スケジューリングオペレーションを実行する。受信機は、端末デバイスによって送信された第１のメッセージを受信するように構成されており、第１のメッセージは、端末デバイスのページングエリアが変更されていることをアクセスネットワークデバイスに通知するために使用される。
【００７６】
プロセッサは、ページングエリア構成情報を決定するように構成されており、ページングエリア構成情報は、端末デバイス用のページングエリア構成を更新するために使用される。
【００７７】
送信機は、ページングエリア構成情報を含む第２のメッセージを端末デバイスへ送信するように構成されている。
【００７８】
第１５の態様によれば、本出願の実施形態は、第５の態様または第５の態様のいずれかの可能な実装による方法を実行するように構成されているアクセスネットワークデバイスを提供する。アクセスネットワークデバイスは、プロセッサ、メモリ、受信機、および送信機を含む。メモリは、アップリンクリソーススケジューリング命令を格納するように構成されている。プロセッサは、メモリに格納されている命令を実行するように構成されており、命令によって駆動されて、スケジューリングオペレーションを実行する。受信機は、第１のアクセスネットワークデバイスによって送信された命令メッセージを受信するように構成されており、命令メッセージは、端末デバイスの識別子情報を搬送し、命令情報は、ページングエリア構成情報を決定するために使用される情報を第１のアクセスネットワークデバイスへ送信するようにアクセスネットワークデバイスに命令するために使用される。
【００７９】
プロセッサは、ページングエリア構成情報を決定するために使用される情報を決定するように構成されている。
【００８０】
送信機は、ページングエリア構成情報を決定するために使用される情報を第１のアクセスネットワークデバイスへ送信するように構成されている。
【００８１】
第１６の態様によれば、本出願の実施形態は、コンピュータプログラムを格納するように構成されているコンピュータ可読メディアを提供する。コンピュータプログラムは、第１の態様もしくは第１の態様のいずれかの可能な実装、第２の態様もしくは第２の態様のいずれかの可能な実装、第３の態様もしくは第３の態様のいずれかの可能な実装、第４の態様もしくは第４の態様のいずれかの可能な実装、または第５の態様もしくは第５の態様のいずれかの可能な実装による方法を実行するために使用される命令を含む。
【図面の簡単な説明】
【００８２】
本出願の実施形態における技術的なソリューションについてより明確に記述するために、以降では、本出願の実施形態について記述するために必要とされる添付の図面について簡単に記述する。明らかに、以降の説明における添付の図面は、本出願のいくつかの実施形態を示しているにすぎず、当業者なら、それでもなお、創造的な取り組みを伴わずにこれらの添付の図面からその他の図面を導き出し得る。
【００８３】
【図１】本出願の実施形態の使用シナリオの概略アーキテクチャー図である。
【図２】本出願の実施形態による通信方法の概略フローチャートである。
【図３】本出願の実施形態による通信方法の概略フローチャートである。
【図４】本出願の実施形態による通信方法の概略フローチャートである。
【図５】本出願の実施形態による通信方法の概略フローチャートである。
【図６】本出願の実施形態による端末デバイスの概略ブロック図である。
【図７】本出願の実施形態によるアクセスネットワークデバイスの概略ブロック図である。
【図８】本出願の実施形態によるアクセスネットワークデバイスの概略ブロック図である。
【図９】本出願の実施形態によるアクセスネットワークデバイスの概略ブロック図である。
【図１０】本出願の実施形態によるアクセスネットワークデバイスの概略ブロック図である。
【図１１】本出願の実施形態による端末デバイスの概略構造図である。
【図１２】本出願の実施形態によるアクセスネットワークデバイスの概略構造図である。
【図１３】本出願の実施形態によるアクセスネットワークデバイスの概略構造図である。
【図１４】本出願の実施形態によるアクセスネットワークデバイスの概略構造図である。
【図１５】本出願の実施形態によるアクセスネットワークデバイスの概略構造図である。
【発明を実施するための形態】
【００８４】
以降では、本出願の実施形態における添付の図面を参照しながら、本出願の実施形態における技術的なソリューションについて明確にかつ完全に記述する。明らかに、記述されている実施形態は、本出願の実施形態のうちのいくつかであり、すべてではない。当業者によって本出願の実施形態に基づいて創造的な取り組みを伴わずに入手されるその他のすべての実施形態は、本出願の保護範囲内に収まるものとする。
【００８５】
本出願の実施形態における技術的なソリューションは、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ、略して「ＧＳＭ（登録商標）」）、符号分割多元接続（Ｃｏｄｅ  Ｄｉｖｉｓｉｏｎ  Ｍｕｌｔｉｐｌｅ  Ａｃｃｅｓｓ、略して「ＣＤＭＡ」）システム、ワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略して「ＷＣＤＭＡ（登録商標）」）システム、ロングタームエボリューションＬＴＥシステム、ＬＴＥ周波数分割複信（Ｆｒｅｑｕｅｎｃｙ  Ｄｉｖｉｓｉｏｎ  Ｄｕｐｌｅｘ、略して「ＦＤＤ」）システム、ＬＴＥ時分割複信（Ｔｉｍｅ  Ｄｉｖｉｓｉｏｎ  Ｄｕｐｌｅｘ、略して「ＴＤＤ」）システム、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、略して「ＵＭＴＳ」）、および将来の第５世代（５ｔｈ  Ｇｅｎｅｒａｔｉｏｎ、略して「５Ｇ」）通信システムなどのさまざまな通信システムに適用され得ることを理解されたい。
【００８６】
本出願は、端末デバイスに関連した実施形態について記述している。端末デバイスは、ユーザ機器（Ｕｓｅｒ  Ｅｑｕｉｐｍｅｎｔ、略して「ＵＥ」）、アクセス端末、サブスクライバーユニット、サブスクライバーステーション、移動局、モバイル、リモートステーション、リモート端末、モバイルデバイス、ユーザ端末、端末、ワイヤレス通信デバイス、ユーザエージェント、またはユーザ装置と呼ばれることもある。アクセス端末は、たとえば、セルラー電話、コードレス電話、セッション開始プロトコル（Ｓｅｓｓｉｏｎ  Ｉｎｉｔｉａｔｉｏｎ  Ｐｒｏｔｏｃｏｌ、略して「ＳＩＰ」）電話、ワイヤレスローカルループ（Ｗｉｒｅｌｅｓｓ  Ｌｏｃａｌ  Ｌｏｏｐ、略して「ＷＬＬ」）ステーション、携帯情報端末（Ｐｅｒｓｏｎａｌ  Ｄｉｇｉｔａｌ  Ａｓｓｉｓｔａｎｔ、略して「ＰＤＡ」）、ワイヤレス通信機能を有するハンドヘルドデバイス、ワイヤレスモデムに接続されているコンピューティングデバイスもしくは別の処理デバイス、車載デバイス、ウェアラブルデバイス、将来の５Ｇネットワークにおける端末デバイス、または将来の進化した公衆ランドモバイルネットワーク（Ｐｕｂｌｉｃ  Ｌａｎｄ  Ｍｏｂｉｌｅ  Ｎｅｔｗｏｒｋ、略して「ＰＬＭＮ」）における端末デバイスであり得る。
【００８７】
本出願は、アクセスネットワークデバイスに関連した実施形態について記述している。アクセスネットワークデバイスは、端末デバイスと通信するように構成されているデバイスであり得る。たとえば、アクセスネットワークデバイスは、ＧＳＭまたはＣＤＭＡシステムにおいてはベーストランシーバステーション（Ｂａｓｅ  Ｔｒａｎｓｃｅｉｖｅｒ  Ｓｔａｔｉｏｎ、略して「ＢＴＳ」）と基地局コントローラ（Ｂａｓｅ  Ｓｔａｔｉｏｎ  Ｃｏｎｔｒｏｌｌｅｒ、略して「ＢＳＣ」）との組合せであり得、ＷＣＤＭＡシステムにおいてはＮｏｄｅＢ（ＮｏｄｅＢ、略して「ＮＢ」）と無線ネットワークコントローラ（Ｒａｄｉｏ  Ｎｅｔｗｏｒｋ  Ｃｏｎｔｒｏｌｌｅｒ、略して「ＲＮＣ」）との組合せであり得、またはＬＴＥシステムにおいてはエボルブドＮｏｄｅＢ（Ｅｖｏｌｖｅｄ  ＮｏｄｅＢ、略して「ｅＮＢ」もしくは「ｅＮｏｄｅＢ」）であり得る。あるいは、ネットワークデバイスは、中継ノード、アクセスポイント、車載デバイス、ウェアラブルデバイス、将来の５Ｇネットワークにおけるアクセスネットワークデバイス（たとえば、次世代基地局）、将来の進化したＰＬＭＮネットワークにおけるアクセスネットワークデバイスなどであり得る。
【００８８】
図１は、本出願の実施形態の使用シナリオ１００の概略アーキテクチャー図である。図１において示されているように、アクセスネットワークデバイス２０のセル、およびアクセスネットワークデバイス２１のセルが、ページングエリア１を形成しており、アクセスネットワークデバイス２２のセル、およびアクセスネットワークデバイス２３のセルが、ページングエリア２を形成している。
【００８９】
端末デバイス１０がページングエリア１に配置されている場合、アクセスネットワークデバイス２０または２１（または別のデバイス、たとえばＭＭＥ）が、端末デバイス１０用のページングエリア構成を実行し得、たとえば、端末デバイス１０が配置されているページングエリア１内に含まれているセルを端末デバイス１０に通知し得る。端末デバイスがページングエリア１内で移動した場合、端末デバイスは、自分のロケーションをアクセスネットワークデバイスに報告する必要はない。
【００９０】
端末デバイス１０がページングエリア１からページングエリア２へ移動した後に、現在のセルが、元のページングエリア１内に含まれているセルに含まれていないということに端末デバイス１０が気づいた場合、端末デバイス１０は、現在のサービングアクセスネットワークデバイスを通じて、端末デバイス１０用のページングエリア構成を実行したページングエリア１内のアクセスネットワークデバイスに、端末デバイス１０がページングエリア１を去ったということ、または言い換えれば、ページングエリアが変更されていることを通知し得る。たとえば、端末デバイス１０がアクセスネットワークデバイス２１のセルからアクセスネットワークデバイス２２のセルへ移動した場合、アクセスネットワークデバイス２１が、端末デバイス１０用のページングエリア構成を実行したアクセスネットワークデバイスである。この場合において、端末デバイス１０は、現在のアクセスネットワークデバイス２２を通じて、端末デバイス１０がページングエリア１を去ったことをアクセスネットワークデバイス２１に通知する必要がある。ページングエリア２内のアクセスネットワークデバイス（または別のデバイス、たとえばＭＭＥ）は、端末デバイス１０用のページングエリア構成を実行し得るか、または端末デバイスへの接続をセットアップし得る。
【００９１】
本出願の実施形態において、ページングエリアは、セルセットを表す名前である。セルセットは、アクセスネットワークデバイスによって管理される。セルセットによって形成されているページングエリア内で移動する場合、端末デバイスは、アクセスネットワークデバイスに通知する必要はなく、セルセットの外へ移動する場合、端末デバイスは、アクセスネットワークデバイスに通知する必要がある。ページングエリア内のアクセスネットワークデバイスが端末デバイスと通信する必要がある場合、ページングエリア内のアクセスネットワークデバイスは、ページングエリア内に含まれているすべてのセル内の端末デバイスをページングする必要がある。したがって、本出願の実施形態において、セルセットは、ページングエリアと呼ばれる。
【００９２】
本出願の実施形態において、セルセットは、ページングエリアと呼ばれる。しかしながら、本出願の実施形態は、それに限定されるものではない。たとえば、セルセットは、代替として、端末デバイス登録エリア、または端末デバイスのアクセスネットワーク登録エリアもしくはアクセスネットワークトラッキングエリアと呼ばれ得る。
【００９３】
図２は、本出願の実施形態による通信方法２００の概略フローチャートである。方法２００は、図１において示されているシナリオに適用されてよく、そしてもちろん、その他の通信シナリオに適用されてもよい。これは、本出願のこの実施形態においては特に限定されない。
【００９４】
Ｓ２０１において、第１の状態にある端末デバイスが、端末デバイスのページングエリアが変更されていると決定し、第１の状態は、端末デバイスがページングをリッスンしており、かつ端末デバイスの接続コンテキスト情報を格納している状態を含む。
【００９５】
任意選択で、本出願のこの実施形態において、端末デバイスは、端末デバイス内に格納されているページングエリア構成パラメータに基づいて、端末デバイスのページングエリアが変更されていると決定し得る。言い換えれば、端末デバイスは、構成されているページングエリアを端末デバイスが去ったと決定し得る。
【００９６】
たとえば、端末デバイスは、端末デバイス用に構成されているページングエリアがセル１、セル２、およびセル３を含んでいることを知っている。構成されているページングエリアを去ってセル４に入った場合、端末デバイスは、セル４が、端末デバイス用に構成されているページングエリア内に含まれているセルに含まれていないと決定する。この場合において、端末デバイスは、端末デバイスのページングエリアが変更されていると決定する。
【００９７】
別の例に関しては、端末デバイスは、端末デバイス用に構成されているページングエリアのページングエリア識別子が１であり、識別子が１であるページングエリアは、セル１、セル２、およびセル３を含んでいることを知っている。セル４に入った場合、端末デバイスは、セル４が属するページングエリアのページングエリア識別子が２であると決定する。この場合において、端末デバイスは、端末デバイスのページングエリアが変更されていると決定する。
【００９８】
任意選択で、本出願のこの実施形態において、第１の状態は、端末デバイスがページングをリッスンしており、かつ端末デバイスの接続コンテキスト情報を格納している状態を含む。端末デバイスがページされるか、またはアップリンクデータもしくはシグナリングを伝送する必要がある場合、端末デバイスは、接続コンテキスト情報に基づいて接続状態に迅速に入ることが可能である。
【００９９】
本出願のこの実施形態において、端末デバイスがページングをリッスンしており、かつ端末デバイスの接続コンテキスト情報を格納している状態は、第１の状態と呼ばれる。しかしながら、本出願は、それに限定されるものではない。第１の状態は、接続状態のサブ状態またはアイドル状態の拡張状態であり得る。第１の状態は、軽度接続状態、非アクティブ状態、低アクティブ状態、ページング状態、低オーバーヘッド状態、新たな接続状態、または新たなアイドル状態と呼ばれることもある。しかしながら、これは、本出願のこの実施形態においては限定されない。たとえば、第１の状態は、端末デバイスが端末デバイスの接続コンテキスト情報を格納している新たなアイドル状態を含み得るか、または第１の状態は、端末デバイスがセル再選択ベースのモビリティーを実行することを許可される新たな接続状態を含み得る。
【０１００】
任意選択で、本出願のこの実施形態において、第１の状態にある端末デバイスは、セル再選択ベースのモビリティーを有することを許可され、端末デバイスとコアネットワークデバイスとの間におけるインターフェースは、第１の状態に入るように端末デバイスに命令しているアクセスネットワークデバイスにとどまる。
【０１０１】
任意選択で、本出願のこの実施形態において、接続コンテキスト情報は、端末デバイスおよびアクセスネットワークデバイス用の接続構成パラメータを含む。
【０１０２】
任意選択で、接続構成パラメータは、端末デバイスの無線ベアラ構成および／または端末デバイスの識別子情報を特に含み得る。無線ベアラ構成は、シグナリング無線ベアラ構成および／またはデータ無線ベアラ構成を含み得る。端末デバイスの識別子情報は、端末デバイスのソース識別子を含み得る。
【０１０３】
任意選択で、接続コンテキスト情報は、接続構成パラメータには限定されず、その他の情報、たとえばキー情報をさらに含み得る。キー情報は、暗号化された伝送が実行される場合、または端末デバイス認証情報が生成される場合に使用される。
【０１０４】
Ｓ２０２において、端末デバイスは、第１のメッセージを第１のアクセスネットワークデバイスへ送信し、第１のメッセージは、端末デバイスのページングエリアが変更されていることを第１のアクセスネットワークデバイスに通知するために使用され、第１のアクセスネットワークデバイスは、端末デバイスのサービングアクセスネットワークデバイスである。
【０１０５】
本出願のこの実施形態において、端末デバイスのページングエリアが変更されていると決定した場合、端末デバイスは、第１のメッセージを第１のアクセスネットワークデバイスへ送信する。言い換えれば、構成されているページングエリアを端末デバイスが去ったと決定した場合、端末デバイスは、第１のメッセージを送信して第１のアクセスネットワークデバイスに通知し得る。
【０１０６】
任意選択で、端末デバイスのページングエリアが変更されていて端末デバイスが接続コンテキスト情報を格納しているので、端末デバイスは、ＲＲＣ接続再開要求メッセージを送信し得る。ＲＲＣ接続再開要求メッセージは、ＲＲＣ接続を再開するように要求するために使用され、ＲＲＣ接続再開要求メッセージは、端末デバイスのページングエリアが変更されていることを第１のアクセスネットワークデバイスに通知するために使用され得る。
【０１０７】
実装において、ＲＲＣ接続再開要求メッセージは、端末デバイスのページングエリアが変更されていることを第１のアクセスネットワークデバイスに通知するために使用される情報を含み得る。この場合において、端末デバイスのページングエリアが変更されているという情報を示すために使用されるフィールドが、ＲＲＣ接続再開要求メッセージに付加されることが可能である。
【０１０８】
たとえば、１つのビットが、ＲＲＣ接続再開要求メッセージに付加される。ビットが「１」に設定されている場合、ＲＲＣ接続再開要求メッセージは、端末デバイスのページングエリアが変更されていることを第１のアクセスネットワークデバイスに通知するために使用され得る。ビットが「０」に設定されている場合、ＲＲＣ接続再開要求メッセージは、端末デバイスのページングエリアが変更されていないことを示し得る。
【０１０９】
本出願のこの実施形態において、１つのビットがＲＲＣ接続再開要求メッセージに付加される例を使用することによって説明が提供されているにすぎないことを理解されたい。しかしながら、本出願のこの実施形態は、それに限定されるものではない。端末デバイスのページングエリアが変更されているという情報を示すフィールドとして、複数のビットがＲＲＣ接続再開要求メッセージに付加され得る。
【０１１０】
別の実装において、ＲＲＣ接続再開要求メッセージ内の原因値は、端末デバイスのページングエリアが変更されていることを示し得る。この場合において、ＲＲＣ接続再開要求メッセージのメッセージ構造またはメッセージ長さにおける変更を伴うことなく、端末デバイスは、ＲＲＣ接続再開要求メッセージを使用することによって、端末デバイスのページングエリアが変更されていることを第１のアクセスネットワークデバイスに通知し得る。
【０１１１】
したがって、本出願のこの実施形態において、第１のメッセージは、ＲＲＣ接続再開要求メッセージであり、それによって、既存のメッセージフォーマットが効果的に使用されることが可能であり、既存のプロトコルにおける変更を伴うことなく、第１のアクセスネットワークデバイスは、端末デバイスのページングエリアが変更されていることを通知されることが可能である。
【０１１２】
任意選択で、本出願のこの実施形態において、端末デバイスは、共通チャネルの第１のシグナリングチャネルを使用することによって第１のメッセージを第１のアクセスネットワークデバイスへ送信し得る。
【０１１３】
Ｓ２０３において、第１のアクセスネットワークデバイスは、端末デバイスによって送信された第１のメッセージを受信する。
【０１１４】
Ｓ２０４において、第１のアクセスネットワークデバイスは、第２のアクセスネットワークデバイスから端末デバイスの接続コンテキスト情報を入手し、第２のアクセスネットワークデバイスは、端末デバイス用に構成されているページングエリア内に含まれているセルに対応するアクセスネットワークデバイスであるか、または端末デバイスの接続コンテキスト情報を格納するように構成されている所定のアクセスネットワークデバイスである。
【０１１５】
任意選択で、本出願のこの実施形態において、第２のアクセスネットワークデバイスは、端末デバイスが去った構成されているページングエリア内に含まれているセルに対応するアクセスネットワークデバイスであり得る。端末デバイスが第２のアクセスネットワークデバイスのセルに配置されている場合、第２のアクセスネットワークデバイスは、第１の状態に入るように命令する情報を端末デバイスへ送信し得、端末デバイスは、命令情報に従って第１の状態に入り得る。端末デバイスのページングエリアが変更されている場合、端末デバイスのサービングアクセスネットワークデバイスは、第２のアクセスネットワークデバイスから端末デバイスの接続コンテキスト情報を入手し得る。
【０１１６】
任意選択で、本出願のこの実施形態において、第２のアクセスネットワークデバイスは、代替として、端末デバイスの接続コンテキスト情報を格納するように構成されている所定のアクセスネットワークデバイスであり得る。
【０１１７】
特に、第２のアクセスネットワークデバイスは、複数の端末デバイスの接続コンテキスト情報を格納し得る。複数の端末デバイスが特定のエリア（たとえば、少なくとも１つのページングエリアのエリア）内で移動した場合、端末デバイスのサービングアクセスネットワークデバイスは、第２のアクセスネットワークデバイスから端末デバイスの接続コンテキスト情報を入手し、次いで端末デバイスへの接続をセットアップし得る。この場合において、第２のアクセスネットワークデバイスは、アンカーアクセスネットワークデバイスと呼ばれることがある。
【０１１８】
任意選択で、本出願のこの実施形態において、第１のメッセージは、第２のアクセスネットワークデバイスの識別子情報をさらに含み得、第１のアクセスネットワークデバイスは、第２のアクセスネットワークデバイスの識別子情報に基づいて第２のアクセスネットワークデバイスを決定し得る。
【０１１９】
任意選択で、本出願のこの実施形態において、第１のアクセスネットワークデバイスは、第１の命令メッセージを第２のアクセスネットワークデバイスへ送信し得る。第１の命令メッセージは、端末デバイスの接続コンテキスト情報を第２のアクセスネットワークデバイスに要求するために端末デバイスの識別子情報を搬送する。第２のアクセスネットワークデバイスは、端末デバイスの識別子情報に基づいて端末デバイスの接続コンテキスト情報を決定し得る。次いで、第１のアクセスネットワークデバイスは、第２のアクセスネットワークデバイスによって送信されたコンテキスト転送メッセージを受信する。コンテキスト転送メッセージは、端末デバイスの接続コンテキスト情報を含む。
【０１２０】
あるいは、第１のアクセスネットワークデバイスは、はじめに端末デバイスの入るべき状態を決定し、次いで第２のアクセスネットワークデバイスから端末デバイスの接続コンテキスト情報を入手し得ることを理解されたい。言い換えれば、Ｓ２０５は、Ｓ２０４の前に実行される。
【０１２１】
加えて、接続コンテキスト情報は、第１のアクセスネットワークデバイスと端末デバイスとの間における接続をセットアップするために使用されるので、代替として、第１のアクセスネットワークデバイスは、端末デバイスが第２の状態にいる必要があると決定した場合にのみ第２のアクセスネットワークデバイスから端末デバイスの接続コンテキスト情報を入手し得ることを理解されたい。
【０１２２】
したがって、本出願のこの実施形態において、第１のアクセスネットワークデバイスは、第２のアクセスネットワークデバイスから端末デバイスの接続コンテキスト情報を入手し、それによって、第１のアクセスネットワークデバイスは、端末デバイスが第２の状態にいる必要があると決定した場合には端末デバイスの接続コンテキストに基づいて端末デバイスへの接続を迅速に再開することが可能である。
【０１２３】
Ｓ２０５において、第１のアクセスネットワークデバイスは、端末デバイスの入るべき状態を決定する。
【０１２４】
実装において、現在の端末デバイスがサービス要求を有していると決定した場合、第１のアクセスネットワークデバイスは、入るべき状態が第２の状態である、言い換えれば、端末デバイスがデータを伝送するために接続状態に入る必要があると決定し得る。
【０１２５】
たとえば、端末デバイスをページングするためのページングメッセージを受信した場合、第１のアクセスネットワークデバイスは、端末デバイスがデータを伝送するために第２の状態に入る必要があると決定し得る。
【０１２６】
別の実装において、端末デバイスが現在はデータ伝送の必要性を有していないと決定した場合、第１のアクセスネットワークデバイスは、端末デバイスが引き続き第１の状態にいる必要があると決定し得る。
【０１２７】
たとえば、端末デバイスをページングするためのページングメッセージを受信しなかった場合、第１のアクセスネットワークデバイスは、端末デバイスが第１の状態にとどまることが可能であると決定し得る。
【０１２８】
別の実装において、端末デバイスが比較的長い期間にわたってデータ伝送の必要性を有していないと第１のアクセスネットワークデバイスが決定した場合、第１のアクセスネットワークデバイスは、端末デバイスがアイドル状態に入る必要があると決定し得る。
【０１２９】
Ｓ２０６において、第１のアクセスネットワークデバイスは、第２のメッセージを端末デバイスへ送信する。端末デバイスの入るべき状態が第２の状態であると決定した場合、第１のアクセスネットワークデバイスは、第２の状態に入るように端末デバイスに命令するために使用される第２のメッセージを端末デバイスへ送信し得る。
【０１３０】
任意選択で、端末デバイスが第１の状態にとどまる必要があると決定した場合、第１のアクセスネットワークデバイスは、第１の状態にとどまるように端末デバイスに命令するために使用される第２のメッセージを端末デバイスへ送信し得る。
【０１３１】
任意選択で、第１のアクセスネットワークデバイスは、第２のメッセージ内に含めて搬送されているコンテンツ、および／または第２のメッセージのタイプに基づいて、端末デバイスの入るべき状態を示し得る。
【０１３２】
任意選択で、本出願のこの実施形態において、共通チャネルの第１のシグナリングチャネルを使用することによって端末デバイスによって送信された第１のメッセージを受信した後に、第１のアクセスネットワークデバイスは、専用チャネルの第２のシグナリングチャネルを使用することによって第２のメッセージを端末デバイスへ送信し得る。
【０１３３】
任意選択で、第１のアクセスネットワークデバイスは、端末デバイスの接続コンテキスト情報に基づいて第２のシグナリングチャネルをアクティブ化し得、第２のシグナリングチャネルを使用することによって第２のメッセージを端末デバイスへ送信する。
【０１３４】
Ｓ２０７において、端末デバイスは、第１のアクセスネットワークデバイスによって送信された第２のメッセージを受信する。
【０１３５】
任意選択で、本出願のこの実施形態において、共通チャネルの第１のシグナリングチャネルを使用することによって第１のメッセージを第１のアクセスネットワークデバイスへ送信した後に、端末デバイスは、第２のシグナリングチャネルを使用することによって第２のメッセージを受信し得る。
【０１３６】
任意選択で、端末デバイスは、端末デバイスの接続コンテキスト情報内に保存されているシグナリングチャネルパラメータに基づいて第２のシグナリングチャネルをアクティブ化し得、第２のシグナリングチャネルを使用することによって第２のメッセージを受信する。
【０１３７】
Ｓ２０８において、端末デバイスは、第２のメッセージに基づいて、端末デバイスの入るべき状態を決定する。
【０１３８】
任意選択で、端末デバイスは、第２のメッセージ内に含めて搬送されているコンテンツ、および／または第２のメッセージのタイプに基づいて、端末デバイスの入るべき状態を決定し得る。
【０１３９】
Ｓ２０９において、入るべき状態が第２の状態であると端末デバイスが決定した場合、端末デバイスは、格納されている接続コンテキスト情報に基づいて第２の状態に入り、第２の状態は、端末デバイスおよび第１のアクセスネットワークデバイスが接続されていることを含む。
【０１４０】
本出願のこの実施形態において、端末デバイスが第２の状態に入る必要があると決定した場合、端末デバイスは、接続コンテキストに基づいて接続状態に入り得、接続状態に入った後に、端末デバイスは、第１のアクセスネットワークデバイスとの間でデータ伝送を実行し得る。
【０１４１】
任意選択で、本出願のこの実施形態において、第２の状態に入った後に、端末デバイスは、端末デバイスが第２のメッセージを受信して第２の状態に入ったことを示すための第３のメッセージを第１のアクセスネットワークデバイスへ送信し得る。
【０１４２】
任意選択で、本出願のこの実施形態において、入るべき状態が第１の状態であると端末デバイスが決定した場合、端末デバイスは、第１の状態にとどまる。任意選択で、端末デバイスが第１の状態にいる必要がある場合、端末デバイスは、端末デバイスが第２のメッセージを受信したことを示すための第４のメッセージを第１のアクセスネットワークデバイスへ送信し得る。端末デバイスは、格納されている接続コンテキスト情報に基づいて第２の状態に入り、第４のメッセージを第１のアクセスネットワークデバイスへ送信し、第４のメッセージを送信した後に第１の状態に入り得る。
【０１４３】
任意選択で、端末デバイスが第１の状態にいる必要がある場合、端末デバイスは、第１の状態にとどまっているときに、端末デバイスが第２のメッセージを受信したことを示すための第４のメッセージを第１のアクセスネットワークデバイスへ送信し得る。
【０１４４】
任意選択で、端末デバイスが第１の状態にいる必要がある場合、端末デバイスは、第１の状態にとどまり得、メッセージを用いて第１のアクセスネットワークデバイスに返信しなくてよい。
【０１４５】
任意選択で、本出願のこの実施形態において、第３のメッセージおよび第４のメッセージは、同じタイプのメッセージであり得る。たとえば、第２のメッセージがＲＲＣ接続再開メッセージである場合、第３のメッセージおよび第４のメッセージは、両方ともＲＲＣ接続再開完了メッセージであり得る。
【０１４６】
したがって、本出願のこの実施形態において、構成されているページングエリアを去った後に、第１の状態にある端末デバイスは、端末デバイスのページングエリアが変更されていることを第１のアクセスネットワークデバイスに通知するために使用される第１のメッセージを第１のアクセスネットワークデバイスへ送信し、端末デバイスは、第１のアクセスネットワークデバイスによって送信された第２のメッセージに基づいて、端末デバイスの入るべき状態を決定する。端末デバイスが接続状態に入る必要がある場合、端末デバイスは、アクセスネットワークデバイスへの別の接続をセットアップすることなく、格納されている接続コンテキスト情報に基づいて接続状態に直接入ることが可能である。このようにして、端末デバイスは、接続状態に迅速に入ることが可能である。加えて、端末デバイスは、端末デバイスのページングエリアが変更されていることをコアネットワークデバイスに通知する必要はない。これは、アクセスネットワークデバイスとコアネットワークデバイスとの間におけるシグナリングを低減し、それによってシグナリングオーバーヘッドを低減することが可能である。
【０１４７】
加えて、第１のアクセスネットワークデバイスは、第２のアクセスネットワークデバイスから接続コンテキスト情報を入手し、それによって、第１のアクセスネットワークデバイスは、端末デバイスが第２の状態に入る必要があると決定した場合、接続コンテキストに基づいて端末デバイスへの接続を迅速にセットアップすることが可能である。
【０１４８】
任意選択で、本出願のこの実施形態において、第１のアクセスネットワークデバイスは、第２のメッセージ内に含めて搬送されているコンテンツ、および／または第２のメッセージのタイプに基づいて、端末デバイスの入るべき状態を示し得る。それに対応して、端末デバイスは、第２のメッセージ内に含めて搬送されているコンテンツ、および／または第２のメッセージのタイプに基づいて、端末デバイスの入るべき状態を決定し得る。
【０１４９】
任意選択で、本出願のこの実施形態において、第２のメッセージ内に含めて搬送されているコンテンツは、状態表示情報および／またはページングエリア構成情報を含み得る。
【０１５０】
任意選択で、状態表示情報は、端末デバイスの入るべき状態を示すために使用され、第２のメッセージは、１つの専用フィールドを使用することによって状態表示情報を搬送し得る。
【０１５１】
たとえば、第２のメッセージは、状態表示情報を搬送するために使用される１つのビットを含む。ビットが「１」である場合、第２のメッセージは、端末デバイスが第２の状態にいる必要があることを示すために使用される。ビットが「０」である場合、第２のメッセージは、端末デバイスが第１の状態にいる必要があることを示すために使用される。
【０１５２】
任意選択で、ページングエリア構成情報は、端末デバイス用のページングエリア構成を更新するために使用される。
【０１５３】
以降では、どのようにして第１のアクセスネットワークデバイスがページングエリア構成情報を入手して端末デバイス用のページングエリア構成を更新するかに関連した説明を提供する。
【０１５４】
実装において、第１のアクセスネットワークデバイスは、候補セルを第２のアクセスネットワークデバイスへ送信し、第１のアクセスネットワークデバイスは、第２のアクセスネットワークデバイスによって送信される選択されたセルに関する情報を受信し、第１のアクセスネットワークデバイスは、選択されたセルに関する情報に基づいてページングエリア構成情報を生成する。
【０１５５】
任意選択で、本出願のこの実施形態において、第１のアクセスネットワークデバイスは、候補セルを別個に送信し得、または第１の命令メッセージを使用することによって候補セルを第２のアクセスネットワークデバイスへ送信し得る。
【０１５６】
特に、第１のアクセスネットワークデバイスは、候補セルを搬送する第１の命令メッセージを第２のアクセスネットワークデバイスへ送信する。第１の命令メッセージは、選択されるセルを候補セルから決定するように第２のアクセスネットワークデバイスに命令するために端末デバイスの識別子情報を搬送する。
【０１５７】
任意選択で、本出願のこの実施形態において、第１のアクセスネットワークデバイスは、コンテキスト転送メッセージを使用することによって、選択されたセルに関する情報を受信し得る。
【０１５８】
任意選択で、第２のアクセスネットワークデバイスは、端末デバイスの移動スピードに基づいて、選択されるセルを候補セルから決定し得る。
【０１５９】
たとえば、第１のアクセスネットワークデバイスは、セル１、セル２、セル３、およびセル４を候補セルとして第２のアクセスネットワークデバイスへ送信する。第２のアクセスネットワークデバイスは、端末デバイスの移動スピードに基づいてセルを選択し得る。端末デバイスが比較的速く移動している場合、第２のアクセスネットワークデバイスは、候補セルのうちのすべてを、選択されるセルとして選択し得る。これは、端末デバイスが現在のページングエリアをあまりにも速く去るので、新たなページングエリアを構成する必要性を回避することが可能である。
【０１６０】
別の例に関しては、第１のアクセスネットワークデバイスは、セル１、セル２、セル３、およびセル４を候補セルとして第２のアクセスネットワークデバイスへ送信する。端末デバイスが比較的遅く移動している場合、第２のアクセスネットワークデバイスは、選択されるセルとして候補セルからセル１およびセル２を選択し得る。これは、ページングプロセスにおけるページングシグナリングを低減することが可能である。
【０１６１】
別の実装において、本出願のこの実施形態において、第１のアクセスネットワークデバイスは、第１の命令メッセージを第２のアクセスネットワークデバイスへ送信し、第１の命令メッセージは、端末デバイスの識別子情報を搬送して、端末デバイスのページングエリア構成要件パラメータを第１のアクセスネットワークデバイスへ送信するように第２のアクセスネットワークデバイスに命令し、第１のアクセスネットワークデバイスは、第２のアクセスネットワークデバイスによって送信される端末デバイスのページングエリア構成要件パラメータを受信し、端末デバイスのページングエリア構成要件パラメータに基づいて、第１のアクセスネットワークデバイスは、端末デバイス用に構成されることになるページングエリア内に含まれるセルを決定し、ページングエリア構成情報を生成する。
【０１６２】
任意選択で、本出願のこの実施形態において、第１のアクセスネットワークデバイスは、コンテキスト転送メッセージを使用することによってページングエリア構成要件パラメータを受信し得る。任意選択で、本出願のこの実施形態において、コンテキスト転送メッセージは、第２のアクセスネットワークデバイスによって第１のアクセスネットワークデバイスへ送信されるハンドオーバーメッセージであり得る。
【０１６３】
任意選択で、第２のアクセスネットワークデバイスは、端末デバイスの移動スピードに基づいてページングエリア構成要件パラメータを決定し得る。
【０１６４】
実装において、端末デバイスが比較的速く移動している場合、第２のアクセスネットワークデバイスは、端末デバイス用に比較的大きなページングエリア（たとえば、ページングエリアは、比較的大量のセルを含む）を構成するように第１のアクセスネットワークデバイスに命令するためのページングエリア要件パラメータを決定し得、第１のアクセスネットワークデバイスは、ページングエリア要件パラメータに基づいてページングエリア構成情報を決定する。
【０１６５】
たとえば、ページングエリア構成要件パラメータは、現在のページングエリア内に含まれることが可能であるセルの量を示し得る。端末デバイスが比較的速く移動している場合、ページングエリア構成要件パラメータは、現在のページングエリアが４つのセルを含むことが可能であることを示し得、第１のアクセスネットワークデバイスは、セルのこの量に従って４つのセルをページングエリアとして決定する。
【０１６６】
別の実装において、端末デバイスが比較的遅く移動している場合、第２のアクセスネットワークデバイスは、端末デバイス用に比較的小さなページングエリア（たとえば、ページングエリアは、比較的少量のセルを含む）を構成するように第１のアクセスネットワークデバイスに命令するためのページングエリア要件パラメータを決定し得、第１のアクセスネットワークデバイスは、ページングエリア要件パラメータに基づいてページングエリア構成情報を決定する。
【０１６７】
たとえば、端末デバイスが比較的遅く移動している場合、ページングエリア構成要件パラメータは、現在のページングエリアが２つのセルを含むことが可能であることを示し得、第１のアクセスネットワークデバイスは、セルのこの量に従ってページングエリアとして２つのセルを決定する。
【０１６８】
任意選択で、第１のアクセスネットワークデバイスが、ページングエリア構成要件パラメータに基づいてページングエリア構成情報を生成した後に、第１のアクセスネットワークデバイスは、ページングエリア構成情報を第２のアクセスネットワークデバイスへ送信し得、それによって、端末デバイスをページングするためのページング情報を受信した後に、第２のアクセスネットワークデバイスは、ページングエリア構成情報に基づいて決定されたページングエリア内に含まれているセル内の端末デバイスをページングすることが可能である。
【０１６９】
任意選択で、本出願のこの実施形態において、第１のメッセージのタイプがＲＲＣ接続再開要求メッセージである場合、第２のメッセージのタイプは、ＲＲＣ接続再開メッセージまたはＲＲＣ接続拒否メッセージであり得る。ＲＲＣ接続再開メッセージは、ＲＲＣ接続を再開するように端末デバイスに命令するために使用され、ＲＲＣ接続拒否メッセージは、第１のアクセスネットワークデバイスがＲＲＣ接続の再開を拒否することを示すために使用される。
【０１７０】
本出願を理解しやすくするために、以降では、第１のアクセスネットワークデバイスが、第２のメッセージのタイプおよび／またはコンテンツを使用することによって端末デバイスの入るべき状態をどのようにして示すかを記述するための例として、方法Ａ、方法Ｂ、および方法Ｃを使用する。
【０１７１】
方法Ａ
【０１７２】
第１のアクセスネットワークデバイスは、第２のメッセージ内に含めて搬送されているコンテンツを使用することによって、端末デバイスの入るべき状態を示し得る。それに対応して、端末デバイスは、第２のメッセージ内に含めて搬送されているコンテンツに基づいて、端末デバイスの入るべき状態を決定し得る。
【０１７３】
実装において、第２のメッセージ内に含めて搬送されているコンテンツは、状態表示情報を含む。状態表示情報が「第２の状態に入ること」である場合、第２のメッセージは、第２の状態に入るように端末デバイスに命令し得る。この場合において、端末デバイスは、接続コンテキストに基づいて接続状態に入る。あるいは、状態表示情報が「第１の状態にとどまること」である場合、第２のメッセージは、第１の状態にとどまるように端末デバイスに命令し得る。あるいは、状態表示情報が情報を含んでいない場合、第２のメッセージは、第２の状態に入るように端末デバイスに命令し得る。
【０１７４】
別の実装において、第２のメッセージ内に含めて搬送されているコンテンツは、ページングエリア構成情報を含む。ページングエリア構成情報において構成されているページングエリアが、少なくとも１つのセルを含んでいる場合、第２のメッセージは、第１の状態にとどまるように端末デバイスに命令し得る。ページングエリア構成情報において構成されているページングエリアが、セルを含んでいない場合、第２のメッセージは、第２の状態に入るように端末デバイスに命令し得る。
【０１７５】
別の実装において、第２のメッセージ内に含めて搬送されているコンテンツは、状態表示情報およびページングエリア構成情報を含む。状態表示情報が「第１の状態にとどまること」であり、ページングエリア構成情報において構成されているページングエリアが、少なくとも１つのセルを含んでいる場合、第２のメッセージは、第１の状態にとどまるように端末デバイスに命令し得る。状態表示情報が「第２の状態に入ること」であり、ページングエリア構成情報において構成されているページングエリアが、セルを含んでいない場合、第２のメッセージは、第２の状態に入るように端末デバイスに命令し得る。
【０１７６】
方法Ｂ
【０１７７】
第１のアクセスネットワークデバイスは、第２のメッセージのタイプを使用することによって、端末デバイスの入るべき状態を示し得る。それに対応して、端末デバイスは、第２のメッセージのタイプに基づいて、端末デバイスの入るべき状態を決定する。
【０１７８】
実装において、第２のメッセージのタイプがＲＲＣ接続拒否メッセージである場合、端末デバイスは、入るべき状態が第１の状態であると決定する。
【０１７９】
別の実装において、第２のメッセージのタイプがＲＲＣ接続再開メッセージである場合、端末デバイスは、入るべき状態が第２の状態であると決定する。
【０１８０】
たとえば、第２のメッセージのタイプがＲＲＣ接続拒否メッセージである場合、端末デバイスは、端末デバイスの入るべき状態が第１の状態であると決定し得、第２のメッセージのタイプがＲＲＣ接続再開メッセージである場合、端末デバイスは、端末デバイスの入るべき状態が第２の状態であると決定し得る。
【０１８１】
方法Ｃ
【０１８２】
第１のアクセスネットワークデバイスは、第２のメッセージ内に含めて搬送されているコンテンツ、および第２のメッセージのタイプを使用することによって、端末デバイスの入るべき状態を示し得る。それに対応して、端末デバイスは、第２のメッセージのタイプおよびコンテンツに基づいて、端末デバイスの入るべき状態を決定する。
【０１８３】
実装において、第２のメッセージのタイプがＲＲＣ接続再開メッセージであり、第２のメッセージ内に含めて搬送されているコンテンツが、第１の状態にいるように端末デバイスに命令するために使用されている場合、端末デバイスは、入るべき状態が第１の状態であると決定する。
【０１８４】
たとえば、端末デバイスがＲＲＣ接続再開メッセージを受信し、ＲＲＣ接続再開メッセージ内に含まれている状態表示情報が「第１の状態にとどまること」であり、および／またはＲＲＣ接続再開メッセージ内に含まれているページングエリア構成情報において構成されているページングエリアが、少なくとも１つのセルを含んでいる場合、端末デバイスは、第１の状態にとどまる。
【０１８５】
別の実装において、第２のメッセージのタイプがＲＲＣ接続再開メッセージであり、第２のメッセージ内に含めて搬送されているコンテンツが、第２の状態にいるように端末デバイスに命令するために使用されている場合、端末デバイスは、端末デバイスの入るべき状態が第２の状態であると決定する。
【０１８６】
たとえば、端末デバイスがＲＲＣ接続再開メッセージを受信し、ＲＲＣ接続再開メッセージ内に含まれている状態表示情報が「第２の状態に入ること」であり、および／またはＲＲＣ接続再開メッセージ内に含まれているページングエリア構成情報において構成されているページングエリアがセルを含んでいない場合、端末デバイスは、第２の状態に入る。
【０１８７】
したがって、本出願のこの実施形態において、第２のメッセージがＲＲＣ接続再開メッセージまたはＲＲＣ接続拒否メッセージである場合、端末デバイスの入るべき状態を示すために既存のメッセージがフルに使用されることも可能である。加えて、端末デバイスが第２の状態に入る必要がある場合、端末デバイスは、ＲＲＣ接続再開メッセージを受け入れることによって接続状態に迅速に入ることが可能である。
【０１８８】
本出願のこの実施形態における説明のための例としてＲＲＣ接続のみが使用されていることを理解されたい。しかしながら、本出願のこの実施形態は、それに限定されるべきではない。代替として、端末デバイスとアクセスネットワークデバイスとの間におけるその他の接続が使用され得る。
【０１８９】
加えて、方法Ａ、方法Ｂ、および方法Ｃの形態を使用することは、本出願のこの実施形態をより明確に記述することを意図されていることを理解されたい。しかしながら、方法Ａ、方法Ｂ、および方法Ｃは、互いに独立しておらず、別々の方法に属する特徴どうしは、互いに組み合わされることが可能である。
【０１９０】
任意選択で、本出願のこの実施形態において、ＲＲＣ接続再開メッセージは、暗号化パラメータのフィールドを含む。端末デバイスは、端末デバイスのさまざまな入るべき状態に基づいて、暗号化パラメータ上でさまざまな処理を実行することが可能である。
【０１９１】
実装において、端末デバイスが、ＲＲＣ接続再開メッセージに基づいて、入るべき状態が第１の状態であると決定した場合、端末デバイスは、ＲＲＣ接続再開メッセージ内の、ＲＲＣ接続を再開するために使用される暗号化パラメータを無視し得る。
【０１９２】
端末デバイスが、暗号化パラメータに基づいて第２の状態に入った場合、長時間にわたってデータ伝送がないことがある。この場合において、端末デバイスにとって無用な電気エネルギー消費が引き起こされ得る。したがって、入るべき状態が第１の状態であると決定した場合、端末デバイスは、暗号化パラメータを無視し、第１の状態にとどまり得る。このようにして、端末デバイスが、第１の状態にとどまることを決定した場合でさえ暗号化パラメータに基づいて接続状態に入るということが回避されることが可能である。
【０１９３】
別の実施態様において、端末デバイスが、ＲＲＣ接続再開メッセージに基づいて、入るべき状態が第２の状態であると決定した場合、端末デバイスは、ＲＲＣ接続再開メッセージ内の暗号化パラメータに基づいてＲＲＣ接続を再開する必要がある。
【０１９４】
任意選択で、本出願のこの実施形態において、ＲＲＣ接続拒否メッセージは、待ち時間情報を搬送するフィールドを含み得る。待ち時間情報は、端末デバイスと第１のアクセスネットワークデバイスとの間におけるＲＲＣ接続を再開するために必要とされる待ち時間を示すために使用される。
【０１９５】
任意選択で、端末デバイスは、待ち時間情報、および端末デバイスのさまざまな入るべき状態に基づいて、さまざまな処理を実行し得る。
【０１９６】
実装において、端末デバイスが、ＲＲＣ接続拒否メッセージに基づいて、入るべき状態が第１の状態であると決定した場合、端末デバイスは、ＲＲＣ接続拒否情報内に含まれている待ち時間情報を無視する。
【０１９７】
端末デバイスが、ＲＲＣ接続拒否情報内に含まれている待ち時間情報を無視しない場合、端末デバイスは、待ち時間が経過した後に第１のアクセスネットワークデバイスへのＲＲＣ接続をアクティブに再開し得る。この場合において、伝送されることを必要としているデータがないので、端末デバイスにとって無用な電気エネルギー消費が引き起こされ得る。
【０１９８】
実装において、ＲＲＣ接続拒否メッセージ内の原因値は、ページングエリアが端末デバイス用に成功裏に構成されていることを示し得、端末デバイスは、入るべき状態が第１の状態であると決定する。この場合において、端末デバイスは、ＲＲＣ接続拒否情報内に含まれている待ち時間情報を無視し得る。
【０１９９】
前述されているＲＲＣ接続拒否メッセージが、ページングエリア変更通知を搬送しているＲＲＣ接続再開要求メッセージに応答した場合、端末デバイスは、ＲＲＣ接続拒否メッセージ内に含まれている待ち時間情報を無視し得る。
【０２００】
本出願のこの実施形態において、代替として、ＲＲＣ接続拒否メッセージは、ページングエリア変更通知を搬送していないＲＲＣ接続再開要求メッセージに応答し得る。この場合において、端末デバイスは、ＲＲＣ接続拒否メッセージ内に含まれている待ち時間情報に基づいてタイマーを始動して、タイマー内で第１の状態にとどまる。
【０２０１】
実装において、端末デバイスのページングエリアが変更されていることを第１のアクセスネットワークデバイスに通知するために使用される情報をＲＲＣ接続再開要求メッセージが含んでいない場合、端末デバイスは、ＲＲＣ接続拒否情報内に含まれている待ち時間情報に基づいてタイマーを始動する。
【０２０２】
別の実装において、ＲＲＣ接続再開要求メッセージ内の原因値が、端末デバイスのページングエリアが変更されていることを示していない場合、端末デバイスは、ＲＲＣ接続拒否情報内に含まれている待ち時間情報に基づいてタイマーを始動する。
【０２０３】
本出願のこの実施形態において、ページングエリア構成情報は、第２のアクセスネットワークデバイスによって決定されるか、または第２のアクセスネットワークデバイスによって送信されたページングエリア構成要件パラメータに基づいて決定されることを理解されたい。しかしながら、本出願のこの実施形態は、それに限定されるものではない。代替として、ページングエリア構成情報は、第１のアクセスネットワークデバイスによって決定され得る。この場合において、第１のアクセスネットワークデバイスは、第２のアクセスネットワークデバイス内に格納されている、端末デバイスに関連したすべての情報を含み、第１のアクセスネットワークデバイスは、第２のアクセスネットワークデバイスに取って代わることが可能である。具体的には、コアネットワークデバイスが端末デバイスをページングした場合、第１のアクセスネットワークデバイスは、ページングエリア構成情報に基づいて決定されたページングエリア内に含まれているセル内の端末デバイスをページングし得る。
【０２０４】
加えて、本出願のこの実施形態において、第２のアクセスネットワークデバイスが、選択されるセルまたはページングエリア構成要件パラメータを端末デバイスの移動スピードに基づいて決定する例を使用することによって説明が提供されているにすぎないことを理解されたい。しかしながら、本出願のこの実施形態は、それに限定されるものではない。代替として、第２のアクセスネットワークデバイスは、選択されるセルまたはページングエリア構成要件パラメータを別のファクタに基づいて決定し得る。
【０２０５】
本出願をより明確に理解しやすくするために、以降では、図３において示されている方法３００を参照しながら、本出願の実施形態における通信方法を詳細に記述するための例として、図１において示されているシナリオを使用する。
【０２０６】
図３は、本出願の実施形態による通信方法３００の概略フローチャートである。
【０２０７】
Ｓ３０１において、アクセスネットワークデバイス２１が、ページングエリア構成情報を端末デバイス１０へ送信する。ページングエリア構成情報は、たとえば、アクセスネットワークデバイス２０のセル、およびアクセスネットワークデバイス２１のセルを含む、端末デバイスが現在配置されているページングエリア内に含まれているセルを示すために使用される。
【０２０８】
Ｓ３０２において、端末デバイス１０が第１の状態にとどまる必要があると決定した場合（たとえば、端末デバイスへ伝送されることを現在必要としているデータがない場合）には、アクセスネットワークデバイス２１は、第１の状態に入るように命令する情報を端末デバイス１０へ送信し得る。この場合において、端末デバイス１０は、アクセスネットワークデバイス２１のセル内に配置され得る。
【０２０９】
Ｓ３０１およびＳ３０２の実行は、特定のシーケンスに限定されないことを理解されたい。たとえば、アクセスネットワークデバイス２１は、第１の状態に入るように端末デバイス１０に命令する前にページングエリア構成情報を端末デバイス１０へ送信し得る。あるいは、アクセスネットワークデバイス２１は、ページングエリア構成情報を端末デバイス１０へ送信する前に、第１の状態に入るように端末デバイス１０に命令し得る。あるいは、アクセスネットワークデバイス２１は、第１の状態に入るように端末デバイス１０に命令するのと同時に、ページングエリア構成情報を端末デバイス１０へ送信し得る。
【０２１０】
Ｓ３０３において、端末デバイス１０は、ページングエリア１を去り、アクセスネットワークデバイス２２のセルのカバレッジエリアに入る。端末デバイス１０は、Ｓ３０１において送信されたページングエリア構成情報に基づいて、構成されているページングエリアを端末デバイス１０が去ったと決定し得る。
【０２１１】
Ｓ３０４において、端末デバイス１０は、第１のメッセージをアクセスネットワークデバイス２２へ送信する。第１のメッセージは、端末デバイス１０のページングエリアが変更されていることを示すために使用される。
【０２１２】
Ｓ３０５において、アクセスネットワークデバイス２２は、端末デバイスの接続コンテキスト情報を要求するために使用される要求メッセージをアクセスネットワークデバイス２１へ送信し得る。
【０２１３】
端末デバイスが去った構成されているページングエリア内に含まれているセルに対応するアクセスネットワークデバイス内に端末デバイスの接続コンテキスト情報が格納される例を使用することによって方法３００が記述されていることを理解されたい。代替として、端末デバイスの接続コンテキストは、端末デバイスの接続コンテキスト情報を格納するように構成されている所定のアクセスネットワークデバイス内に格納され得る。
【０２１４】
Ｓ３０６において、アクセスネットワークデバイス２１は、端末デバイス１０の接続コンテキスト情報を決定し得る。
【０２１５】
Ｓ３０７において、アクセスネットワークデバイス２１は、端末デバイスの接続コンテキスト情報をアクセスネットワークデバイス２２へ送信し得る。
【０２１６】
本出願のこの実施形態において、アクセスネットワークデバイス２２は、アクセスネットワークデバイス２１から端末デバイス１０の接続コンテキスト情報を入手し、それによって、アクセスネットワークデバイス２２は、端末デバイス１０が第２の状態にいる必要があると決定した場合には端末デバイス１０の接続コンテキスト情報に基づいて端末デバイス１０への接続を迅速に再開することが可能である。
【０２１７】
Ｓ３０８において、端末デバイス１０から第１のメッセージを受信した後に、アクセスネットワークデバイス２２は、端末デバイス１０の入るべき状態を決定する。
【０２１８】
実装において、現在の端末デバイス１０がサービス要求を有していると決定した場合、アクセスネットワークデバイス２２は、端末デバイス１０が第２の状態にいる必要がある、言い換えれば、端末デバイス１０がデータを伝送するために接続状態に入る必要があると決定し得る。
【０２１９】
別の実装において、端末デバイス１０が現在はデータ伝送の必要性を有していないと決定した場合、アクセスネットワークデバイス２２は、端末デバイス１０が引き続き第１の状態にいる必要があると決定し得る。
【０２２０】
Ｓ３０９において、アクセスネットワークデバイス２２は、第２のメッセージを端末デバイス１０へ送信し、第２のメッセージは、端末デバイス１０の入るべき状態を示すために使用される。
【０２２１】
任意選択で、端末デバイス１０が第２の状態にいる必要があると決定した場合、アクセスネットワークデバイス２２は、端末デバイス１０の接続コンテキスト情報に基づいて第２の状態に入るように端末デバイス１０に命令するために使用される第２のメッセージを端末デバイス１０へ送信し得る。
【０２２２】
任意選択で、端末デバイス１０が第１の状態にとどまる必要があると決定した場合、アクセスネットワークデバイス２２は、第１の状態にとどまるように端末デバイス１０に命令するために使用される第２のメッセージを端末デバイス１０へ送信し得る。
【０２２３】
任意選択で、端末デバイス１０が第１の状態にとどまる必要がある場合、アクセスネットワークデバイス２２は、ページングエリア構成情報、たとえば、ページングエリア２の構成情報を第２のメッセージへ搬送して、端末デバイス１０用の新たなページングエリアを構成し得る。
【０２２４】
Ｓ３１０において、端末デバイス１０は、第２のメッセージに基づいて、端末デバイス１０の入るべき状態を決定する。
【０２２５】
任意選択で、Ｓ３１１において、端末デバイス１０が、第２のメッセージに基づいて、端末デバイス１０が第２の状態に入る必要があると決定した場合、端末デバイス１０は、接続コンテキスト情報に基づいて第２の状態に入る。加えて、Ｓ３１２において、端末デバイス１０は、第３のメッセージをアクセスネットワークデバイス２２へ送信し得、第３のメッセージは、端末デバイス１０が第２の状態に入ったことをアクセスネットワークデバイス２２に通知するために使用される。
【０２２６】
任意選択で、Ｓ３１３において、端末デバイス１０が、第２のメッセージに基づいて、端末デバイス１０が第１の状態にいる必要があると決定した場合、端末デバイス１０は、第１の状態にとどまる。加えて、Ｓ３１４において、端末デバイス１０は、第４のメッセージをアクセスネットワークデバイス２２へ送信し得、第４のメッセージは、端末デバイス１０が第２のメッセージを受信したことをアクセスネットワークデバイス２２に通知するために使用される。
【０２２７】
特に、端末デバイス１０は、接続コンテキスト情報に基づいて第２の状態に入り、第４のメッセージをアクセスネットワークデバイス２２へ送信し、第４のメッセージを送信した後に第１の状態に入り得る。
【０２２８】
もちろん、第１の状態にとどまることを決定した場合、端末デバイスは、第２のメッセージに返信せずに第１の状態にとどまり得る。
【０２２９】
図３における本出願のこの実施形態による方法３００におけるステップの実施に関しては、図２における本出願の実施形態による方法２００における詳細な説明を参照されたいことを理解されたい。簡潔にするために、詳細がここで再び記述されることはない。
【０２３０】
加えて、本出願のこの実施形態において、前述のプロセスのシーケンス番号は、実行シーケンスを意味していないことを理解されたい。プロセスの実行シーケンスは、プロセスの機能および内部ロジックに基づいて決定されるべきであり、本出願のこの実施形態の実施プロセスに対するいかなる限定とも解釈されてはならない。
【０２３１】
図４は、本出願の実施形態による通信方法４００の概略フローチャートである。
【０２３２】
Ｓ４０１において、第１のアクセスネットワークデバイスが、端末デバイスによって送信された第１のメッセージを受信し、第１のメッセージは、端末デバイスのページングエリアが変更されていることを第１のアクセスネットワークデバイスに通知するために使用される。
【０２３３】
たとえば、図１において示されているように、端末デバイス１０がページングエリア１内のアクセスネットワークデバイス２１のセルからアクセスネットワークデバイス２２のセルへ移動した後に、アクセスネットワークデバイス２２は、端末デバイス１０のページングエリアが変更されていることを通知するために端末デバイス１０によって送信される第１のメッセージを受信し得る。
【０２３４】
Ｓ４０２において、第１のアクセスネットワークデバイスは、ページングエリア構成情報を決定し、ページングエリア構成情報は、端末デバイス用のページングエリア構成を更新するために使用される。
【０２３５】
特に、第１のアクセスネットワークデバイスは、命令メッセージを第２のアクセスネットワークデバイスへ送信し、命令メッセージは、ページングエリア構成情報を決定するために使用される情報を第１のアクセスネットワークデバイスへ送信するように第２のアクセスネットワークデバイスに命令するために端末デバイスの識別子情報を搬送し、第１のアクセスネットワークデバイスは、第２のアクセスネットワークデバイスによって送信されてページングエリア構成情報を決定するために使用される情報を受信し、第１のアクセスネットワークデバイスは、ページングエリア構成情報を決定するために使用される情報に基づいてページングエリア構成情報を決定する。
【０２３６】
実装において、第１のアクセスネットワークデバイスは、選択されるセルを候補セルから決定するように第２のアクセスネットワークデバイスに命令するために、候補セルに関する情報を搬送する命令メッセージを第２のアクセスネットワークデバイスへ送信し、選択されたセルは、ページングエリア構成情報を決定するために使用され、第１のアクセスネットワークデバイスは、第２のアクセスネットワークデバイスによって送信される、選択されたセルに関する情報を受信し、第１のアクセスネットワークデバイスは、選択されたセルを、端末デバイス用に構成されることになるページングエリア内に含まれるセルとして決定し、ページングエリア構成情報を生成する。
【０２３７】
たとえば、図１において示されているように、端末デバイス１０用のページングエリア構成を実行したページングエリア１内のアクセスネットワークデバイスがアクセスネットワークデバイス２１であると想定すると、アクセスネットワークデバイス２２は、選択されるセルを候補セルから決定するようにアクセスネットワークデバイス２１に命令するために、候補セルに関する情報を搬送する命令メッセージをアクセスネットワークデバイス２１へ送信し、アクセスネットワークデバイス２２は、アクセスネットワークデバイス２１によって送信される、選択されたセルに関する情報を受信し、アクセスネットワークデバイス２２は、選択されたセルに基づいてページングエリア構成情報を生成する。
【０２３８】
任意選択で、本出願のこの実施形態において、第１のアクセスネットワークデバイスは、候補セルを別個に送信し得、言い換えれば、命令情報を使用することによって候補セルを送信しなくてもよい。
【０２３９】
別の実装において、本出願のこの実施形態において、第１のアクセスネットワークデバイスは、端末デバイスのページングエリア構成要件パラメータを第１のアクセスネットワークデバイスへ送信することを決定するように第２のアクセスネットワークデバイスに命令するための命令情報を第２のアクセスネットワークデバイスへ送信し、ページングエリア構成要件パラメータは、ページングエリア構成情報を決定するために使用され、第１のアクセスネットワークデバイスは、第２のアクセスネットワークデバイスによって送信される端末デバイスのページングエリア構成要件パラメータを受信し、端末デバイスのページングエリア構成要件パラメータに基づいて、第１のアクセスネットワークデバイスは、端末デバイス用に構成されることになるページングエリア内に含まれるセルを決定し、ページングエリア構成情報を生成する。
【０２４０】
たとえば、図１において示されているように、端末デバイス１０用のページングエリア構成を実行したページングエリア１内のアクセスネットワークデバイスがアクセスネットワークデバイス２１であると想定すると、アクセスネットワークデバイス２２は、命令メッセージをアクセスネットワークデバイス２１へ送信し、命令メッセージは、端末デバイス１０のページングエリア構成要件パラメータをアクセスネットワークデバイス２２へ送信することを決定するようにアクセスネットワークデバイス２１に命令するために端末デバイス１０の識別子情報を搬送し、アクセスネットワークデバイス２２は、アクセスネットワークデバイス２１によって送信されたページングエリア構成要件パラメータを受信し、ページングエリア構成要件パラメータに基づいて、アクセスネットワークデバイス２１は、端末デバイス１０用に構成されることになるページングエリア２内に含まれるセルを決定し、ページングエリア構成情報を生成する。
【０２４１】
任意選択で、第１のアクセスネットワークデバイスが、ページングエリア構成要件パラメータに基づいてページングエリア構成情報を生成した後に、第１のアクセスネットワークデバイスは、ページングエリア構成情報を第２のアクセスネットワークデバイスへ送信し得、それによって、端末デバイスをページングするためのページング情報を受信した後に、第２のアクセスネットワークデバイスは、ページングエリア構成情報に基づいて決定されたページングエリア内に含まれているセル内の端末デバイスをページングすることが可能である。
【０２４２】
たとえば、図１において示されているように、アクセスネットワークデバイス２２は、ページングエリア構成情報をアクセスネットワークデバイス２１へ送信する。
【０２４３】
Ｓ４０３において、第１のアクセスネットワークデバイスは、ページングエリア構成情報を含む第２のメッセージを端末デバイスへ送信し、それによって端末デバイスは、第２のメッセージ内のページングエリア構成情報に基づいて構成を実行して、端末デバイスの現在のページングエリアを決定することが可能である。
【０２４４】
たとえば、図１において示されているように、アクセスネットワークデバイス２２は、ページングエリア構成情報を含む第２のメッセージを端末デバイス１０へ送信し、それによって端末デバイス１０は、第２のメッセージ内のページングエリア構成情報に基づいて構成を実行することが可能である。
【０２４５】
したがって、本出願のこの実施形態において、第１のアクセスネットワークデバイスは、端末デバイスが配置されているページングエリア内に含まれているセルを知っており、それによって、端末デバイスをページングするためのページング情報を受信した後に、第１のアクセスネットワークデバイスは、ページングエリア構成情報に基づいて決定されたページングエリア内に含まれているセル内の端末デバイスをページングすることが可能であり、コアネットワークデバイスは、端末デバイスが配置されているページングエリアを知っている必要はない。
【０２４６】
図５は、本出願の実施形態による通信方法５００の概略フローチャートである。
【０２４７】
Ｓ５０１において、第１のアクセスネットワークデバイス２２が、端末デバイス１０によって送信された第１のメッセージを受信し、第１のメッセージは、端末デバイス１０のページングエリアが変更されていることを第１のアクセスネットワークデバイス２２に通知するために使用される。
【０２４８】
任意選択で、Ｓ５０２において、第１のアクセスネットワークデバイス２２は、命令メッセージを第２のアクセスネットワークデバイス２１へ送信し、命令メッセージは、ページングエリア構成情報を決定するために使用される情報を第１のアクセスネットワークデバイス２２へ送信するように第２のアクセスネットワークデバイス２１に命令するために端末デバイス１０の識別子情報を搬送する。
【０２４９】
実装において、第１のアクセスネットワークデバイス２２は、選択されるセルを候補セルから決定するように第２のアクセスネットワークデバイス２１に命令するために、候補セルに関する情報を搬送する命令メッセージを第２のアクセスネットワークデバイス２１へ送信し、選択されたセルは、ページングエリア構成情報を決定するために使用される。
【０２５０】
別の実装において、第１のアクセスネットワークデバイス２２は、端末デバイス１０のページングエリア構成要件パラメータを第１のアクセスネットワークデバイス２２へ送信するように第２のアクセスネットワークデバイス２１に命令するための命令メッセージを第２のアクセスネットワークデバイス２１へ送信し、ページングエリア構成要件パラメータは、ページングエリア構成情報を決定するために使用される。
【０２５１】
任意選択で、Ｓ５０３において、第２のアクセスネットワークデバイス２１は、ページングエリア構成情報を決定するために使用される情報を決定する。
【０２５２】
実装において、第２のアクセスネットワークデバイスが、候補セルに関する情報を搬送する命令メッセージを受信した場合、第２のアクセスネットワークデバイスは、ページングエリア構成情報を決定するために使用される情報を決定する。
【０２５３】
別の実装において、端末デバイスのページングエリア構成要件パラメータを第１のアクセスネットワークデバイスへ送信するように第２のアクセスネットワークデバイスに命令するために使用される命令メッセージを第２のアクセスネットワークデバイスが受信した場合、第２のアクセスネットワークデバイスは、選択されたセルに関する情報を第１のアクセスネットワークデバイスへ送信する。
【０２５４】
任意選択で、Ｓ５０４において、第１のアクセスネットワークデバイスは、第２のアクセスネットワークデバイスによって送信されてページングエリア構成情報を決定するために使用される情報を受信する。
【０２５５】
実装において、選択されるセルを候補セルから決定するように第２のアクセスネットワークデバイスに命令するために命令メッセージが使用された場合、第２のアクセスネットワークデバイスは、端末デバイスのページングエリア構成要件パラメータを第１のアクセスネットワークデバイスへ送信する。
【０２５６】
別の実装において、端末デバイスのページングエリア構成要件パラメータを第１のアクセスネットワークデバイスへ送信するように第２のアクセスネットワークデバイスに命令するために命令メッセージが使用された場合、第１のアクセスネットワークデバイスは、第２のアクセスネットワークデバイスによって送信されたページングエリア構成要件パラメータを受信する。
【０２５７】
Ｓ５０５において、第１のアクセスネットワークデバイスは、ページングエリア構成メッセージを決定するために使用される情報に基づいてページングエリア構成情報を決定する。
【０２５８】
任意選択で、第１のアクセスネットワークデバイスが、選択されたセルに関する情報を受信した場合、第１のアクセスネットワークデバイスは、選択されたセルを、端末デバイス用に構成されることになるページングエリア内に含まれるセルとして決定し、ページングエリア構成情報を生成する。
【０２５９】
任意選択で、第１のアクセスネットワークデバイスがページングエリア構成要件パラメータを受信した場合、端末デバイスのページングエリア構成要件パラメータに基づいて、第１のアクセスネットワークデバイスは、端末デバイス用に構成されることになるページングエリア内に含まれるセルを決定し、ページングエリア構成情報を生成する。
【０２６０】
任意選択で、Ｓ５０６において、第２のアクセスネットワークデバイスが、端末デバイスのページングエリア構成要件パラメータを第１のアクセスネットワークデバイスへ送信した後に、第２のアクセスネットワークデバイスは、端末デバイスのページングエリア構成要件パラメータに基づいて生成されて第１のアクセスネットワークデバイスによって送信されるページングエリア構成情報を受信する。このようにして、端末デバイスをページングするためのページング情報をその後に受信した後に、第２のアクセスネットワークデバイスは、ページングエリア構成情報に基づいて決定されたページングエリア内に含まれているセル内の端末デバイスをページングすることが可能である。
【０２６１】
Ｓ５０７において、第１のアクセスネットワークデバイスは、ページングエリア構成情報を搬送する第２のメッセージを端末デバイスへ送信する。
【０２６２】
任意選択で、端末デバイスは、ページングエリア構成情報に基づいて構成を実行して、端末デバイスが現在配置されているページングエリア内に含まれるセルを決定する。
【０２６３】
図１から図５を参照しながら、前述の内容は、本出願の実施形態による通信方法を詳細に記述している。図６から図１０を参照しながら、以降では、本出願の実施形態による端末デバイスおよびアクセスネットワークデバイスを詳細に記述している。
【０２６４】
図６は、本出願の実施形態による端末デバイス６００の概略ブロック図である。図６において示されているように、端末デバイス６００は、決定モジュール６０１、送信モジュール６０２、受信モジュール６０３、および処理モジュール６０４を含む。
【０２６５】
決定モジュール６０１は、第１の状態にある端末デバイスのページングエリアが変更されていると決定するように構成されており、第１の状態は、端末デバイスがページングをリッスンしており、かつ端末デバイスの接続コンテキスト情報を格納している状態を含む。
【０２６６】
送信モジュール６０２は、第１のメッセージを第１のアクセスネットワークデバイスへ送信するように構成されており、第１のメッセージは、端末デバイスのページングエリアが変更されていることを第１のアクセスネットワークデバイスに通知するために使用され、第１のアクセスネットワークデバイスは、端末デバイスのサービングアクセスネットワークデバイスである。
【０２６７】
受信モジュール６０３は、第１のメッセージに基づいて第１のアクセスネットワークデバイスによって送信された第２のメッセージを受信するように構成されている。
【０２６８】
決定モジュール６０１は、受信モジュールによって受信された第２のメッセージに基づいて、端末デバイスの入るべき状態を決定するように構成されている。
【０２６９】
処理モジュール６０４は、入るべき状態が第２の状態であると決定モジュールが決定した場合、格納されている接続コンテキスト情報に基づいて第２の状態に入るように構成されており、第２の状態は、端末デバイスおよび第１のアクセスネットワークデバイスが接続されていることを含む。
【０２７０】
したがって、本出願のこの実施形態において、構成されているページングエリアを去った後に、第１の状態にある端末デバイスは、端末デバイスのページングエリアが変更されていることを第１のアクセスネットワークデバイスに通知するために使用される第１のメッセージを第１のアクセスネットワークデバイスへ送信し、端末デバイスは、第１のアクセスネットワークデバイスによって送信された第２のメッセージに基づいて、端末デバイスの入るべき状態を決定する。端末デバイスが接続状態に入る必要がある場合、端末デバイスは、アクセスネットワークデバイスへの別の接続をセットアップすることなく、格納されている接続コンテキスト情報に基づいて接続状態に直接入ることが可能である。このようにして、端末デバイスは、接続状態に迅速に入ることが可能である。加えて、端末デバイスは、端末デバイスのページングエリアが変更されていることをコアネットワークデバイスに通知する必要はない。これは、アクセスネットワークデバイスとコアネットワークデバイスとの間におけるシグナリングを低減し、それによってシグナリングオーバーヘッドを低減することが可能である。
【０２７１】
加えて、第１のアクセスネットワークデバイスは、第２のアクセスネットワークデバイスから接続コンテキスト情報を入手し、それによって、第１のアクセスネットワークデバイスは、端末デバイスが第２の状態に入る必要があると決定した場合、接続コンテキストに基づいて端末デバイスへの接続を迅速にセットアップすることが可能である。
【０２７２】
任意選択で、本出願のこの実施形態において、端末デバイスが、接続コンテキスト情報に基づいて第２の状態に入った場合、送信モジュール６０２は、第３のメッセージを第１のアクセスネットワークデバイスへ送信するようにさらに構成されており、第３のメッセージは、端末デバイスが第２の状態に入ったことを第１のアクセスネットワークデバイスに通知するために使用される。
【０２７３】
任意選択で、本出願のこの実施形態において、処理モジュール６０４は、入るべき状態が第１の状態であると決定モジュールが決定した場合、第１の状態にとどまるようにさらに構成されている。
【０２７４】
任意選択で、本出願のこの実施形態において、決定モジュール６０１が、第１の状態にとどまることを決定した場合、送信モジュール６０２は、格納されているコンテキスト情報に基づいて第４のメッセージを第１のアクセスネットワークデバイスへ送信するようにさらに構成されており、第４のメッセージは、端末デバイスが第２のメッセージを受信したことを示すために使用される。
【０２７５】
任意選択で、本出願のこの実施形態において、決定モジュール６０１は、第２のメッセージのタイプおよび／または第２のメッセージ内に含めて搬送されているコンテンツに基づいて、端末デバイスの入るべき状態を決定するように特に構成されている。
【０２７６】
任意選択で、本出願のこの実施形態において、第２のメッセージ内に含めて搬送されているコンテンツは、状態表示情報および／またはページングエリア構成情報を含み得る。
【０２７７】
任意選択で、状態表示情報は、端末デバイスの入るべき状態を示すために使用される。
【０２７８】
任意選択で、ページングエリア構成情報は、端末デバイス用のページングエリア構成を更新するために使用される。
【０２７９】
任意選択で、本出願のこの実施形態において、第１のメッセージのタイプは、ＲＲＣ接続再開要求メッセージである。ＲＲＣ接続再開要求メッセージは、第１のアクセスネットワークデバイスへのＲＲＣ接続を再開するように要求するために使用され、ＲＲＣ接続再開要求メッセージは、端末デバイスのページングエリアが変更されていることを第１のアクセスネットワークデバイスに通知するために使用され得る。
【０２８０】
任意選択で、ＲＲＣ接続再開要求メッセージ内の原因値は、端末デバイスのページングエリアが変更されていることを示し得る。
【０２８１】
任意選択で、本出願のこの実施形態において、第１のメッセージのタイプが、ＲＲＣ接続再開要求メッセージである場合、第２のメッセージのタイプは、ＲＲＣ接続再開メッセージまたはＲＲＣ接続拒否メッセージである。ＲＲＣ接続再開メッセージは、ＲＲＣ接続を再開するように端末デバイスに命令するために使用され、ＲＲＣ接続拒否メッセージは、第１のアクセスネットワークデバイスがＲＲＣ接続の再開を拒否することを示すために使用される。
【０２８２】
任意選択で、本出願のこの実施形態において、決定モジュール６０１は、第２のメッセージのタイプがＲＲＣ接続拒否メッセージである場合、入るべき状態が第１の状態であると決定し、
第２のメッセージのタイプがＲＲＣ接続再開メッセージである場合、入るべき状態が第２の状態であると決定し、
第２のメッセージのタイプがＲＲＣ接続再開メッセージであり、第２のメッセージ内に含めて搬送されているコンテンツが、第１の状態にいるように端末デバイスに命令するために使用されている場合、入るべき状態が第１の状態であると決定し、
第２のメッセージのタイプがＲＲＣ接続再開メッセージであり、第２のメッセージ内に含めて搬送されているコンテンツが、第２の状態にいるように端末デバイスに命令するために使用されている場合、入るべき状態が第２の状態であると決定するようにさらに構成されている。
【０２８３】
任意選択で、本出願のこの実施形態において、第２のメッセージのタイプがＲＲＣ接続再開メッセージである場合、処理モジュール６０４は、入るべき状態が第１の状態であると決定モジュール６０１がＲＲＣ接続再開メッセージに基づいて決定した場合、ＲＲＣ接続再開メッセージ内の、ＲＲＣ接続を再開するために使用される暗号化パラメータを無視するようにさらに構成されている。
【０２８４】
任意選択で、本出願のこの実施形態において、第２のメッセージがＲＲＣ接続拒否メッセージである場合、処理モジュール６０４は、入るべき状態が第１の状態であると決定モジュール６０１がＲＲＣ接続拒否メッセージに基づいて決定した場合、ＲＲＣ接続拒否メッセージ内に含まれている待ち時間情報を無視するようにさらに構成されており、待ち時間情報は、端末デバイスと第１のアクセスネットワークデバイスとの間におけるＲＲＣ接続を再開するために必要とされる待ち時間を示すために使用される。
【０２８５】
任意選択で、本出願のこの実施形態において、受信モジュール６０３は、第２のアクセスネットワークデバイスによって送信された命令メッセージを受信するようにさらに構成されており、命令メッセージは、第１の状態に入るように端末デバイスに命令するために使用され、命令メッセージは、端末デバイス用のページングエリアを構成するために使用されるページングエリア構成情報を含む。
【０２８６】
本出願のこの実施形態による端末デバイス６００は、本出願の実施形態における端末デバイスに対応していることがあり、端末デバイス６００内のモジュールの前述のおよびその他のオペレーションおよび／または機能は、図１から図５における方法の対応する手順を実施することを意図されていることを理解されたい。簡潔にするために、詳細がここで再び記述されることはない。
【０２８７】
図７は、本出願の実施形態によるアクセスネットワークデバイス７００の概略ブロック図である。図７において示されているように、アクセスネットワークデバイス７００は、受信モジュール７０１、決定モジュール７０２、および送信モジュール７０３を含む。
【０２８８】
受信モジュール７０１は、第１の状態にある端末デバイスによって送信された第１のメッセージを受信するように構成されており、第１のメッセージは、端末デバイスのページングエリアが変更されていることをアクセスネットワークデバイスに通知するために使用され、第１の状態は、端末デバイスがページングをリッスンしており、かつ端末デバイスの接続コンテキスト情報を格納している状態を含む。
【０２８９】
受信モジュール７０１は、第２のアクセスネットワークデバイスから端末デバイスの接続コンテキスト情報を入手するようにさらに構成されており、第２のアクセスネットワークデバイスは、端末デバイス用に構成されているページングエリア内に含まれているセルに対応するアクセスネットワークデバイスであるか、または端末デバイスの接続コンテキスト情報を格納するように構成されている所定のアクセスネットワークデバイスである。
【０２９０】
決定モジュール７０２は、端末デバイスの入るべき状態を決定するように構成されている。
【０２９１】
送信モジュール７０３は、入るべき状態が第２の状態であると決定モジュール７０２が決定した場合、第２の状態に入るように端末デバイスに命令するために使用される第２のメッセージを、端末デバイスの接続コンテキスト情報に基づいて端末デバイスへ送信するように構成されている。
【０２９２】
任意選択で、本出願のこの実施形態において、第２の状態に入るように端末デバイスに命令するために使用される第２のメッセージを送信モジュール７０３が端末デバイスへ送信した後に、受信モジュール７０１は、端末デバイスによって送信された第３のメッセージを受信するようにさらに構成されており、第３のメッセージは、端末デバイスが第２の状態に入ったことをアクセスネットワークデバイスに通知するために使用される。
【０２９３】
任意選択で、本出願のこの実施形態において、端末デバイスの入るべき状態が第１の状態であると決定モジュール７０２が決定した場合、送信モジュール７０３は、第１の状態にとどまるように端末デバイスに命令するために使用される第２のメッセージを端末デバイスへ送信するようにさらに構成されている。
【０２９４】
任意選択で、本出願のこの実施形態において、第１の状態にとどまるように端末デバイスに命令するために使用される第２のメッセージを送信モジュール７０３が端末デバイスへ送信した後に、受信モジュール７０１は、格納されているコンテキスト情報に基づいて端末デバイスによって送信された第４のメッセージを受信するようにさらに構成されており、第４のメッセージは、端末デバイスが第２のメッセージを受信したことを示すために使用される。
【０２９５】
任意選択で、本出願のこの実施形態において、第２のメッセージ内に含めて搬送されているコンテンツは、状態表示情報および／またはページングエリア構成情報を含み得る。
【０２９６】
任意選択で、状態表示情報は、端末デバイスの入るべき状態を示すために使用される。
【０２９７】
任意選択で、ページングエリア構成情報は、端末デバイス用のページングエリア構成を更新するために使用される。
【０２９８】
任意選択で、本出願のこの実施形態において、第１のメッセージのタイプは、ＲＲＣ接続再開要求メッセージである。ＲＲＣ接続再開要求メッセージは、第１のアクセスネットワークデバイスへのＲＲＣ接続を再開するように要求するために使用され、ＲＲＣ接続再開要求メッセージは、端末デバイスのページングエリアが変更されていることを第１のアクセスネットワークデバイスに通知するために使用され得る。
【０２９９】
任意選択で、ＲＲＣ接続再開要求メッセージ内の原因値は、端末デバイスのページングエリアが変更されていることを示し得る。
【０３００】
任意選択で、本出願のこの実施形態において、第１のメッセージのタイプが、ＲＲＣ接続再開要求メッセージである場合、第２のメッセージのタイプは、ＲＲＣ接続再開メッセージまたはＲＲＣ接続拒否メッセージである。ＲＲＣ接続再開メッセージは、ＲＲＣ接続を再開するように端末デバイスに命令するために使用され、ＲＲＣ接続拒否メッセージは、第１のアクセスネットワークデバイスがＲＲＣ接続の再開を拒否することを示すために使用される。
【０３０１】
任意選択で、本出願のこの実施形態において、メッセージタイプがＲＲＣ接続拒否メッセージである第２のメッセージは、第１の状態にとどまるように端末デバイスに命令するために使用され、
第１の状態に入るように端末デバイスに命令するコンテンツを搬送する、メッセージタイプがＲＲＣ接続再開メッセージである第２のメッセージは、第１の状態にとどまるように端末デバイスに命令するために使用され、
メッセージタイプがＲＲＣ接続再開メッセージである第２のメッセージは、第２の状態に入るように端末デバイスに命令するために使用され、
第２の状態に入るように端末デバイスに命令するために使用されるコンテンツを搬送する、メッセージタイプがＲＲＣ接続再開メッセージである第２のメッセージは、第２の状態に入るように端末デバイスに命令するために使用される。
【０３０２】
任意選択で、本出願のこの実施形態において、送信モジュール７０３は、候補セルに関する情報を第２のアクセスネットワークデバイスへ送信するようにさらに構成されている。
【０３０３】
受信モジュール７０１は、第２のアクセスネットワークデバイスによって送信される選択されたセルに関する情報を受信するようにさらに構成されている。
【０３０４】
決定モジュール７０２は、選択されたセルに関する情報に基づいてページングエリア構成情報を生成するようにさらに構成されている。
【０３０５】
任意選択で、本出願のこの実施形態において、送信モジュール７０３は、第１の命令メッセージを第２のアクセスネットワークデバイスへ送信するようにさらに構成されており、第１の命令メッセージは、端末デバイスのページングエリア構成要件パラメータをアクセスネットワークデバイスへ送信するように第２のアクセスネットワークデバイスに命令するために端末デバイスの識別子情報を搬送する。
【０３０６】
受信モジュール７０１は、第２のアクセスネットワークデバイスによって送信される端末デバイスのページングエリア構成要件パラメータを受信するようにさらに構成されている。
【０３０７】
決定モジュール７０２は、端末デバイスのページングエリア構成要件パラメータに基づいて、端末デバイス用に構成されることになるページングエリア内に含まれるセルを決定し、ページングエリア構成情報を生成するようにさらに構成されている。
【０３０８】
任意選択で、本出願のこの実施形態において、決定モジュール７０２が、端末デバイスのページングエリア構成要件パラメータに基づいてページングエリア構成情報を生成した後に、送信モジュール７０３は、ページングエリア構成情報を第２のアクセスネットワークデバイスへ送信するようにさらに構成されている。
【０３０９】
本出願のこの実施形態によるアクセスネットワークデバイス７００は、本出願の実施形態における第１のアクセスネットワークデバイスに対応していることがあり、アクセスネットワークデバイス７００内のモジュールの前述のおよびその他のオペレーションおよび／または機能は、図２および図３における方法の対応する手順を実施することを意図されていることを理解されたい。簡潔にするために、詳細がここで再び記述されることはない。
【０３１０】
図８は、本出願の実施形態によるアクセスネットワークデバイス８００の概略ブロック図である。図８において示されているように、アクセスネットワークデバイス８００は、受信モジュール８０１、決定モジュール８０２、および送信モジュール８０３を含む。
【０３１１】
受信モジュール８０１は、第１のアクセスネットワークデバイスによって送信された第１の命令メッセージを受信するように構成されており、第１の命令メッセージは、端末デバイスの接続コンテキスト情報を要求するために端末デバイスの識別子情報を搬送し、第１の命令メッセージは、第１のメッセージを受信した後に、第１のアクセスネットワークデバイスによって送信され、第１のメッセージは、第１の状態にある端末デバイスのページングエリアが変更されていることを第１のアクセスネットワークデバイスに通知するために使用され、第１のアクセスネットワークデバイスは、端末デバイスのサービングアクセスネットワークデバイスであり、第１の状態は、端末デバイスがページングをリッスンしており、かつ端末デバイスの接続コンテキスト情報を格納している状態を含む。
【０３１２】
決定モジュール８０２は、端末デバイスの識別子情報に基づいて端末デバイスの接続コンテキスト情報を決定するように構成されている。
【０３１３】
送信モジュール８０３は、コンテキスト転送メッセージを第１のアクセスネットワークデバイスへ送信するように構成されており、コンテキスト転送メッセージは、端末デバイスの接続コンテキスト情報を含む。
【０３１４】
任意選択で、本出願のこの実施形態において、第１のアクセスネットワークデバイスによって送信された第１の命令メッセージを受信モジュール８０１が受信する前に、送信モジュール８０３は、端末デバイスがアクセスネットワークデバイスのセル内に配置されている場合、第１の状態に入るように命令する情報を端末デバイスへ送信するようにさらに構成されている。
【０３１５】
任意選択で、本出願のこの実施形態において、受信モジュール８０１は、第１のアクセスネットワークデバイスによって送信される候補セルに関する情報を受信するようにさらに構成されている。
【０３１６】
決定モジュール８０２は、選択されるセルを候補セルに基づいて決定するようにさらに構成されている。
【０３１７】
送信モジュール８０３は、選択されたセルに関する情報を第１のアクセスネットワークデバイスへ送信するようにさらに構成されている。
【０３１８】
任意選択で、本出願のこの実施形態において、受信モジュール８０１は、第１のアクセスネットワークデバイスによって送信された第１の命令情報を受信するようにさらに構成されており、第１の命令メッセージは、端末デバイスのページングエリア構成要件パラメータを第１のアクセスネットワークデバイスへ送信するようにアクセスネットワークデバイスに命令するために端末デバイスの識別子情報を搬送する。
【０３１９】
決定モジュール８０２は、端末デバイスのページングエリア構成要件パラメータを決定するようにさらに構成されている。
【０３２０】
送信モジュール８０３は、端末デバイスのページングエリア構成要件パラメータを第１のアクセスネットワークデバイスへ送信するようにさらに構成されている。
【０３２１】
任意選択で、本出願のこの実施形態において、受信モジュール８０１は、端末デバイスのページングエリア構成要件パラメータに基づいて生成されて第１のアクセスネットワークデバイスによって送信されるページングエリア構成情報を受信するようにさらに構成されている。
【０３２２】
本出願のこの実施形態によるアクセスネットワークデバイス８００は、本出願の実施形態における第２のアクセスネットワークデバイスに対応していることがあり、アクセスネットワークデバイス８００内のモジュールの前述のおよびその他のオペレーションおよび／または機能は、図２および図３における方法の対応する手順を実施することを意図されていることを理解されたい。簡潔にするために、詳細がここで再び記述されることはない。
【０３２３】
図９は、本出願の実施形態によるアクセスネットワークデバイス９００の概略ブロック図である。図９において示されているように、アクセスネットワークデバイス９００は、受信モジュール９０１、決定モジュール９０２、および送信モジュール９０３を含む。
【０３２４】
受信モジュール９０１は、端末デバイスによって送信された第１のメッセージを受信するように構成されており、第１のメッセージは、端末デバイスのページングエリアが変更されていることをアクセスネットワークデバイスに通知するために使用される。
【０３２５】
決定モジュール９０２は、ページングエリア構成情報を決定するように構成されており、ページングエリア構成情報は、端末デバイス用のページングエリア構成を更新するために使用される。
【０３２６】
送信モジュール９０３は、ページングエリア構成情報を含む第２のメッセージを端末デバイスへ送信するように構成されている。
【０３２７】
したがって、第１のアクセスネットワークデバイスは、端末デバイスが配置されているページングエリア内に含まれているセルを知っており、それによって、端末デバイスをページングするためのページング情報を受信した後に、アクセスネットワークデバイスは、ページングエリア構成情報に基づいて決定されたページングエリア内に含まれているセル内の端末デバイスをページングすることが可能であり、コアネットワークデバイスは、端末デバイスが配置されているページングエリアを知っている必要はない。
【０３２８】
任意選択で、本出願のこの実施形態において、送信モジュール９０３は、命令メッセージを第２のアクセスネットワークデバイスへ送信するようにさらに構成されており、命令メッセージは、ページングエリア構成情報を決定するために使用される情報をアクセスネットワークデバイスへ送信するように第２のアクセスネットワークデバイスに命令するために端末デバイスの識別子情報を搬送する。
【０３２９】
受信モジュール９０１は、第２のアクセスネットワークデバイスによって送信されてページングエリア構成情報を決定するために使用される情報を受信するようにさらに構成されている。
【０３３０】
決定モジュール９０２は、ページングエリア構成情報を決定するために使用される情報に基づいてページングエリア構成情報を決定するようにさらに構成されている。
【０３３１】
実装において、送信モジュール９０３は、選択されるセルを候補セルから決定するように第２のアクセスネットワークデバイスに命令するために、候補セルに関する情報を搬送する命令メッセージを第２のアクセスネットワークデバイスへ送信するようにさらに構成されており、選択されたセルは、ページングエリア構成情報を決定するために使用される。
【０３３２】
受信モジュール９０１は、第２のアクセスネットワークデバイスによって送信される選択されたセルに関する情報を受信するようにさらに構成されている。
【０３３３】
決定モジュール９０２は、選択されたセルを、端末デバイス用に構成されることになるページングエリア内に含まれるセルとして決定し、ページングエリア構成情報を生成するようにさらに構成されている。
【０３３４】
別の実装において、送信モジュール９０３は、端末デバイスのページングエリア構成要件パラメータをアクセスネットワークデバイスへ送信することを決定するように第２のアクセスネットワークデバイスに命令するための命令情報を第２のアクセスネットワークデバイスへ送信するようにさらに構成されており、ページングエリア構成要件パラメータは、ページングエリア構成情報を決定するために使用される。
【０３３５】
受信モジュール９０１は、第２のアクセスネットワークデバイスによって送信される端末デバイスのページングエリア構成要件パラメータを受信するようにさらに構成されている。
【０３３６】
決定モジュール９０２は、端末デバイスのページングエリア構成要件パラメータに基づいて、端末デバイス用に構成されることになるページングエリア内に含まれるセルを決定し、ページングエリア構成情報を生成するようにさらに構成されている。
【０３３７】
任意選択で、本出願のこの実施形態において、決定モジュール９０２が、端末デバイスのページングエリア構成要件パラメータに基づいてページングエリア構成情報を生成した後に、送信モジュール９０３は、ページングエリア構成情報を第２のアクセスネットワークデバイスへ送信するようにさらに構成されている。
【０３３８】
本出願のこの実施形態によるアクセスネットワークデバイス９００は、本出願の実施形態における第１のアクセスネットワークデバイスに対応していることがあり、アクセスネットワークデバイス９００内のモジュールの前述のおよびその他のオペレーションおよび／または機能は、図４および図５における方法の対応する手順を実施することを意図されていることを理解されたい。簡潔にするために、詳細がここで再び記述されることはない。
【０３３９】
図１０は、本出願の実施形態によるアクセスネットワークデバイス１０００の概略ブロック図である。図１０において示されているように、アクセスネットワークデバイス１０００は、受信モジュール１００１、決定モジュール１００２、および送信モジュール１００３を含む。
【０３４０】
受信モジュール１００１は、第１のアクセスネットワークデバイスによって送信された命令メッセージを受信するように構成されており、命令メッセージは、端末デバイスの識別子情報を搬送し、命令情報は、ページングエリア構成情報を決定するために使用される情報を第１のアクセスネットワークデバイスへ送信するようにアクセスネットワークデバイスに命令するために使用される。
【０３４１】
決定モジュール１００２は、ページングエリア構成情報を決定するために使用される情報を決定するように構成されている。
【０３４２】
送信モジュール１００３は、ページングエリア構成情報を決定するために使用される情報を第１のアクセスネットワークデバイスへ送信するように構成されている。
【０３４３】
実装において、受信モジュール１００１は、第１のアクセスネットワークデバイスによって送信されて候補セルに関する情報を搬送する命令メッセージを受信するようにさらに構成されており、命令メッセージは、選択されるセルを候補セルから決定するようにアクセスネットワークデバイスに命令するために使用される。
【０３４４】
決定モジュール１００２は、選択されるセルを候補セルに基づいて決定するようにさらに構成されている。
【０３４５】
送信モジュール１００３は、選択されたセルに関する情報を第１のアクセスネットワークデバイスへ送信するようにさらに構成されている。
【０３４６】
別の実装において、受信モジュール１００１は、第１のアクセスネットワークデバイスによって送信された命令情報を受信するようにさらに構成されており、命令メッセージは、端末デバイスのページングエリア構成要件パラメータを第１のアクセスネットワークデバイスへ送信することを決定するようにアクセスネットワークデバイスに命令するために使用される。
【０３４７】
決定モジュール１００２は、端末デバイスのページングエリア構成要件パラメータを決定するようにさらに構成されている。
【０３４８】
送信モジュール１００３は、端末デバイスのページングエリア構成要件パラメータを第１のアクセスネットワークデバイスへ送信するようにさらに構成されている。
【０３４９】
任意選択で、本出願のこの実施形態において、受信モジュール１００１は、端末デバイスのページングエリア構成要件パラメータに基づいて生成されて第１のアクセスネットワークデバイスによって送信されるページングエリア構成情報を受信するようにさらに構成されている。
【０３５０】
本出願のこの実施形態によるアクセスネットワークデバイス１０００は、本出願の実施形態における第２のアクセスネットワークデバイスに対応していることがあり、アクセスネットワークデバイス１０００内のモジュールの前述のおよびその他のオペレーションおよび／または機能は、図４および図５における方法の対応する手順を実施することを意図されていることを理解されたい。簡潔にするために、詳細がここで再び記述されることはない。
【０３５１】
図１１は、本出願の実施形態による端末デバイス１１００の概略構造図である。図１１において示されているように、端末デバイス１１００は、プロセッサ１１０１、メモリ１１０２、受信機１１０４、バスシステム１１０３、および送信機１１０５を含む。プロセッサ１１０１、メモリ１１０２、受信機１１０４、および送信機１１０５は、バスシステム１１０３を使用することによって接続され得る。メモリ１１０２は、命令を格納するように構成されている。プロセッサ１１０１は、メモリ１１０２内に格納されている命令を実行し、受信機１１０４を制御して情報を受信し、送信機１１０５を制御して情報を送信するように構成されている。
【０３５２】
プロセッサ１１０１は、第１の状態にある端末デバイスのページングエリアが変更されていると決定するように構成されている。第１の状態において、端末デバイスは、ページングをリッスンしており、かつ、端末デバイスの接続コンテキスト情報を格納している。
【０３５３】
送信機１１０５は、第１のメッセージを第１のアクセスネットワークデバイスへ送信するように構成されており、第１のメッセージは、端末デバイスのページングエリアが変更されていることを第１のアクセスネットワークデバイスに通知するために使用され、第１のアクセスネットワークデバイスは、端末デバイスのサービングアクセスネットワークデバイスである。
【０３５４】
受信機１１０４は、第１のメッセージに基づいて第１のアクセスネットワークデバイスによって送信された第２のメッセージを受信するように構成されている。
【０３５５】
プロセッサ１１０１は、受信機１１０４によって受信された第２のメッセージに基づいて、端末デバイスの入るべき状態を決定するようにさらに構成されている。
【０３５６】
プロセッサ１１０１は、端末デバイスが第２の状態にいる必要があるとプロセッサ１１０１が決定した場合、格納されている接続コンテキスト情報に基づいて第２の状態に入るようにさらに構成されている。第２の状態において、端末デバイスおよび第１のアクセスネットワークデバイスは、接続状態にある。
【０３５７】
本出願のこの実施形態による端末デバイス１１００は、本出願の実施形態における端末デバイスに対応していることがあり、端末デバイス１１００内のモジュールの前述のおよびその他のオペレーションおよび／または機能は、図１から図５における方法の対応する手順を実施することを意図されていることを理解されたい。簡潔にするために、詳細がここで再び記述されることはない。
【０３５８】
図１２は、本出願の実施形態によるアクセスネットワークデバイス１２００の概略構造図である。図１２において示されているように、アクセスネットワークデバイス１２００は、プロセッサ１２０１、メモリ１２０２、受信機１２０４、バスシステム１２０３、および送信機１２０５を含む。プロセッサ１２０１、メモリ１２０２、受信機１２０４、および送信機１２０５は、バスシステム１２０３を使用することによって接続され得る。メモリ１２０２は、命令を格納するように構成されている。プロセッサ１２０１は、メモリ１２０２内に格納されている命令を実行し、受信機１２０４を制御して情報を受信し、送信機１２０５を制御して情報を送信するように構成されている。
【０３５９】
受信機１２０４は、第１の状態にある端末デバイスによって送信された第１のメッセージを受信するように構成されており、第１のメッセージは、端末デバイスのページングエリアが変更されていることをアクセスネットワークデバイスに通知するために使用される。第１の状態において、端末デバイスは、ページングをリッスンしており、かつ、端末デバイスは、端末デバイスの接続コンテキスト情報を格納している。
【０３６０】
受信機１２０４は、第２のアクセスネットワークデバイスから端末デバイスの接続コンテキスト情報を入手するようにさらに構成されており、第２のアクセスネットワークデバイスは、端末デバイス用に構成されているページングエリア内に含まれているセルに対応するアクセスネットワークデバイスであるか、または端末デバイスの接続コンテキスト情報を格納するように構成されている所定のアクセスネットワークデバイスである。
【０３６１】
プロセッサ１２０１は、端末デバイスの入るべき状態を決定するように構成されている。
【０３６２】
送信機１２０５は、端末デバイスが第２の状態にいる必要があると決定された場合、第２の状態に入るように端末デバイスに命令するために使用される第２のメッセージを、端末デバイスの接続コンテキスト情報に基づいて端末デバイスへ送信するように構成されている。
【０３６３】
本出願のこの実施形態によるアクセスネットワークデバイス１２００は、本出願の実施形態における第１のアクセスネットワークデバイスに対応していることがあり、アクセスネットワークデバイス１２００内のモジュールの前述のおよびその他のオペレーションおよび／または機能は、図２および図３における方法の対応する手順を実施することを意図されていることを理解されたい。簡潔にするために、詳細がここで再び記述されることはない。
【０３６４】
図１３は、本出願の実施形態によるアクセスネットワークデバイス１３００の概略構造図である。図１３において示されているように、アクセスネットワークデバイス１３００は、プロセッサ１３０１、メモリ１３０２、受信機１３０４、バスシステム１３０３、および送信機１３０５を含む。プロセッサ１３０１、メモリ１３０２、受信機１３０４、および送信機１３０５は、バスシステム１３０３を使用することによって接続され得る。メモリ１３０２は、命令を格納するように構成されている。プロセッサ１３０１は、メモリ１３０２内に格納されている命令を実行し、受信機１３０４を制御して情報を受信し、送信機１３０５を制御して情報を送信するように構成されている。
【０３６５】
受信機１３０４は、第１のアクセスネットワークデバイスによって送信された第１の命令メッセージを受信するように構成されており、第１の命令メッセージは、端末デバイスの接続コンテキスト情報を要求するために端末デバイスの識別子情報を搬送し、第１の命令メッセージは、第１のメッセージを受信した後に、第１のアクセスネットワークデバイスによって送信され、第１のメッセージは、端末デバイスのページングエリアが変更されていることを第１のアクセスネットワークデバイスに通知するために使用され、第１のアクセスネットワークデバイスは、端末デバイスのサービングアクセスネットワークデバイスである。第１の状態において、端末デバイスは、ページングをリッスンしており、かつ、端末デバイスは、端末デバイスの接続コンテキスト情報を格納している。
【０３６６】
プロセッサ１３０１は、端末デバイスの識別子情報に基づいて端末デバイスの接続コンテキスト情報を決定するように構成されている。
【０３６７】
送信機１３０５は、コンテキスト転送メッセージを第１のアクセスネットワークデバイスへ送信するように構成されており、コンテキスト転送メッセージは、端末デバイスの接続コンテキスト情報を含む。
【０３６８】
本出願のこの実施形態によるアクセスネットワークデバイス１３００は、本出願の実施形態における第２のアクセスネットワークデバイスに対応していることがあり、アクセスネットワークデバイス１３００内のモジュールの前述のおよびその他のオペレーションおよび／または機能は、図２および図３における方法の対応する手順を実施することを意図されていることを理解されたい。簡潔にするために、詳細がここで再び記述されることはない。
【０３６９】
図１４は、本出願の実施形態によるアクセスネットワークデバイス１４００の概略構造図である。図１４において示されているように、アクセスネットワークデバイス１４００は、プロセッサ１４０１、メモリ１４０２、受信機１４０４、バスシステム１４０３、および送信機１４０５を含む。プロセッサ１４０１、メモリ１４０２、受信機１４０４、および送信機１４０５は、バスシステム１４０３を使用することによって接続され得る。メモリ１４０２は、命令を格納するように構成されている。プロセッサ１４０１は、メモリ１４０２内に格納されている命令を実行し、受信機１４０４を制御して情報を受信し、送信機１４０５を制御して情報を送信するように構成されている。
【０３７０】
受信機１４０４は、端末デバイスによって送信された第１のメッセージを受信するように構成されており、第１のメッセージは、端末デバイスのページングエリアが変更されていることをアクセスネットワークデバイスに通知するために使用される。
【０３７１】
プロセッサ１４０１は、ページングエリア構成情報を決定するように構成されており、ページングエリア構成情報は、端末デバイス用のページングエリア構成を更新するために使用される。
【０３７２】
送信機１４０５は、ページングエリア構成情報を含む第２のメッセージを端末デバイスへ送信するように構成されている。
【０３７３】
本出願のこの実施形態によるアクセスネットワークデバイス１４００は、本出願の実施形態における第１のアクセスネットワークデバイスに対応していることがあり、アクセスネットワークデバイス１４００内のモジュールの前述のおよびその他のオペレーションおよび／または機能は、図４および図５における方法の対応する手順を実施することを意図されていることを理解されたい。簡潔にするために、詳細がここで再び記述されることはない。
【０３７４】
図１５は、本出願の実施形態によるアクセスネットワークデバイス１５００の概略構造図である。図１５において示されているように、アクセスネットワークデバイス１５００は、プロセッサ１５０１、メモリ１５０２、受信機１５０４、バスシステム１５０３、および送信機１５０５を含む。プロセッサ１５０１、メモリ１５０２、受信機１５０４、および送信機１５０５は、バスシステム１５０３を使用することによって接続され得る。メモリ１５０２は、命令を格納するように構成されている。プロセッサ１５０１は、メモリ１５０２内に格納されている命令を実行し、受信機１５０４を制御して情報を受信し、送信機１５０５を制御して情報を送信するように構成されている。
【０３７５】
受信機１５０４は、第１のアクセスネットワークデバイスによって送信された命令メッセージを受信するように構成されており、命令メッセージは、端末デバイスの識別子情報を搬送し、命令情報は、ページングエリア構成情報を決定するために使用される情報を第１のアクセスネットワークデバイスへ送信するようにアクセスネットワークデバイスに命令するために使用される。
【０３７６】
プロセッサ１５０１は、ページングエリア構成情報を決定するために使用される情報を決定するように構成されている。
【０３７７】
送信機１５０５は、ページングエリア構成情報を決定するために使用される情報を第１のアクセスネットワークデバイスへ送信するように構成されている。
【０３７８】
本出願のこの実施形態によるアクセスネットワークデバイス１５００は、本出願の実施形態における第２のアクセスネットワークデバイスに対応していることがあり、アクセスネットワークデバイス１５００内のモジュールの前述のおよびその他のオペレーションおよび／または機能は、図４および図５における方法の対応する手順を実施することを意図されていることを理解されたい。簡潔にするために、詳細がここで再び記述されることはない。
【０３７９】
本出願の実施形態において、プロセッサは、中央処理装置（Ｃｅｎｔｒａｌ  Ｐｒｏｃｅｓｓｉｎｇ  Ｕｎｉｔ、略して「ＣＰＵ」）、ネットワークプロセッサ（Ｎｅｔｗｏｒｋ  Ｐｒｏｃｅｓｓｏｒ、略して「ＮＰ」）、またはＣＰＵおよびＮＰの組合せであり得る。プロセッサは、ハードウェアチップをさらに含み得る。ハードウェアチップは、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、略して「ＡＳＩＣ」）、プログラマブルロジックデバイス（Ｐｒｏｇｒａｍｍａｂｌｅ  Ｌｏｇｉｃ  Ｄｅｖｉｃｅ、略して「ＰＬＤ」）、またはそれらの組合せであり得る。ＰＬＤは、コンプレックスプログラマブルロジックデバイス（Ｃｏｍｐｌｅｘ  Ｐｒｏｇｒａｍｍａｂｌｅ  Ｌｏｇｉｃ  Ｄｅｖｉｃｅ、略して「ＣＰＬＤ」）、フィールドプログラマブルゲートアレイ（Ｆｉｅｌｄ−Ｐｒｏｇｒａｍｍａｂｌｅ  Ｇａｔｅ  Ａｒｒａｙ、略して「ＦＰＧＡ」）、ジェネリックアレイロジック（Ｇｅｎｅｒｉｃ  Ａｒｒａｙ  Ｌｏｇｉｃ、略して「ＧＡＬ」）、またはそれらの任意の組合せであり得る。
【０３８０】
メモリは、揮発性メモリもしくは不揮発性メモリであり得、または揮発性メモリおよび不揮発性メモリの両方を含み得る。不揮発性メモリは、読み取り専用メモリ（Ｒｅａｄ−Ｏｎｌｙ  Ｍｅｍｏｒｙ、略して「ＲＯＭ」）、プログラム可能読み取り専用メモリ（Ｐｒｏｇｒａｍｍａｂｌｅ  ＲＯＭ、略して「ＰＲＯＭ」）、消去可能プログラム可能読み取り専用メモリ（Ｅｒａｓａｂｌｅ  ＰＲＯＭ、略して「ＥＰＲＯＭ」）、電気的消去可能プログラム可能読み取り専用メモリ（Ｅｌｅｃｔｒｉｃａｌｌｙ  ＥＰＲＯＭ、略して「ＥＥＰＲＯＭ」）、またはフラッシュメモリであり得る。揮発性メモリは、ランダムアクセスメモリ（Ｒａｎｄｏｍ  Ａｃｃｅｓｓ  Ｍｅｍｏｒｙ、略して「ＲＡＭ」）であり得、外部キャッシュとして使用される。
【０３８１】
データバスに加えて、バスシステムは、電力バス、制御バス、ステータス信号バスなどをさらに含み得る。表示を容易にするために、図においてバスシステムを表すために１つの太線のみが使用されているが、これは、１つのバスのみが、または１つのタイプのバスのみがあることを意味するものではない。
【０３８２】
本出願の実施形態は、コンピュータプログラムを格納するように構成されているコンピュータ可読メディアを提供する。コンピュータプログラムは、図２から図５における本出願の実施形態による通信方法を実行するために使用される命令を含む。可読メディアは、ＲＯＭまたはＲＡＭであり得る。これは、本出願のこの実施形態においては限定されない。
【０３８３】
本明細書における「および／または」ならびに「ＡまたはＢの少なくとも１つ」という用語は、関連付けられているオブジェクトを記述するための関連付け関係のみを記述しており、３つの関係が存在し得ることを表していることを理解されたい。たとえば、Ａおよび／またはＢは、Ａのみが存在する、ＡおよびＢの両方が存在する、ならびにＢのみが存在する、という３つの場合を表し得る。加えて、本明細書における「／」という文字は一般に、関連付けられているオブジェクト間における「または」という関係を示している。
【０３８４】
本明細書において開示されている実施形態に関連して記述されている例におけるユニットおよびアルゴリズムステップは、電子ハードウェア、またはコンピュータソフトウェアと電子ハードウェアとの組合せによって実施されることが可能であるということに当業者なら気づき得る。機能がハードウェアによって実行されるか、またはソフトウェアによって実行されるかは、技術的なソリューションの個別の用途および設計制約条件に依存する。当業者なら、記述されている機能をそれぞれの個別の用途のために実施する目的で異なる方法を使用し得るが、実施は本出願の範囲を超えるものとみなされるべきではない。
【０３８５】
便利で簡潔な説明の目的で、前述されているシステム、装置、およびユニットの詳細な機能プロセスに関しては、前述の方法実施形態における対応するプロセスに対して参照が行われ得るということが当業者によって明確に理解され得、詳細がここで再び記述されることはない。
【０３８６】
本出願において提供されているいくつかの実施形態において、開示されているシステム、装置、および方法がその他の様式で実施され得ることを理解されたい。たとえば、前述されている装置実施形態は、例にすぎない。たとえば、ユニットの区分は、論理的な機能区分にすぎず、実際の実施においてはその他の区分であってもよい。たとえば、複数のユニットもしくはコンポーネントが組み合わされてもしくは統合されて別のシステムになってもよく、またはいくつかの機能が無視されてもよく、もしくは実行されなくてもよい。加えて、表示されているまたは論じられている相互の結合または直接の結合または通信接続は、いくつかのインターフェース、装置、またはユニットを通じた間接的な結合または通信接続であり得、電子的な形態、機械的な形態、またはその他の形態で実施され得る。
【０３８７】
別々の部分として記述されているユニットどうしは、物理的に別々であってもよく、または物理的に別々でなくてもよく、ユニットとして表示されている部分は、物理的なユニットであってもよく、または物理的なユニットでなくてもよい。言い換えれば、それらは、１つの場所に配置されてもよく、または複数のネットワークユニット上に分散されてもよい。ユニットのうちのいくつかまたはすべては、実施形態におけるソリューションの目的を達成するために実際の要件に基づいて選択され得る。
【０３８８】
加えて、本出願の実施形態における機能ユニットどうしが統合されて１つの処理ユニットになってもよく、またはそれらのユニットのそれぞれが物理的に単独で存在してもよく、または複数のユニットが統合されて１つのユニットになる。
【０３８９】
機能がソフトウェア機能ユニットの形態で実装されて、独立した製品として販売または使用される場合、それらの機能は、コンピュータ可読ストレージメディア内に格納され得る。そのような理解に基づいて、本質的に本出願における技術的なソリューション、または従来技術に寄与する部分、またはそれらの技術的なソリューションのいくつかが、ソフトウェア製品の形態で実装され得る。コンピュータソフトウェア製品は、ストレージメディア内に格納され、本出願の実施形態において記述されている方法のステップのうちのすべてまたはいくつかを実行するようにコンピュータデバイス（それは、パーソナルコンピュータ、サーバ、ネットワークデバイスなどであり得る）に命令するためのいくつかの命令を含む。ストレージメディアは、ＵＳＢフラッシュドライブ、取り外し可能なハードディスク、読み取り専用メモリ、ランダムアクセスメモリ、磁気ディスク、または光ディスクなど、プログラムコードを格納することが可能である任意のメディアを含む。
【０３９０】
前述の説明は、本出願の特定の実装にすぎず、本出願の保護範囲を限定することを意図されているものではない。本出願において開示されている技術的な範囲内で当業者によって容易に考え出されるいかなる変形形態または代替形態も、本出願の保護範囲内に収まるものとする。したがって、本出願の保護範囲は、特許請求の範囲の保護範囲に従うものとする。
【国際調査報告】
2019525642.tif 000018
2019525642.tif 000019
2019525642.tif 000020
2019525642.tif 000021